(57)【要約】【課題】塵埃の大きさを区別可能に検出するホコリセンサの検出値を用いて把握される空気の清浄さに応じて風量制御を行う空気清浄機であって、塵埃の大きさに応じて適切な風量制御を実行可能な、信頼性の高い空気清浄機を提供する。【解決手段】空気清浄機１０は、ファン、小塵埃と大塵埃とを区別可能に検出するホコリセンサ６０、判定部５２ａ、判定部の判定結果の記憶部５１、およびファン制御部５２ｅを備える。判定部は、ホコリセンサの出力信号を用いて空気の清浄度合いを判定する。ファン制御部は、記憶部に記憶された判定結果に基づいて、ファンの回転数を制御する。判定部は、空気の清浄度合いの判定として、大塵埃に関する空気の清浄度合いを判定する場合には時間優先の第１判定処理を、大塵埃に関する空気の清浄度合いを判定する場合には精度優先の第２判定処理を、それぞれ実行する。【選択図】図３
2015123387.tif 000002
【特許請求の範囲】
【請求項１】
空気清浄用フィルタ（２２）に空気が通るように空気流れを生成する回転数可変のファン（４０）と、
粒径が小さい小塵埃と、前記小塵埃よりも粒径が大きな大塵埃とを区別可能に空気中の塵埃を検出するホコリセンサ（６０）と、
前記ホコリセンサの検出値を用いて空気の清浄度合いを判定する判定部（５２ａ）と、
前記判定部の判定結果が更新して書き込まれ、記憶される記憶部（５１）と、
前記記憶部に記憶された前記判定結果に基づいて、前記ファンの回転数を制御するファン制御部（５２ｅ）と、
を備え、
前記判定部は、
前記大塵埃に関する前記ホコリセンサの検出値を用いて空気の清浄度合いを判定する場合には、判定時間を優先する短時間判定処理を、
前記小塵埃に関する前記ホコリセンサの検出値を用いて空気の清浄度合いを判定する場合には、前記短時間判定処理よりも判定時間が長い、判定精度を優先する長時間判定処理を、
空気の清浄度合いの判定としてそれぞれ実行する、
空気清浄機（１０）。
【請求項２】
前記ホコリセンサは、一定時間間隔で塵埃の検出を行い、
前記判定部は、前記長時間判定処理において、前記短時間判定処理より多くの前記ホコリセンサの検出値を用いる、
請求項１に記載の空気清浄機。
【請求項３】
前記判定部は、前記ホコリセンサの検出値を用いて算出される算出値の移動平均値を用いて空気の清浄度合いを判定するものであって、前記長時間判定処理における移動平均時間を、前記短時間判定処理における移動平均時間よりも長くする、
請求項１に記載の空気清浄機。
【請求項４】
前記判定部は、当該空気清浄機の起動時に前記短時間判定処理を行う場合であって、前記短時間判定処理における移動平均時間に相当する数量の前記ホコリセンサの検出値が未だ取得されていない場合には、前記短時間判定処理における移動平均時間よりも短い時間に相当する数量の前記ホコリセンサの検出値を用いて、前記短時間判定処理を行う、
請求項３に記載の空気清浄機。
【請求項５】
前記判定部は、前記記憶部に、前記判定部により判定される空気の清浄度合いの中で最も塵埃の濃度が低い空気の清浄度合い以外の、空気の清浄度合いが記憶されている時であって、前記小塵埃に関する前記ホコリセンサの検出値を用いて空気の清浄度合いを判定する場合に、前記長時間判定処理を実行する、
請求項１から４のいずれか１項に記載の空気清浄機。
【請求項６】
前記判定部は、前記ホコリセンサの検出値を用いて算出される算出値に基づく値と閾値との大小を比較することで空気の清浄度合いを判定するものであって、
前記閾値は、前記判定部による判定時の前記ファンの回転数に応じて変更される、
請求項１に記載の空気清浄機。
【請求項７】
前記判定部は、前記ホコリセンサの検出値を用いて算出される算出値からオフセット値を差し引いた値を用いて空気の清浄度合いを判定するものであって、
前記オフセット値は、前記大塵埃に関する前記ホコリセンサの検出値を用いて空気の清浄度合いを判定する場合と、前記小塵埃に関する前記ホコリセンサの検出値を用いて空気の清浄度合いを判定する場合とで、それぞれ設定される、
請求項１に記載の空気清浄機。
【請求項８】
前記オフセット値は、更に前記判定部による判定時の前記ファンの回転数に応じて設定される、
請求項７に記載の空気清浄機。
【発明の詳細な説明】
【技術分野】
【０００１】
本発明は、ホコリセンサを備えた空気清浄機に関する。
【背景技術】
【０００２】
塵埃を検出するホコリセンサを備え、判定時間内のホコリセンサの検出値に基づいて空気の清浄さを判定し、空気の清浄さに基づいて空気清浄フィルタに空気を通すためのファンの風量制御を行う空気清浄機が知られている。
【０００３】
例えば、特許文献１（特開２００１−８７６１３号公報）には、ホコリセンサが塵埃のサイズ別にその存在を検出し、ホコリセンサが塵埃を検出したことを示す信号の単位時間あたりのパルス数に基づいて塵埃のサイズ別に空気の清浄さを把握し、把握された空気の清浄さが低いほど、風量が大きくなるようにファンを制御する空気清浄機が開示されている。
【０００４】
このような空気清浄機では、判定時間を長くとることで、言い換えれば判定に用いるホコリセンサの検出値の数を増やすことで、ノイズや、ホコリセンサの検出対象の空気中の塵埃の濃度の不均一さ等が、空気の清浄さの判定に与える影響を軽減できる。そのため、基本的には、判定時間を長くとることで、より正確に空気の清浄さを判定することができる。
【発明の概要】
【発明が解決しようとする課題】
【０００５】
しかし、粒径の大きな塵埃は空気中に浮遊している時間が短いことから、判定時間を長くした場合、空気の清浄さが低下していると判定された時には、大きな塵埃が既に地面等に落下してしまっている可能性がある。つまり、判定時間を長くとると、大きな塵埃に対してファンの風量制御が適切に実行されない可能性がある。
【０００６】
一方で、判定時間を短くした場合には、空気の清浄さの判定精度が低下することから、小さな塵埃に関して空気の清浄さが誤って判定され、実際には空気の清浄さが低いにも関わらずファンの風量を減らす制御が行われるなど、ファンの風量制御が適切に実行されない可能性がある。
【０００７】
本発明の課題は、塵埃の大きさを区別して検知可能なホコリセンサの検出値を用いて把握される空気の清浄さに応じて、空気清浄用フィルタに空気を導くファンの風量制御を行う空気清浄機であって、塵埃の大きさに応じてファンの風量を適切に制御可能な、信頼性の高い空気清浄機を提供することにある。
【課題を解決するための手段】
【０００８】
本発明の第１観点に係る空気清浄機は、回転数可変のファンと、ホコリセンサと、判定部と、記憶部と、ファン制御部と、を備える。ファンは、空気清浄用フィルタに空気が通るように空気流れを生成する。ホコリセンサは、粒径が小さい小塵埃と、小塵埃よりも粒径が大きな大塵埃とを区別可能に空気中の塵埃を検出する。判定部は、ホコリセンサの検出値を用いて空気の清浄度合いを判定する。記憶部には、判定部の判定結果が更新して書き込まれ、記憶される。ファン制御部は、記憶部に記憶された判定結果に基づいて、ファンの回転数を制御する。判定部は、大塵埃に関するホコリセンサの検出値を用いて空気の清浄度合いを判定する場合には、判定時間を優先する短時間判定処理を、空気の清浄度合いの判定として実行する。判定部は、小塵埃に関するホコリセンサの検出値を用いて空気の清浄度合いを判定する場合には、短時間判定処理よりも判定時間が長い、判定精度を優先する長時間判定処理を、空気の清浄度合いの判定として実行する。
【０００９】
ここでは、大塵埃に関する空気の清浄度合いの判定として、判定時間優先の（判定時間の短い）判定処理が実行される。そのため、浮遊時間の比較的短い大塵埃に関しては、空気の清浄度合いが速やかに判定され、空気の清浄度合いが悪化した場合には、直ちに大塵埃を除去するようにファンの風量が適切に制御される。一方、小塵埃に関する空気の清浄度合いの判定としては、判定精度優先の（判定時間は長い）判定処理が実行される。そのため、浮遊時間の比較的長い小塵埃に関しては、空気の清浄度合いが精度良く判定され、空気の清浄度合いに応じてファンの風量が適切に制御される。その結果、塵埃の大きさに応じてファンの風量を適切に制御可能な、信頼性の高い空気清浄機が実現される。
【００１０】
本発明の第２観点に係る空気清浄機は、第１観点に係る空気清浄機であって、ホコリセンサは、一定時間間隔で塵埃の検出を行う。判定部は、長時間判定処理において、短時間判定処理より多くのホコリセンサの検出値を用いる。
【００１１】
ここでは、長時間判定処理において、短時間判定処理よりも多くのホコリセンサの検出値に基づいて空気の清浄度合いの判定が行われる。そのため、長時間判定処理では、短時間判定処理よりも精度よく空気の清浄度合いを判定可能である。
【００１２】
本発明の第３観点に係る空気清浄機は、第１観点に係る空気清浄機であって、判定部は、ホコリセンサの検出値を用いて算出される算出値の移動平均値を用いて空気の清浄度合いを判定する。判定部は、長時間判定処理における移動平均時間を、短時間判定処理における移動平均時間よりも長くする。
【００１３】
ここでは、長時間判定処理において、短時間判定処理よりも長い移動平均時間の移動平均値に基づいて空気の清浄度合いの判定が行われる。そのため、長時間判定処理では、短時間判定処理よりも精度よく空気の清浄度合いを判定可能である。
【００１４】
本発明の第４観点に係る空気清浄機は、第３観点に係る空気清浄機であって、判定部は、当該空気清浄機の起動時に短時間判定処理を行う場合であって、短時間判定処理における移動平均時間に相当する数量のホコリセンサの検出値が未だ取得されていない場合には、短時間判定処理における移動平均時間よりも短い時間に相当する数量のホコリセンサの検出値を用いて、短時間判定処理を行う。
【００１５】
ここでは、空気清浄機の起動時であって、短時間判定処理における移動平均時間に相当する数量のホコリセンサの検出値が未だ取得されていない場合に、通常の短時間判定処理で用いられるよりも少ない数量のホコリセンサの検出値を用いて空気の清浄度合いが判定される。そのため、塵埃の濃度が比較的高く、塵埃の速やかな除去を期待してユーザが空気清浄機を起動した場合に、直ちに空気の清浄度合いが判定されることとなり、空気の清浄度合いの改善が図られやすい。
【００１６】
本発明の第５観点に係る空気清浄機は、第１観点から第４観点のいずれかに係る空気清浄機であって、判定部は、記憶部に、判定部により判定される空気の清浄度合いの中で最も塵埃の濃度が低い空気の清浄度合い以外の、空気の清浄度合いが記憶されている時であって、小塵埃に関するホコリセンサの検出値を用いて空気の清浄度合いを判定する場合に、長時間判定処理を実行する。
【００１７】
ここでは、記憶部に比較的塵埃の濃度が高い空気の清浄度合いが記憶されており、小塵埃に関するホコリセンサの検出値を用いて空気の清浄度合いの判定が実行される場合に、精度よく判定が行われる。そのため、実際には空気中の塵埃の濃度が高いにも関わらず、空気の清浄度合いの誤認識でファンの風量が減らされる等のファンの風量の不適切な制御を防止できる。
【００１８】
本発明の第６観点に係る空気清浄機は、第１観点に係る空気清浄機であって、判定部は、ホコリセンサの検出値を用いて算出される算出値に基づく値と閾値との大小を比較することで空気の清浄度合いを判定する。閾値は、判定部による判定時のファンの回転数に応じて変更される。
【００１９】
ファンの回転数が変化すると、ホコリセンサを通過する空気の量が変化し、塵埃の濃度は同一であるにも関わらず、ホコリセンサの検出値を用いて算出される算出値の値が変化する場合がある。ここでは、これを考慮して閾値が変更されるため、空気の清浄度合いを正確に判定することが容易である。
【００２０】
本発明の第７観点に係る空気清浄機は、第１観点に係る空気清浄機であって、判定部は、ホコリセンサの検出値を用いて算出される算出値からオフセット値を差し引いた値を用いて空気の清浄度合いを判定する。オフセット値は、大塵埃に関するホコリセンサの検出値を用いて空気の清浄度合いを判定する場合と、小塵埃に関するホコリセンサの検出値を用いて空気の清浄度合いを判定する場合とで、それぞれ設定される。
【００２１】
ここでは、大塵埃に関する空気の清浄度合いの判定処理と、小塵埃に関する空気の清浄度合いの判定処理と、に対し、オフセット値がそれぞれ用意されるため、空気の清浄度合いを正確に判定することが容易である。
【００２２】
なお、オフセット値は、簡単に言えば、空気が清浄な状態（空気中に塵埃がほとんど存在しない状態）において、判定部が、大塵埃又は小塵埃に関するホコリセンサの検出値を用いて、空気の清浄度合いの判定処理のための算出値を算出した時に得られる値である。空気が清浄な状態では、ホコリセンサは塵埃をほとんど検出しないはずである。しかし、空気が清浄な状態であっても、ホコリセンサの使用状態等によって、ホコリセンサは塵埃を検出したと認識する場合がある。これを補正するために用いられるのがオフセット値である。言い換えれば、オフセット値は、空気の清浄度合いを判定する上で、基準となる値である。
【００２３】
本発明の第８観点に係る空気清浄機は、第７観点に係る空気清浄機であって、オフセット値は、更に判定部による判定時のファンの回転数に応じて設定される。
【００２４】
ここでは、ファンの回転数に応じてオフセット値が個別に用意されるため、空気の清浄度合いを正確に判定することが容易である。
【発明の効果】
【００２５】
本発明の第１観点に係る空気清浄機では、大塵埃に関する空気の清浄度合いの判定として、判定時間優先の（判定時間の短い）判定処理が実行される。そのため、浮遊時間の比較的短い大塵埃に関しては、空気の清浄度合いが速やかに判定され、空気の清浄度合いが悪化した場合には、直ちに大塵埃を除去するようにファンの風量が適切に制御される。一方、小塵埃に関する空気の清浄度合いの判定としては、判定精度優先の（判定時間は長い）判定処理が実行される。そのため、浮遊時間の比較的長い小塵埃に関しては、空気の清浄度合いが精度良く判定され、空気の清浄度合いに応じてファンの風量が適切に制御される。その結果、塵埃の大きさに応じてファンの風量を適切に制御可能な、信頼性の高い空気清浄機が実現される。
【００２６】
本発明の第２観点および第３観点に係る空気清浄機では、長時間判定処理において、短時間判定処理よりも精度よく空気の清浄度合いを判定可能である。
【００２７】
本発明の第４観点に係る空気清浄機では、塵埃の濃度が比較的高く、塵埃の速やかな除去を期待してユーザが空気清浄機を起動した場合に、直ちに空気の清浄度合いが判定されることとなり、空気の清浄度合いの改善が図られやすい。
【００２８】
本発明の第５観点に係る空気清浄機では、実際には空気中の塵埃の濃度が高いにも関わらず、空気の清浄度合いの誤認識でファンの風量が減らされる等のファンの風量の不適切な制御を防止できる。
【００２９】
本発明の第６観点から第８観点に係る空気清浄機では、空気の清浄度合いを正確に判定することが容易である。
【図面の簡単な説明】
【００３０】
【図１】本発明の一実施形態に係る空気清浄機の外観斜視図である。
【図２】図１の空気清浄機の、空気清浄機能および加湿機能に関連する主な構成を示した図である。
【図３】図１の空気清浄機の概略ブロック図である。
【図４】図１の空気清浄機の制御ユニットの記憶部の閾値記憶領域に記憶されている、制御ユニットの制御部の判定部が第１判定処理により空気の清浄度合いの判定を行う場合の閾値である。
【図５】図１の空気清浄機の制御ユニットの記憶部の閾値記憶領域に記憶されている、制御ユニットの制御部の判定部が第２判定処理により空気の清浄度合いの判定を行う場合の閾値である。
【図６】図１の空気清浄機のホコリセンサの検出値を用いて算出されるＬレベル信号割合の、塵埃の濃度［μｇ／ｍ3］に対する変化を示したグラフである。ファンの回転数が回転数Ｎ１（基準値Ｎｂ未満）である場合と、ファンの回転数が回転数Ｎ２（基準値Ｎｂ以上）である場合とについて、描画されている。
【図７】図１の空気清浄機のオフセット更新部による、判定部の判定処理に用いられるオフセット値の更新処理について説明するためのグラフである。特に、ここでは、判定部が実行する判定処理の種類が第２判定処理で、判定部が空気の清浄度合いを行う対象とする塵埃が小塵埃であるという条件についてのオフセット値の更新処理について説明するためのグラフである。横軸が時間を、縦軸がＬレベル信号割合の値を示している。図中の太線が、オフセット値の時間変化を示している。
【図８】図１の空気清浄機の判定部の、大塵埃に関する空気の清浄度合いの判定について説明するためのフローチャートである。
【図９Ａ】図１の空気清浄機の判定部の、小塵埃に関する空気の清浄度合いの判定について説明するためのフローチャート（その１）である。
【図９Ｂ】図１の空気清浄機の判定部の、小塵埃に関する空気の清浄度合いの判定について説明するためのフローチャート（その２）である。
【図９Ｃ】図１の空気清浄機の判定部の、小塵埃に関する空気の清浄度合いの判定について説明するためのフローチャート（その３）である。
【図１０】図１の空気清浄機の書込部による、清浄度合い記憶領域に記憶されている空気の清浄度合いの更新処理について説明するためのフローチャートである。また、この更新処理に関連する、図１の空気清浄機の改善判定禁止部および第１判定処理禁止部の処理について説明するためのフローチャートである。
【発明を実施するための形態】
【００３１】
図面を参照しながら、本発明の一実施形態に係る空気清浄機１０について説明する。なお、空気清浄機１０は、本発明に係る空気清浄機の一例にすぎず、本発明の要旨を逸脱しない範囲で適宜変更可能である。
【００３２】
（１）全体構成
図１は、本発明の一実施形態に係る空気清浄機１０の概略の外観斜視図である。図２は、空気清浄機１０の内部に収容される、空気清浄機１０の空気清浄機能および加湿機能に関連する主な構成を示した図である。図３は、空気清浄機１０の概略ブロック図である。
【００３３】
空気清浄機１０の概要について以下に説明する。なお、以下の説明において、「上」、「下」、「左」、「右」、「正面（前）」、「背面（後）」といった方向を示す語句を用いる場合があるが、これらの表現は、特に断りのない限り、図１に示した方向に基づく。
【００３４】
空気清浄機１０は、図１のような床置型の装置である。空気清浄機１０は、空気清浄の対象空間に設置される。空気清浄機１０は、装置内部に取り込んだ空気から、空気中の塵埃を除去する空気清浄機能を有する。また、空気清浄機１０は、塵埃を除去後の空気を加湿する加湿機能を有する。
【００３５】
空気清浄機１０は、図１から図３に示すように、主に、筐体１１、空気清浄用ユニット２０、加湿ユニット３０、ファン４０、制御ユニット５０、およびホコリセンサ６０を備える。
【００３６】
（２）詳細構成
（２−１）筐体
筐体１１は、空気清浄用ユニット２０、加湿ユニット３０、ファン４０、制御ユニット５０、およびホコリセンサ６０等の構成を内部に収容する。
【００３７】
筐体１１には、吸込口１２と、吹出口１３とが形成されている（図１参照）。空気清浄の対象空間の空気は、吸込口１２から取り込まれ、空気清浄用ユニット２０に供給される。塵埃が除去された後の（加湿運転中には、さらに加湿された後の）空気は、吹出口１３から空気清浄の対象空間に吹き出す。
【００３８】
（２−２）空気清浄用ユニット
空気清浄用ユニット２０は、空気中の塵埃を除去すると共に、空気中のニオイ成分等を吸着して分解するためのユニットである。
【００３９】
空気清浄用ユニット２０は、図２に示すように、主として、プレフィルタ２１と、ＨＥＰＡフィルタ２２と、脱臭エレメント２３とを有する。プレフィルタ２１、ＨＥＰＡフィルタ２２、および脱臭エレメント２３は、筐体１１内に、正面側から背面側に向かって、この順番で配置されている。筐体１１の吸込口１２から取り込まれた空気は、初めに空気清浄用ユニット２０に送られ、空気清浄用ユニット２０を、プレフィルタ２１、ＨＥＰＡフィルタ２２、脱臭エレメント２３の順に通過する。
【００４０】
プレフィルタ２１は、空気中の比較的大きな塵埃を捕捉するためのフィルタである。ＨＥＰＡ（High Efficiency Particulate Air）フィルタ２２は、空気清浄用フィルタの一例である。ＨＥＰＡフィルタ２２は、プレフィルタ２１を通過した空気中の微細な塵埃を捕捉する。空気中の塵埃は、主に、プレフィルタ２１およびＨＥＰＡフィルタ２２により除去される。
【００４１】
脱臭エレメント２３は、活性炭等を含み、プレフィルタ２１およびＨＥＰＡフィルタ２２を通過した空気中のニオイや有害ガスを吸着して分解する。
【００４２】
（２−３）加湿ユニット
加湿ユニット３０は、加湿ユニット３０を通過する空気に水を供給し、加湿するためのユニットである。
【００４３】
加湿ユニット３０は、筐体１１内の、空気清浄用ユニット２０よりも背面側に配置されている。加湿ユニット３０は、ファン４０を運転することで生じる筐体１１内の空気の流れ方向における、空気清浄用ユニット２０の下流側に配置されている。
【００４４】
加湿ユニット３０は、主として、水トレー３１と、加湿ロータ３２とを有する（図２参照）。水トレー３１は、空気清浄用ユニット２０を通過した空気に供給するための水（加湿のための水）を貯留する貯留容器である。なお、筐体１１内には、水トレー３１に水を供給する水タンク（図示せず）が設けられている。加湿ロータ３２は、モータ３２ａ（図３参照）により回転可能に構成されている。加湿ロータ３２は、主として、水トレー３１内の水を汲み上げる水汲み上げ部（図示せず）と、水汲み上げ部によって汲み上げられた水を吸着する加湿フィルタ（図示せず）と、を有する。
【００４５】
加湿ロータ３２の機能について簡単に説明する。モータ３２ａ（図３参照）が回転させられると、加湿ロータ３２の水汲み上げ部が回転し、水トレー３１内の水を汲み上げる。水汲み上げ部によって汲み上げられた水は、同じく回転している加湿ロータ３２の加湿フィルタに供給される。汲み上げ部により水が供給された加湿フィルタは、水分を吸着した状態になる。空気清浄用ユニット２０を通過した空気の一部は、回転している加湿フィルタを通過する。水分を吸着した加湿フィルタを通過する空気は、加湿フィルタから水が供給されて加湿される。以上のようにして、加湿ロータ３２は、空気清浄用ユニット２０を通過した空気を加湿する。
【００４６】
（２−４）ファン
ファン４０は、筐体１１の背面側に取り付けられる。ファン４０は、ファン４０を運転することで生じる筐体１１内の空気の流れ方向における、加湿ユニット３０の下流側に配置される。
【００４７】
ファン４０は、空気清浄の対象空間の空気を、吸込口１２を介して筐体１１内に取り込み、空気清浄用ユニット２０および加湿ユニット３０を通過させる機能を有する。つまり、ファン４０は、空気清浄用フィルタとしてのＨＥＰＡフィルタ２２を含む空気清浄用ユニット２０と、加湿ユニット３０と、に空気が通るように空気流れを生成する。また、ファン４０は、空気清浄用ユニット２０および加湿ユニット３０を通過後の空気を、吹出口１３を介して筐体１１の外部に排出する機能を有する。
【００４８】
ファン４０は、シロッコファンである。ファン４０の羽根車４１（図２参照）が、ファンモータ４０ａ（図３参照）により回転させられると、空気清浄用ユニット２０および加湿ユニット３０を通過した空気は、ファン４０に前方側から吸い込まれ、上方向きに進行方向を変えて（図２参照）、筐体１１の上部に設けられた吹出口１３から上方へと吹き出す。
【００４９】
ファン４０は、回転数可変である。言い換えれば、ファンモータ４０ａは回転数可変である。ファンモータ４０ａは、後述する制御ユニット５０のファン制御部５２ｅ（図３参照）により制御される。
【００５０】
（２−５）ホコリセンサ
ホコリセンサ６０は、空気中の塵埃を検出するセンサである。ホコリセンサ６０は、具体的には、ホコリセンサ６０の検出の対象空間、言い換えれば空気清浄機１０の空気清浄の対象空間から、ホコリセンサ６０の内部空間に空気を取り込み、内部空間を空気と共に通過する塵埃を検出するセンサである。
【００５１】
ホコリセンサ６０は、筐体１１の側面側（ここでは右側面側）に設けられている。ホコリセンサ６０は、筐体１１の右側面に形成された空気取り込み孔７１ａ（図１参照）を介して、ホコリセンサ６０の内部に空気を取り込み、内部を空気と共に通過する塵埃を検出する。
【００５２】
ホコリセンサ６０は、以下のような方法で内部空間を通過する塵埃を検出し、塵埃の検出／非検出を示す信号を制御ユニット５０に送信する。
【００５３】
ホコリセンサ６０は、図示しない発光素子と、受光素子とを有する。発光素子は、検出対象の空気が通過する内部空間に投光する。受光素子は、発光素子から発せられる光を直接受光することのない位置に配置されている。ただし、受光素子は、内部空間を通過する空気に塵埃が含まれていた場合に塵埃に当たって散乱する光を受光可能な位置に配置されている。ホコリセンサ６０は、受光素子が光を受光していない時にＨレベル（ハイレベル）信号を、受光素子が光を受光している時にＬレベル（ローレベル）信号を、それぞれ出力する。ホコリセンサ６０は、検出値として、８０μ秒毎に、Ｈレベル信号又はＬレベル信号を制御ユニット５０に送信する。制御ユニット５０は、ホコリセンサ６０の検出値（ホコリセンサ６０の出力信号）を用いて、空気の清浄度合いを判定する。制御ユニット５０の空気の清浄度合いの判定については、後述する。
【００５４】
ホコリセンサ６０は、特許文献１（特開２００１−８７６１３号公報）と同様に、受光素子が受光した散乱光の強度に基づいて、空気中の塵埃を、粒径が小さい小塵埃と、小塵埃よりも粒径が大きな大塵埃とを区別可能に検出する。ただし、ホコリセンサ６０が、粒径が小さい小塵埃と、大塵埃とを区別可能に検出する方式はこれに限定されるものではなく、他の方式が用いられてもよい。なお、ここでは、小塵埃は、粒径が１μｍ以上３μｍ未満の塵埃を意味し、大塵埃は粒径が３μｍ以上の塵埃を意味する。
【００５５】
ホコリセンサ６０は、粒径が１μｍ以上の塵埃についてＨレベル信号又はＬレベル信号を出力し、さらに、粒径が３μｍ以上の塵埃についてＨレベル信号又はＬレベル信号を出力する。そして、ホコリセンサ６０から信号を受信した制御ユニット５０が、粒径が１μｍ以上の塵埃についての出力信号と、粒径が３μｍ以上の塵埃についての出力信号と、を用いて、小塵埃（粒径が１μｍ以上３μｍ未満の塵埃）と、大塵埃（粒径が３μｍ以上の塵埃）とに関して、それぞれ空気の清浄度合いの判定を行う。つまり、ホコリセンサ６０が、小塵埃と大塵埃とを区別可能に空気中の塵埃を検出するとは、ホコリセンサ６０自身が小塵埃（粒径が１μｍ以上３μｍ未満の塵埃）と大塵埃（粒径が３μｍ以上の塵埃）とを区別する場合に限られず、ホコリセンサ６０から出力信号を受信した制御ユニット５０が、小塵埃の検出と大塵埃の検出とを区別可能であればよい。ただし、これに限定されるものではなく、ホコリセンサ６０自身が、粒径が１μｍ以上３μｍ未満の塵埃に関する信号と、粒径が３μｍ以上の塵埃に関する信号とを出力するよう構成されてもよい。
【００５６】
なお、ホコリセンサ６０は、空気清浄機１０に電気が供給されている状態（空気清浄機１０が電源に接続されている状態）であれば、空気清浄機１０が運転されていなくても（空気清浄機１０のファン４０が運転されていなくても）、空気中の塵埃の検出を行う。
【００５７】
（２−６）制御ユニット
制御ユニット５０は、空気清浄機１０の動きを制御するためのユニットである。
【００５８】
制御ユニット５０は、ＣＰＵ（Central Processing Unit）や、ＲＡＭ（Random Access Memory）やＲＯＭ（Read Only Memory）等のメモリを有するマイクロコンピュータである。制御ユニット５０は、各種情報を記憶する記憶部５１と、各種制御を実行する制御部５２とを有する。
【００５９】
制御ユニット５０は、図３のように、主に、ホコリセンサ６０、ファンモータ４０ａ、モータ３２ａおよび操作部５５と電気的に接続されている。操作部５５は、ユーザからの各種指令（例えば、空気清浄機１０の運転／停止指令、加湿運転の実行／停止指令等）を受け付ける入力部として機能する。また、操作部５５は、空気清浄機１０の運転状態をＬＥＤ(Light Emitting Diode)等により表示する表示部として機能する。
【００６０】
以下に、記憶部５１および制御部５２について、詳細に説明する。
【００６１】
（２−６−１）記憶部
記憶部５１は、制御部５２が実行するためのプログラムや、各種情報が記憶される。例えば、記憶部５１は、情報を記憶するための領域として、清浄度合い記憶領域５１ａ、閾値記憶領域５１ｂ、およびオフセット値記憶領域５１ｃを有する。以下に、清浄度合い記憶領域５１ａ、閾値記憶領域５１ｂ、およびオフセット値記憶領域５１ｃについて詳細を説明する。
【００６２】
（２−６−１−１）清浄度合い記憶領域
清浄度合い記憶領域５１ａには、後述する制御部５２の判定部５２ａの判定結果、つまり判定部５２ａにより判定される空気の清浄度合い、が更新して書き込まれ記憶される。清浄度合い記憶領域５１ａに記憶される内容は、後述する書込部５２ｂにより、判定部５２ａの判定結果が書き込まれることで、更新される。
【００６３】
なお、空気清浄機１０が運転され、判定部５２ａが空気の清浄度合いの判定を実行するまでは、清浄度合い記憶領域５１ａには、空気の清浄度合いの初期設定として、第１清浄度合いＰ１が記憶されている。つまり、空気清浄機１０の起動時には、清浄度合い記憶領域５１ａには第１清浄度合いＰ１が記憶されている。空気清浄機１０の運転が停止されると、清浄度合い記憶領域５１ａに記憶された内容はリセットされ、初期設定としての第１清浄度合いＰ１が再び書き込まれる。
【００６４】
（２−６−１−２）閾値記憶領域
閾値記憶領域５１ｂには、後述する判定部５２ａが空気の清浄度合いを判定する際に用いる閾値が記憶される。閾値が、空気の清浄度合いが判定される際にどのように用いられるかについては後述する。
【００６５】
閾値記憶領域５１ｂには、判定部５２ａが後述する第１判定処理を実行する時に用いる閾値（図４参照）と、判定部５２ａが後述する第２判定処理を実行する時に用いる閾値（図５参照）とが、それぞれ記憶されている。
【００６６】
閾値記憶領域５１ｂに記憶される、判定部５２ａが第１判定処理を実行する時に用いる閾値には、判定部５２ａが大塵埃に関して空気の清浄度合いが改善したか否かを判定する際に用いる改善判定用閾値１〜３（ＳＡ１１，１２，１３）がある（図４（ａ）参照）。閾値記憶領域５１ｂに記憶される、判定部５２ａが第１判定処理を実行する時に用いる閾値には、判定部５２ａが大塵埃に関して空気の清浄度合いが悪化したか否かを判定する際に用いる悪化判定用閾値１〜３（ＳＣ１１，１２，１３）がある（図４（ｂ）参照）。閾値記憶領域５１ｂに記憶される、判定部５２ａが第１判定処理を実行する時に用いる閾値には、判定部５２ａが小塵埃に関して空気の清浄度合いが悪化したか否かを判定する際に用いる悪化判定用閾値１〜３（ＳＤ１１，１２，１３）がある（図４（ｂ）参照）。
【００６７】
閾値記憶領域５１ｂに記憶される、判定部５２ａが小塵埃に関して第２判定処理を実行する時に用いる閾値には、判定部５２ａが空気の清浄度合いが改善したか否かを判定する際に用いる改善判定用閾値１〜３（ＬＢ１１，１２，１３，２１，２２，２３）がある（図５（ａ），（ｂ）参照）。閾値記憶領域５１ｂに記憶される、判定部５２ａが小塵埃に関して第２判定処理を実行する時に用いる閾値には、判定部５２ａが空気の清浄度合いが悪化したか否かを判定する際に用いる悪化判定用閾値１〜３（ＬＤ１１，１２，１３，２１，２２，２３）がある（図５（ｃ），（ｄ）参照）。なお、ＬＢ１１，１２，１３（図５（ａ）参照）およびＬＤ１１，１２，１３（図５（ｃ）参照）は、判定部５２ａが空気の清浄度合いの判定を実行する際のファン４０の回転数が基準値Ｎｂ（例えば８００ｒｐｍ）未満である場合の、第２判定処理用の改善判定用閾値１〜３および悪化判定用閾値１〜３である。ＬＢ２１，２２，２３（図５（ｂ）参照）およびＬＤ２１，２２，２３（図５（ｄ）参照）は、判定部５２ａが空気の清浄度合いの判定を実行する際のファン４０の回転数が基準値Ｎｂ以上である場合の、第２判定処理用の改善判定用閾値１〜３および悪化判定用閾値１〜３である。
【００６８】
上記の改善判定用閾値１、改善判定用閾値２、および改善判定用閾値３は、空気の清浄度合いが、それぞれ後述する第１清浄度合いＰ１、第２清浄度合いＰ２、および第３清浄度合いＰ３に改善したか否かを判定するために用いられる閾値である。悪化判定用閾値１、悪化判定用閾値２、および悪化判定用閾値３は、空気の清浄度合いが、それぞれ後述する第２清浄度合いＰ２、第３清浄度合いＰ３、第４清浄度合いＰ４に悪化したか否かを判定するために用いられる閾値である。なお、第１〜第４清浄度合いＰ１〜Ｐ４の中では、第１清浄度合いＰ１が最も塵埃の濃度が低い空気の清浄度合いである。数字が大きくなるほど塵埃の濃度が高い空気の清浄度合いであることを意味し、第４清浄度合いＰ４が、第１〜第４清浄度合いＰ１〜Ｐ４の中で最も塵埃の濃度が高い空気の清浄度合いである。
【００６９】
閾値記憶領域５１ｂに記憶されている各閾値に関して、さらに説明する。
【００７０】
図４（ａ）のＳＡ１１，１２，１３には、ＳＡ１１＜ＳＡ１２＜ＳＡ１３という関係がある。図４（ｂ）のＳＣ１１，１２，１３およびＳＤ１１，１２，１３には、ＳＣ１１＜ＳＣ１２＜ＳＣ１３、ＳＤ１１＜ＳＤ１２＜ＳＤ１３、ＳＣ１１＜ＳＤ１１、ＳＣ１２＜ＳＤ１２、およびＳＣ１３＜ＳＤ１３という関係がある。また、ＳＡ１１，１２，１３およびＳＣ１１，１２，１３には、ＳＡ１１＜ＳＣ１１、ＳＡ１２＜ＳＣ１２、およびＳＡ１３＜ＳＣ１３という関係がある。
【００７１】
図５（ａ）のＬＢ１１，１２，１３には、ＬＢ１１＜ＬＢ１２＜ＬＢ１３という関係がある。図５（ｂ）のＬＢ２１，２２，２３には、ＬＢ２１＜ＬＢ２２＜ＬＢ２３という関係がある。図５（ｃ）のＬＤ１１，１２，１３には、ＬＤ１１＜ＬＤ１２＜ＬＤ１３という関係がある。図５（ｄ）のＬＤ２１，２２，２３には、ＬＤ２１＜ＬＤ２２＜ＬＤ２３という関係がある。また、ＬＢ１１，１２，１３，２１，２２，２３およびＬＤ１１，１２，１３，２１，２２，２３には、ＬＢ１１＜ＬＤ１１、ＬＢ１２＜ＬＤ１２、ＬＢ１３＜ＬＤ１３、ＬＢ２１＜ＬＤ２１、ＬＢ２２＜ＬＤ２２、およびＬＢ２３＜ＬＤ２３という関係がある。
【００７２】
さらに、ＬＢ１１，１２，１３，２１，２２，２３には、ＬＢ１１＞ＬＢ２１、ＬＢ１２＞ＬＢ２２、およびＬＢ１３＞ＬＢ２３という関係がある。ＬＤ１１，１２，１３，２１，２２，２３には、ＬＤ１１＞ＬＤ２１、ＬＤ１２＞ＬＤ２２、およびＬＤ１３＞ＬＤ２３という関係がある。上記の関係となるのは、図６のように、ファン４０の回転数が回転数Ｎ１（基準値Ｎｂ未満）の場合と、回転数Ｎ２（基準値Ｎｂ以上）の場合とで、塵埃の濃度と、後述する判定部５２ａの算出部５２ａａが算出するＬレベル信号割合（所定の判定時間に占める、ホコリセンサ６０がＬレベルの信号を出力していた時間の割合）と、の関係が異なるためである。
【００７３】
（２−６−１−３）オフセット値記憶領域
オフセット値記憶領域５１ｃには、後述する判定部５２ａが空気の清浄度合いを判定する際に用いられるオフセット値が記憶される記憶領域である。オフセット値は、空気の清浄度合いを判定する上で基準となる値である。判定部５２ａが空気の清浄度合いを判定する際に、オフセット値をどのように用いるかについては後述する。
【００７４】
なお、オフセット値記憶領域５１ｃには、以下の３種類の条件別に、オフセット値が記憶される。
【００７５】
１）判定部５２ａが実行する判定処理の種類が第１判定処理で、判定部５２ａが空気の清浄度合いを行う対象とする塵埃が大塵埃である場合。
【００７６】
２）判定部５２ａが実行する判定処理の種類が第１判定処理で、判定部５２ａが空気の清浄度合いを行う対象とする塵埃が小塵埃である場合。
【００７７】
３）判定部５２ａが実行する判定処理の種類が第２判定処理で、判定部５２ａが空気の清浄度合いを行う対象とする塵埃が小塵埃である場合。
【００７８】
なお、オフセット値記憶領域５１ｃに記憶されるオフセット値は、後述する制御部５２のオフセット値更新部５２ｆにより適宜算出され、更新される。オフセット値更新部５２ｆによるオフセット値の算出および更新の方法については後述する。
【００７９】
（２−６−２）制御部
制御部５２は、記憶部５１に記憶されているプログラムを実行して、空気清浄機１０を制御する。具体的には、制御部５２は、操作部５５に入力された各種指令や、ホコリセンサ６０の検出結果等に基づいて、ファンモータ４０ａや、モータ３２ａ等の、空気清浄機１０の各部の動きを制御する。
【００８０】
例えば、制御部５２の、後述するファン制御部５２ｅは、操作部５５が空気清浄機１０の運転指令を受け付けると、ファンモータ４０ａを駆動させる。また、例えば、制御部５２は、操作部５５が加湿運転の実行指令を受け付けると、モータ３２ａを駆動させる。
【００８１】
制御部５２は、機能部として、判定部５２ａ、書込部５２ｂ、改善判定禁止部５２ｃ、第１判定処理禁止部５２ｄ、ファン制御部５２ｅ、およびオフセット値更新部５２ｆを有する。以下に、判定部５２ａ、書込部５２ｂ、改善判定禁止部５２ｃ、第１判定処理禁止部５２ｄ、ファン制御部５２ｅ、およびオフセット値更新部５２ｆについて詳細を説明する。
【００８２】
（２−６−２−１）判定部
判定部５２ａは、ホコリセンサ６０の検出値を用いて空気の清浄度合いを判定する。判定部５２ａは、ホコリセンサ６０の検出値（ホコリセンサ６０の出力信号）を用いて算出される算出値に基づく値と、閾値記憶領域５１ｂに記憶された閾値との大小を比較することで、空気の清浄度合いを判定する。
【００８３】
より具体的には、判定部５２ａは、所定の判定時間に占める、ホコリセンサ６０がＬレベル信号を出力していた時間の割合として求められる算出値から、オフセット値記憶領域５１ｃに記憶されたオフセット値を差し引いて算出される値と、閾値記憶領域５１ｂに記憶された閾値との大小を比較することで、空気の清浄度合いを判定する。
【００８４】
なお、空気の清浄度合いは、第１〜第４清浄度合いＰ１〜Ｐ４の４段階に区別して判定される。４段階の清浄度合いの中では、第１清浄度合いＰ１が最も塵埃の濃度が低い空気の清浄度合いである。数字が大きくなるほど塵埃の濃度が高い空気の清浄度合いであることを意味し、第４清浄度合いＰ４が、第１〜第４清浄度合いＰ１〜Ｐ４の中で最も塵埃の濃度が高い空気の清浄度合いである。
【００８５】
判定部５２ａは、サブ機能部として、算出部５２ａａおよび比較判定部５２ａｂを有する。以下に、算出部５２ａａおよび比較判定部５２ａｂについて説明する。
【００８６】
（２−６−２−１−１）算出部
算出部５２ａａは、所定の判定時間に占める、ホコリセンサ６０がＬレベル信号を出力していた時間の割合（Ｌレベル信号割合と呼ぶ）を算出する。算出部５２ａａによるＬレベル信号割合の算出は、空気清浄機１０に電源が供給されていれば（ホコリセンサ６０が塵埃の検出を行っていれば）、空気清浄機１０が運転中でなくても実行される。
【００８７】
算出部５２ａａは、大塵埃に関するホコリセンサ６０の検出値を用いてＬレベル信号割合を算出する場合と、小塵埃に関するホコリセンサ６０の検出値を用いてＬレベル信号割合を算出する場合と、で異なる処理を行う。それぞれの場合について、算出部５２ａａの実行する具体的な処理を説明する。
【００８８】
（ａ）大塵埃に関するホコリセンサの検出値を用いたＬレベル信号割合の算出
算出部５２ａａは、大塵埃に関するホコリセンサ６０の検出値（ホコリセンサ６０の、粒径が３μｍ以上の塵埃に関する信号）を用いて、所定の判定時間（第１移動平均時間）に占める、ホコリセンサ６０のＬレベル信号の出力時間の割合（Ｌレベル信号割合）を算出する。ここで、大塵埃に関するホコリセンサ６０の検出値を用いて算出されるＬレベル信号割合を、大塵埃Ｌレベル信号割合ＲＬと呼ぶ。以下に、算出部５２ａａによる大塵埃Ｌレベル信号割合ＲＬの算出処理について、具体的に説明する。
【００８９】
制御ユニット５０は、ホコリセンサ６０から、８０μ秒毎に、粒径が３μｍ以上の塵埃に関してＨレベル信号又はＬレベル信号を受信する。
【００９０】
そして、算出部５２ａａは、１ｍ秒（１０００μ秒）毎に、制御ユニット５０が、直前の１ｍ秒に、粒径が３μｍ以上の塵埃に関してＨレベル信号を受信した回数とＬレベル信号を受信した回数とを比較する。そして、算出部５２ａａは、その１ｍ秒については、回数が多かった方のレベルの信号をホコリセンサ６０が発信したと判断する。例えば、算出部５２ａａが、直前の１ｍ秒に、Ｈレベル信号を３回、Ｌレベル信号を９回受信したとすれば、この１ｍ秒については、ホコリセンサ６０はＬレベル信号を発信したと判断する。この、算出部５２ａａにより１ｍ秒毎に実行される処理を、サンプリングと呼ぶ。
【００９１】
さらに、算出部５２ａａは、１ｍ秒毎のサンプリングの結果を用いて、５００ｍ秒（０．５秒）毎に、直前の５００ｍ秒に、ホコリセンサ６０がＬレベル信号を発信したと判断された時間の割合（以後、単位時間算出値と呼ぶ）を算出する。また、算出部５２ａａは、５００ｍ秒毎に、大塵埃Ｌレベル信号割合ＲＬとして、第１移動平均時間分の単位時間算出値を用いて移動平均値を算出する。なお、ここでは、第１移動平均時間は８秒である。具体的に説明すれば、算出部５２ａａは、８秒分の、１６個の、５００ｍ秒を単位時間とする単位時間算出値（ｅ１，ｅ２，・・・，ｅ１６）を用いて、大塵埃Ｌレベル信号割合ＲＬとして、移動平均値（ｅ１＋ｅ２＋・・・＋ｅ１６）／１６を算出する。
【００９２】
なお、算出部５２ａａは、大塵埃Ｌレベル信号割合ＲＬの算出を行う際に、第１移動平均時間に相当する数量のホコリセンサ６０の検出値が未だ取得されていない場合には、第１時間移動平均時間よりも短い時間に相当する数量のホコリセンサの検出値を用いて大塵埃Ｌレベル信号割合ＲＬを算出する。なお、第１移動平均時間に相当する数量のホコリセンサ６０の検出値が未だ取得されていない場合とは、例えば、空気清浄機１０が電源に接続された直後である場合である。例えば、第１移動平均時間に相当する数量のホコリセンサ６０の検出値が未だ取得されておらず、算出部５２ａａが、４秒分の、５００ｍ秒を単位時間とする単位時間算出値（ｅ１，ｅ２，・・・，ｅ８）しか未だ算出できていない場合には、算出部５２ａａは、残りの単位時間算出値を全て０と仮定して、移動平均値（ｅ１＋ｅ２＋・・・＋ｅ８）／１６を、大塵埃Ｌレベル信号割合ＲＬとして算出する。
【００９３】
（ｂ）小塵埃に関するホコリセンサの検出値を用いたＬレベル信号割合の算出
算出部５２ａａは、小塵埃に関するホコリセンサ６０の検出値（ホコリセンサ６０の、粒径が１μｍ以上の塵埃に関する信号、および、粒径が３μｍ以上の塵埃に関する信号）を用いて、所定の判定時間（第１移動平均時間および第２移動平均時間）に占めるホコリセンサ６０のＬレベル信号の出力時間の割合（Ｌレベル信号割合）を算出する。第１移動平均時間は、前述のように８秒であり、第２移動平均時間は、第１移動平均時間よりも長い４０秒である。ここで、小塵埃に関するホコリセンサ６０の検出値を用いて算出される、第１移動平均時間に占めるホコリセンサ６０のＬレベル信号の出力時間の割合を、第１小塵埃Ｌレベル信号割合ＲＳ１と呼ぶ。また、小塵埃に関するホコリセンサ６０の検出値を用いて算出される、第２移動平均時間に占めるホコリセンサ６０のＬレベル信号の出力時間の割合を、第２小塵埃Ｌレベル信号割合ＲＳ２と呼ぶ。
【００９４】
小塵埃は、前述のように粒径が１μｍ以上３μｍ未満の塵埃である。これに対し、ホコリセンサ６０は、粒径が１μｍ以上の塵埃に関する信号と、粒径が３μｍ以上の塵埃に関する信号とを出力する。そこで、算出部５２ａａは、以下のようにして、小塵埃に関するホコリセンサの検出値を用いたＬレベル信号割合を算出する。
【００９５】
まず、算出部５２ａａは、粒径が１μｍ以上の塵埃に関する信号を用いて、第１移動平均時間に占めるホコリセンサ６０のＬレベル信号の出力時間の割合（ｒ１１と呼ぶ）と、第２移動平均時間に占めるホコリセンサ６０のＬレベル信号の出力時間の割合（ｒ１２と呼ぶ）とを算出する。また、同時に、算出部５２ａａは、粒径が３μｍ以上の塵埃に関する信号を用いて、第１移動平均時間に占めるホコリセンサ６０のＬレベル信号の出力時間の割合（ｒ３１と呼ぶ）と、第２移動平均時間に占めるホコリセンサ６０のＬレベル信号の出力時間の割合（ｒ３２と呼ぶ）とを算出する。算出部５２ａａによる、ｒ１１の算出は、使用される信号が異なる点を除いて、上記（ａ）の大塵埃Ｌレベル信号割合ＲＬの算出処理と同様である。また、算出部５２ａａによる、ｒ１２の算出は、使用される信号および移動平均時間が異なる点を除いて、上記（ａ）の大塵埃Ｌレベル信号割合ＲＬの算出処理と同様である。算出部５２ａａによる、ｒ３２の算出は、移動平均時間が異なる点を除いて、上記（ａ）の大塵埃Ｌレベル信号割合ＲＬの算出処理と同様である。算出部５２ａａによる、ｒ３１の算出は、上記（ａ）の大塵埃Ｌレベル信号割合ＲＬの算出処理と同じである。
【００９６】
次に、算出部５２ａａは、ｒ１１からｒ３１を差し引くことで、粒径が１μｍ以上３μ未満の塵埃について、第１移動平均時間に占めるホコリセンサ６０のＬレベル信号の出力時間の割合を算出する。つまり、算出部５２ａａは、ｒ１１からｒ３１を差し引くことで、第１小塵埃Ｌレベル信号割合ＲＳ１を算出する。また、算出部５２ａａは、ｒ１２からｒ３２を差し引くことで、粒径が１μｍ以上３μ未満の塵埃について、第２移動平均時間に占めるホコリセンサ６０のＬレベル信号の出力時間の割合を算出する。つまり、算出部５２ａａは、ｒ１２からｒ３２を差し引くことで、第２小塵埃Ｌレベル信号割合ＲＳ２を算出する。
【００９７】
（２−６−２−１−２）比較判定部
比較判定部５２ａｂは、算出部５２ａａが算出したＬレベル信号割合から、オフセット値記憶領域５１ｃに記憶されたオフセット値を差し引いて算出される値と、閾値記憶領域５１ｂに記憶された閾値との大小を比較する。さらに、比較判定部５２ａｂは、比較結果に基づいて、空気の清浄度合いを判定する。比較判定部５２ａｂによる空気の清浄度合いの判定は、空気清浄機１０の運転中（ファン４０の運転中）に、５００ｍ秒間隔で実行される。
【００９８】
なお、比較判定部５２ａｂは、大塵埃に関して（大塵埃に関するホコリセンサ６０の検出値を用いて）空気の清浄度合いを判定する場合と、小塵埃に関して（小塵埃に関するホコリセンサ６０の検出値を用いて）空気の清浄度合いを判定する場合、とで異なる処理を行う。それぞれの場合について、比較判定部５２ａｂの実行する判定について説明する。
【００９９】
（ａ）大塵埃に関する空気の清浄度合いの判定
比較判定部５２ａｂは、大塵埃に関するホコリセンサ６０の検出値を用いて空気の清浄度合いを判定する場合には、判定時間を優先する第１判定処理を行う。第１判定処理は、判定時間を優先する短時間判定処理の一例である。
【０１００】
比較判定部５２ａｂは、具体的には、以下のようにして大塵埃に関する空気の清浄度合いの判定を行う。
【０１０１】
まず、比較判定部５２ａｂは、直近に算出された大塵埃Ｌレベル信号割合ＲＬから、オフセット値記憶領域５１ｃに記憶されているオフセット値を差し引く。ここで使用されるオフセット値は、オフセット値記憶領域５１ｃに記憶されている、判定部５２ａが実行する判定処理の種類が第１判定処理で、判定部５２ａが空気の清浄度合いを行う対象とする塵埃が大塵埃である場合のオフセット値である。
【０１０２】
次に、比較判定部５２ａｂは、直近に算出された大塵埃Ｌレベル信号割合ＲＬからオフセット値を差し引いた値を、閾値記憶領域５１ｂに記憶された閾値と比較する。ここで使用される閾値は、閾値記憶領域５１ｂに記憶されている大塵埃用の閾値である（図４参照）。また、ここで使用される閾値は、空気の清浄度合いが改善したことを判定する場合には改善判定用閾値１〜３（ＳＡ１１，１２，１３）であり、空気の清浄度合いが悪化したことを判定する場合には悪化判定用閾値１〜３（ＳＣ１１，１２，１３）である。
【０１０３】
なお、比較判定部５２ａｂは、後述する改善判定禁止部５２ｃが、空気の清浄度合いが改善したか否かを判定することを禁じている場合には、直近に算出された大塵埃Ｌレベル信号割合ＲＬからオフセット値を差し引いた値を、改善判定用閾値と比較する処理を行わない。
【０１０４】
比較判定部５２ａｂによる、直近に算出された大塵埃Ｌレベル信号割合ＲＬからオフセット値を差し引いた値と閾値との比較の具体的な処理、および、比較結果を用いた空気の清浄度合いの判定処理については、後述する。
【０１０５】
（ｂ）小塵埃に関する空気の清浄度合いの判定
比較判定部５２ａｂは、小塵埃に関するホコリセンサ６０の検出値を用いて空気の清浄度合いを判定する場合には、清浄度合い記憶領域５１ａに記憶されている空気の清浄度合いに応じて異なる判定処理を行う。
【０１０６】
比較判定部５２ａｂは、清浄度合い記憶領域５１ａに第１清浄度合いＰ１が記憶されている場合には、原則として判定精度よりも判定時間を優先する第１判定処理を行う。ただし、清浄度合い記憶領域５１ａに第１清浄度合いＰ１が記憶されていても、後述する第１判定処理禁止部５２ｄにより、小塵埃に関する空気の清浄度合いの判定処理として第１判定処理を実行することが禁止されている間は、比較判定部５２ａｂは、第２判定処理を空気の清浄度合いの判定として実行する。
【０１０７】
一方、比較判定部５２ａｂは、清浄度合い記憶領域５１ａに第１清浄度合いＰ１以外の清浄度合い（第２〜第４清浄度合いＰ２〜Ｐ４）が記憶されている場合には、第１判定処理よりも判定時間が長く、第１判定処理よりも判定精度に優れた第２判定処理を行う。第２判定処理は、長時間判定処理の一例である。
【０１０８】
なお、第１判定処理と第２判定処理とは、判定に使用するＬレベル信号割合が、移動平均時間が第１移動平均時間である第１小塵埃Ｌレベル信号割合ＲＳ１であるか、又は、移動平均時間が第２移動平均時間である第２小塵埃Ｌレベル信号割合ＲＳ２であるか、という点において異なる。言い換えれば、第２判定処理では、第１判定処理より多くのホコリセンサ６０の検出値が用いられる。また、第１判定処理と第２判定処理とでは、判定に使用される閾値が異なる。
【０１０９】
比較判定部５２ａｂは、具体的には、以下のようにして小塵埃に関する空気の清浄度合いの判定を行う。
【０１１０】
比較判定部５２ａｂは、第１判定処理を行う場合には、直近に算出された第１小塵埃Ｌレベル信号割合ＲＳ１から、オフセット値記憶領域５１ｃに記憶されたオフセット値を差し引く。ここで使用されるオフセット値は、オフセット値記憶領域５１ｃに記憶されている、判定部５２ａが実行する判定処理の種類が第１判定処理で、判定部５２ａが空気の清浄度合いを行う対象とする塵埃が小塵埃である場合のオフセット値である。
【０１１１】
次に、比較判定部５２ａｂは、直近に算出された第１小塵埃Ｌレベル信号割合ＲＳ１からからオフセット値を差し引いた値を、閾値記憶領域５１ｂに記憶された、小塵埃用かつ第１判定処理用の閾値と比較する。なお、比較判定部５２ａｂが、小塵埃に関する空気の清浄度合いとして第１判定処理を実行するのは、上記のように、清浄度合い記憶領域５１ａに第１清浄度合いＰ１が記憶されている時である。そのため、比較判定部５２ａｂが、空気の清浄度合いが改善したと判定することがない。そこで、比較判定部５２ａｂは、直近に算出された第１小塵埃Ｌレベル信号割合ＲＳ１からからオフセット値を差し引いた値を、悪化判定用閾値１〜３（ＳＤ１１，１２，１３）と比較する（図４（ｂ）参照）。
【０１１２】
比較判定部５２ａｂによる、直近に算出された第１小塵埃Ｌレベル信号割合ＲＳ１からからオフセット値を差し引いた値と閾値との比較の具体的な処理、および、比較結果を用いた空気の清浄度合いの判定処理については、後述する。
【０１１３】
比較判定部５２ａｂが第２判定処理を行う場合には、比較判定部５２ａｂは、直近に算出された第２小塵埃Ｌレベル信号割合ＲＳ２から、オフセット値記憶領域５１ｃに記憶されたオフセット値を差し引く。ここで使用されるオフセット値は、オフセット値記憶領域５１ｃに記憶されている、判定部５２ａが実行する判定処理の種類が第２判定処理で、判定部５２ａが空気の清浄度合いを行う対象とする塵埃が小塵埃である場合のオフセット値である。
【０１１４】
次に、比較判定部５２ａｂは、直近に算出された第２小塵埃Ｌレベル信号割合ＲＳ２からからオフセット値を差し引いた値を、閾値記憶領域５１ｂに記憶された、小塵埃用かつ第２判定処理用の閾値と比較する。ここで使用される閾値は、比較判定部５２ａｂが閾値を呼び出すときのファン４０の回転数Ｎが基準値Ｎｂ未満か、基準値Ｎｂ以上かによって異なる（図５参照）。また、ここで使用される閾値は、空気の清浄度合いが改善したことを判定する場合には改善判定用閾値１〜３（ＬＢ１１，１２，１３，２１，２２，２３）であり、空気の清浄度合いが悪化したことを判定する場合には悪化判定用閾値１〜３（ＬＤ１１，１２，１３，２１，２２，２３）である。
【０１１５】
なお、比較判定部５２ａｂは、後述する改善判定禁止部５２ｃが、空気の清浄度合いが改善したか否かを判定することを禁じている場合には、直近に算出された第２小塵埃Ｌレベル信号割合ＲＳ２からオフセット値を差し引いた値を、改善判定用閾値と比較する処理を行わない。
【０１１６】
比較判定部５２ａｂによる、直近に算出された第２小塵埃Ｌレベル信号割合ＲＳ２からからオフセット値を差し引いた値と閾値との比較の具体的な処理、および、比較結果を用いた空気の清浄度合いの判定処理については、後述する。
【０１１７】
（２−６−２−２）書込部
書込部５２ｂは、判定部５２ａの判定結果を、記憶部５１の清浄度合い記憶領域５１ａに更新して書き込む。小塵埃に関する空気の清浄度合い、および、大塵埃に関する空気の清浄度合い、が判定部５２ａにより判定された時に、書込部５２ｂが、どのように、判定部５２ａの判定結果を清浄度合い記憶領域５１ａに更新して書き込むかについては後述する。
【０１１８】
（２−６−２−３）改善判定禁止部
改善判定禁止部５２ｃは、記憶部５１の清浄度合い記憶領域５１ａへの書き込みを禁止する書込禁止部の一例である。
【０１１９】
改善判定禁止部５２ｃは、清浄度合い記憶領域５１ａに記憶された空気の清浄度合いが書き換えられた場合、所定期間（例えば、清浄度合い記憶領域５１ａに記憶された空気の清浄度合いが書き換えられた時点から６０秒間）、判定部５２ａが、空気の清浄度合いが改善したか否かを判定することを禁止する。そのため、清浄度合い記憶領域５１ａに、判定部５２ａの判定結果として第２〜第４清浄度合いＰ２〜Ｐ４が書き込まれた場合、所定期間、判定部５２ａは空気の清浄度合いが第１清浄度合いＰ１であると判定することがない。その結果、清浄度合い記憶領域５１ａに、判定部５２ａの判定結果として第２〜第４清浄度合いＰ２〜Ｐ４が書き込まれた場合に、書込部５２ｂにより、判定部５２ａの判定結果として、第１清浄度合いＰ１が清浄度合い記憶領域５１ａに書き込まれることが、所定期間、禁止される。
【０１２０】
（２−６−２−４）第１判定処理禁止部
第１判定処理禁止部５２ｄは、判定部５２ａが小塵埃に関する空気の清浄度合いの判定処理として、第１判定処理を実行することを禁止する。第１判定処理禁止部５２ｄは、清浄度合い記憶領域５１ａに、判定部５２ａの判定結果として第１清浄度合いＰ１が更新して書き込まれた場合（リセット時に初期設定として第１清浄度合いＰ１が書き込まれる場合を除く）に、所定期間（例えば、清浄度合い記憶領域５１ａに記憶された空気の清浄度合いが書き換えられた時点から２０分間）、判定部５２ａが、小塵埃に関する空気の清浄度合いの判定処理として第１判定処理を実行することを禁止する。第１判定処理禁止部５２ｄが、判定部５２ａが小塵埃に関する空気の清浄度合いの判定処理として第１判定処理を実行することを禁止している場合には、判定部５２ａは、清浄度合い記憶領域５１ａに第１清浄度合いＰ１が記憶されていても、小塵埃に関する空気の清浄度合いの判定処理として第２判定処理を実行する。
【０１２１】
（２−６−２−５）ファン制御部
ファン制御部５２ｅは、記憶部５１の清浄度合い記憶領域５１ａに記憶された判定部５２ａの判定結果に基づいて、ファン４０の回転数を制御する。具体的には、ファン制御部５２ｅは、記憶されている空気の清浄度合いが低いほど回転数が大きくなるようにファン４０を制御する。例えば、ファン制御部５２ｅは、清浄度合い記憶領域５１ａに判定部５２ａの判定結果として、第２〜第４清浄度合いＰ２〜Ｐ４が記憶されている場合の回転数が、清浄度合い記憶領域５１ａに判定部５２ａの判定結果として、第１清浄度合いＰ１が記憶されている場合の回転数よりも大きくなるように、ファン４０を制御する。より詳細にいえば、ファン制御部５２ｅは、清浄度合い記憶領域５１ａに、第１〜第４清浄度合いＰ１〜Ｐ４が記憶されている場合に、ファン４０の回転数を、それぞれＭ１〜Ｍ４に制御する。Ｍ１〜Ｍ４には、Ｍ１＜Ｍ２＜Ｍ３＜Ｍ４という関係がある。つまり、ファン制御部５２ｅは、塵埃の濃度が高い空気の清浄度合いほど（空気の清浄度合いが低いほど）、ファン４０の回転数が大きくなるように、ファン４０を制御する。
【０１２２】
（２−６−２−６）オフセット値更新部
オフセット値更新部５２ｆは、記憶部５１のオフセット値記憶領域５１ｃに記憶されるオフセット値を算出して更新する。
【０１２３】
オフセット値更新部５２ｆは、以下の３種類の条件別に、オフセット値を算出し、オフセット値記憶領域５１ｃに記憶されるオフセット値を更新する。１つ目の条件は、判定部５２ａが実行する判定処理の種類が第１判定処理で、判定部５２ａが空気の清浄度合いを行う対象とする塵埃が大塵埃である場合である。２つ目の条件は、判定部５２ａが実行する判定処理の種類が第１判定処理で、判定部５２ａが空気の清浄度合いを行う対象とする塵埃が小塵埃である場合である。３つ目の条件は、判定部５２ａが実行する判定処理の種類が第２判定処理で、判定部５２ａが空気の清浄度合いを行う対象とする塵埃が小塵埃である場合である。
【０１２４】
判定部５２ａが実行する判定処理の種類が第２判定処理で、判定部５２ａが空気の清浄度合いを行う対象とする塵埃が小塵埃であるという条件についてオフセット値更新部５２ｆが実行する、オフセット値の算出および更新処理について、図７を用いて説明する。なお、他の条件についてのオフセット値の更新処理は、ここで説明する更新処理と同様であるので、説明は省略する。
【０１２５】
図７は、第２小塵埃Ｌレベル信号割合ＲＳ２の時間変化を示したグラフである。図７では、横軸は時間を、縦軸はＬレベル信号割合の値を示している。さらに、図７に太線で示した線は、オフセット値更新部５２ｆが算出した、判定部５２ａが実行する判定処理の種類が第２判定処理で、判定部５２ａが空気の清浄度合いを行う対象とする塵埃が小塵埃であるという条件についてのオフセット値の時間変化を表す。
【０１２６】
図７では、時間が０の時点は、空気清浄機１０が電源に接続された時点を示している。オフセット値は、空気清浄機１０が電源から外され、電気が供給されなくなると０にリセットされる。そのため、図７の時間が０の時点では、オフセット値は０である。オフセット値更新部５２ｆは、空気清浄機１０が電源に接続されてから所定のデータ更新基本時間Ｔｒ（例えば６０分間）、オフセット値の更新処理を行わない。
【０１２７】
オフセット値更新部５２ｆは、空気清浄機１０が電源に接続されてからデータ更新基本時間Ｔｒが経過すると、次のようにしてオフセット値を算出し、オフセット値記憶領域５１ｃに記憶されるオフセット値を更新する。
【０１２８】
オフセット値更新部５２ｆは、空気清浄機１０が電源に接続されてからデータ更新基本時間Ｔｒが経過するまでの間に、０．５秒間隔で算出された第２小塵埃Ｌレベル信号割合ＲＳ２の中で、最小の値をオフセット値として算出する。そして、オフセット値更新部５２ｆは、オフセット値記憶領域５１ｃに記憶されている、判定部５２ａが実行する判定処理の種類が第２判定処理で、判定部５２ａが空気の清浄度合いを行う対象とする塵埃が小塵埃であるという条件についてのオフセット値を、算出したオフセット値に更新する。
【０１２９】
この後は、オフセット値更新部５２ｆは、以下の２つのルールに従って、オフセット値記憶領域５１ｃに記憶されている、判定部５２ａが実行する判定処理の種類が第２判定処理で、判定部５２ａが空気の清浄度合いを行う対象とする塵埃が小塵埃であるという条件についてのオフセット値の更新を行う。
【０１３０】
１）０．５秒間隔で算出される第２小塵埃Ｌレベル信号割合ＲＳ２が、オフセット値記憶領域５１ｃに記憶されているオフセット値を下回った場合には、オフセット値更新部５２ｆは、オフセット値記憶領域５１ｃに記憶されているオフセット値を、直ちに、その第２小塵埃Ｌレベル信号割合ＲＳ２に更新する。
【０１３１】
２）オフセット値を最後に更新してからデータ更新基本時間Ｔｒが経過した場合、オフセット値更新部５２ｆは、以下のようにしてオフセット値の更新を行う。なお、オフセット値を最後に更新してからデータ更新基本時間Ｔｒが経過した場合とは、オフセット値を最後に更新してからデータ更新基本時間Ｔｒが経過するまでの間に、０．５秒間隔で算出される第２小塵埃Ｌレベル信号割合ＲＳ２が、オフセット値記憶領域５１ｃに記憶されているオフセット値を下回ることがなかった場合である。オフセット値更新部５２ｆは、オフセット値を最後に更新してからからデータ更新基本時間Ｔｒが経過するまでの間に、０．５秒間隔で算出された第２小塵埃Ｌレベル信号割合ＲＳ２の中で、最小の値をオフセット値として算出する。そして、オフセット値更新部５２ｆは、オフセット値記憶領域５１ｃに記憶されているオフセット値を、算出されたオフセット値に更新する。
【０１３２】
（３）判定部による空気の清浄度合いの判定
以下に、判定部５２ａによる、空気の清浄度合いの判定について、図８および図９Ａ〜Ｃのフローチャートを用いて説明する。
【０１３３】
判定部５２ａは、大塵埃に関するホコリセンサ６０の検出値を用いて空気の清浄度合いを判定する場合と、小塵埃に関するホコリセンサ６０の検出値を用いて空気の清浄度合いを判定する場合と、で、空気の清浄度合いの判定の方法が異なる。大塵埃に関するホコリセンサ６０の検出値を用いて空気の清浄度合いを判定する場合について、図８のフローチャートを用いて、小塵埃に関するホコリセンサ６０の検出値を用いて空気の清浄度合いを判定する場合について、図９Ａ〜Ｃのフローチャートを用いて説明する。なお、判定部５２ａは、大塵埃に関する判定と、小塵埃に関する判定とを並行して実行する。
【０１３４】
（３−１）大塵埃に関するホコリセンサの検出値を用いた空気の清浄度合いの判定
ホコリセンサ６０は、空気清浄機１０が電源に接続されると、空気清浄機１０が運転を開始していなくても（ファン４０が運転されていなくても）塵埃の検出を行い、８０μ秒毎にＨレベル信号又はＬレベル信号を制御ユニット５０に対して出力する。
【０１３５】
判定部５２ａの算出部５２ａａは、上記のように、１ｍ秒（１０００μ秒）毎に、サンプリングを行う（ステップＳ１１）。つまり、算出部５２ａａは、１ｍ秒毎に、制御ユニット５０が、直前の１ｍ秒に、粒径が３μｍ以上の塵埃に関してＨレベル信号を受信した回数とＬレベル信号を受信した回数とを比較する。そして、算出部５２ａａは、その１ｍ秒については、回数が多かった方のレベルの信号をホコリセンサ６０が発信したと判断する。
【０１３６】
次に、ステップＳ１２では、算出部５２ａａは、上記のようにして、１ｍ秒毎のサンプリング結果を用いて、５００ｍ秒（０．５秒）毎に、大塵埃Ｌレベル信号割合ＲＬを算出する。その後ステップＳ１３に進む。
【０１３７】
ステップＳ１３では、現在、空気清浄機１０が運転中であるか否かが判定される。なお、空気清浄機１０が運転中とは、ユーザによる空気清浄機１０の運転指令が操作部５５に入力され、ファン４０が回転している状態である。空気清浄機１０が運転中でなければ、空気の清浄度合いの判定は行われないため、ステップＳ１１に戻る。一方、空気清浄機１０が運転中であれば、ステップＳ１４に進む。
【０１３８】
ステップＳ１４では、比較判定部５２ａｂは、大塵埃Ｌレベル信号割合ＲＬから、この時点でオフセット値記憶領域５１ｃに記憶されている、判定部５２ａが実行する判定処理の種類が第１判定処理で、判定部５２ａが空気の清浄度合いを行う対象とする塵埃が大塵埃である場合のオフセット値を差し引く。そして、比較判定部５２ａｂは、大塵埃Ｌレベル信号割合ＲＬからオフセット値を差し引いた値と、閾値記憶領域５１ｂに記憶された、大塵埃用の悪化判定用閾値１〜３（ＳＣ１１，１２，１３、図４（ｂ）参照）と、の大小を比較することで、空気の清浄度合いを判定する。
【０１３９】
具体的には、比較判定部５２ａｂは、大塵埃Ｌレベル信号割合ＲＬからオフセット値を差し引いた値と、悪化判定用閾値１〜３とを比較し、大塵埃Ｌレベル信号割合ＲＬからオフセット値を差し引いた値が、ａ）悪化判定用閾値１未満、ｂ）悪化判定用閾値１以上悪化判定用閾値２未満、ｃ）悪化判定用閾値２以上悪化判定用閾値３未満、ｄ）悪化判定用閾値３以上のいずれに分類されるかを判断する。そして、比較判定部５２ａｂは、判断結果に対応する１の空気の清浄度合いを決定する。なお、上記のａ）〜ｄ）の条件は、それぞれ、空気の清浄度合いＰ１〜Ｐ４と対応している。その後、ステップＳ１５に進む。
【０１４０】
ステップＳ１５では、比較判定部５２ａｂが、清浄度合い記憶領域５１ａを参照して、ステップＳ１４で判定された１の空気の清浄度合いが、現在、清浄度合い記憶領域５１ａに記憶されている空気の清浄度合いより悪化しているか否かを判断する。悪化していると判断された場合には、比較判定部５２ａｂは、ステップＳ１４で判定された空気の清浄度合いを、大塵埃に関するホコリセンサ６０の検出値を用いた空気の清浄度合いの判定結果として決定する。その後、清浄度合い記憶領域５１ａに記憶されている空気の清浄度合いの更新処理（図１０参照）に進む。
【０１４１】
比較判定部５２ａｂが、ステップＳ１５で、ステップＳ１４で判定された１の空気の清浄度合いが、現在、清浄度合い記憶領域５１ａに記憶されている空気の清浄度合いと同一、又は、清浄度合い記憶領域５１ａに記憶されている空気の清浄度合いよりも塵埃の濃度の低い空気の清浄度合いであると判断した場合には、ステップＳ１６に進む。
【０１４２】
ステップＳ１６では、改善判定禁止部５２ｃにより改善判定が禁止されているか否かが判断される。つまり、ステップＳ１６では、清浄度合い記憶領域５１ａに記憶されている空気の清浄度合いが更新されてから、所定時間経過したか否かが判断される。改善判定が禁止されている場合には、ステップＳ１９に進む。改善判定が禁止されていなければ、ステップＳ１７に進む。
【０１４３】
ステップＳ１７では、比較判定部５２ａｂは、大塵埃Ｌレベル信号割合ＲＬから、この時点でオフセット値記憶領域５１ｃに記憶されている、判定部５２ａが実行する判定処理の種類が第１判定処理で、判定部５２ａが空気の清浄度合いを行う対象とする塵埃が大塵埃である場合のオフセット値を差し引く。そして、比較判定部５２ａｂは、大塵埃Ｌレベル信号割合ＲＬからオフセット値を差し引いた値と、閾値記憶領域５１ｂに記憶された、大塵埃用の改善判定用閾値１〜３（ＳＡ１１，１２，１３、図４（ａ）参照）と、の大小を比較することで、空気の清浄度合いを判定する。
【０１４４】
具体的には、比較判定部５２ａｂは、大塵埃Ｌレベル信号割合ＲＬからオフセット値を差し引いた値と、改善判定用閾値１〜３とを比較し、大塵埃Ｌレベル信号割合ＲＬからオフセット値を差し引いた値が、ａ）改善判定用閾値１未満、ｂ）改善判定用閾値１以上改善判定用閾値２未満、ｃ）改善判定用閾値２以上改善判定用閾値３未満、ｄ）改善判定用閾値３以上のいずれに分類されるかを判断する。そして、比較判定部５２ａｂは、判断結果に対応する１の空気の清浄度合いを決定する。なお、上記のａ）〜ｄ）の条件は、それぞれ、空気の清浄度合いＰ１〜Ｐ４と対応している。その後、ステップＳ１８に進む。
【０１４５】
ステップＳ１８では、比較判定部５２ａｂが、清浄度合い記憶領域５１ａを参照して、ステップＳ１７で判定された１の空気の清浄度合いが、現在、清浄度合い記憶領域５１ａに記憶されている空気の清浄度合いより改善しているか否かを判断する。改善していると判断された場合には、比較判定部５２ａｂは、ステップＳ１７で判定された空気の清浄度合いを、大塵埃に関するホコリセンサ６０の検出値を用いた空気の清浄度合いの判定結果として決定する。その後、清浄度合い記憶領域５１ａに記憶されている空気の清浄度合いの更新処理（図１０参照）に進む。
【０１４６】
比較判定部５２ａｂが、ステップＳ１８で、ステップＳ１７で判定された１の空気の清浄度合いが、現在、清浄度合い記憶領域５１ａに記憶されている空気の清浄度合いと同一、又は、清浄度合い記憶領域５１ａに記憶されている空気の清浄度合いよりも塵埃の濃度の高い空気の清浄度合いであると判断した場合には、ステップＳ１９に進む。
【０１４７】
ステップＳ１９では、比較判定部５２ａｂは、現在、清浄度合い記憶領域５１ａに記憶されている空気の清浄度合いを、大塵埃に関するホコリセンサ６０の検出値を用いた空気の清浄度合いの判定結果として決定する。その後、清浄度合い記憶領域５１ａに記憶されている空気の清浄度合いの更新処理（図１０参照）に進む。
【０１４８】
（３−２）小塵埃に関するホコリセンサの検出値を用いた空気の清浄度合いの判定
ホコリセンサ６０は、空気清浄機１０が電源に接続されると、空気清浄機１０が運転を開始していなくても塵埃の検出を行い、８０μ秒毎にＨレベル信号又はＬレベル信号を制御ユニット５０に対して出力する。
【０１４９】
算出部５２ａａは、上記のように、１ｍ秒（１０００μ秒）毎にサンプリングを行う（ステップＳ２１）。具体的には、算出部５２ａａは、１ｍ秒毎に、制御ユニット５０が、直前の１ｍ秒に、粒径が３μｍ以上の塵埃に関してＨレベル信号を受信した回数とＬレベル信号を受信した回数とを比較する。そして、算出部５２ａａは、その１ｍ秒については、回数が多かった方のレベルの信号を、粒径が３μｍ以上の塵埃に関してホコリセンサ６０が発信したと判断する。また、算出部５２ａａは、１ｍ秒毎に、制御ユニット５０が、直前の１ｍ秒に、粒径が１μｍ以上の塵埃に関してＨレベル信号を受信した回数とＬレベル信号を受信した回数とを比較する。そして、算出部５２ａａは、その１ｍ秒については、回数が多かった方のレベルの信号を、粒径が１μｍ以上の塵埃に関してホコリセンサ６０が発信したと判断する。
【０１５０】
次に、ステップＳ２２では、算出部５２ａａは、上記のようにして、１ｍ秒毎のサンプリング結果を用いて、５００ｍ秒（０．５秒）毎に、第１小塵埃Ｌレベル信号割合ＲＳ１（第１移動平均時間に占めるホコリセンサ６０のＬレベル信号の出力時間の割合）と、第２小塵埃Ｌレベル信号割合ＲＳ２（第２移動平均時間に占めるホコリセンサ６０のＬレベル信号の出力時間の割合）と、を算出する。その後ステップＳ２３に進む。
【０１５１】
ステップＳ２３では、現在、空気清浄機１０が運転中であるか否かが判定される。空気清浄機１０が運転中でなければ、空気の清浄度合いの判定は行われないため、ステップＳ２１に戻る。一方、空気清浄機１０が運転中であれば、ステップＳ２４に進む。
【０１５２】
ステップＳ２４では、比較判定部５２ａｂが、ファン制御部５２ｅにより制御されているファン４０の回転数を把握する。その後ステップＳ２５に進む。
【０１５３】
ステップＳ２５では、比較判定部５２ａｂが、清浄度合い記憶領域５１ａに記憶されている、現在の空気の清浄度合いを把握する。その後ステップＳ２６に進む。
【０１５４】
ステップＳ２６では、比較判定部５２ａｂが、清浄度合い記憶領域５１ａに記憶されている現在の空気の清浄度合いが、第１清浄度合いＰ１であるか否かを判定する。清浄度合いが第１清浄度合いＰ１であると判定された場合にはステップＳ２１１に、清浄度合いが第１清浄度合いＰ１以外であると判定された場合にはステップＳ２２１に進む。
【０１５５】
ステップＳ２１１では、第１判定処理禁止部５２ｄにより、小塵埃に関する空気の清浄度合いの判定処理として、第１判定処理が禁止されているか否かが判定される。言い換えれば、ステップＳ２１１では、清浄度合い記憶領域５１ａに空気の清浄度合いとして第１清浄度合いＰ１が更新して書き込まれてから、所定期間が経過したか否かが判定される。小塵埃に関する空気の清浄度合いの判定処理として、第１判定処理が禁止されている場合には、ステップＳ２２１に進む。第１判定処理が禁止していなければ、ステップＳ２１２に進む。
【０１５６】
ステップＳ２１２では、比較判定部５２ａｂは、第１小塵埃Ｌレベル信号割合ＲＳ１から、この時点でオフセット値記憶領域５１ｃに記憶されている、判定部５２ａが実行する判定処理の種類が第１判定処理で、判定部５２ａが空気の清浄度合いを行う対象とする塵埃が小塵埃である場合のオフセット値を差し引く。そして、比較判定部５２ａｂは、第１小塵埃Ｌレベル信号割合ＲＳ１からオフセット値を差し引いた値と、閾値記憶領域５１ｂに記憶された、小塵埃用の悪化判定用閾値１〜３（ＳＤ１１，１２，１３、図４（ｂ）参照）と、の大小を比較することで、空気の清浄度合いを判定する。比較判定部５２ａｂが実行する内容は、使用される値が異なる点を除いて前述のステップＳ１４と同様であるので、ここでは説明を省略する。ステップＳ２１２が終了するとステップＳ２１３に進む。
【０１５７】
ステップＳ２１３では、比較判定部５２ａｂが、ステップＳ２１２で判定された１の空気の清浄度合いが、ステップＳ２５で把握された、清浄度合い記憶領域５１ａに記憶されている現在の空気の清浄度合い（すなわち、第１清浄度合いＰ１）より悪化しているか否かを判断する。悪化していると判断された場合には、比較判定部５２ａｂは、ステップＳ２１２で判定された空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１５８】
比較判定部５２ａｂが、ステップＳ２１３で、ステップＳ２１２で判定された１の空気の清浄度合いが、現在、清浄度合い記憶領域５１ａに記憶されている空気の清浄度合いと同一である（第１清浄度合いＰ１である）と判断した場合には、ステップＳ２１４に進む。
【０１５９】
ステップＳ２１４では、比較判定部５２ａｂが、現在、清浄度合い記憶領域５１ａに記憶されている空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１６０】
ステップＳ２２１では、ステップＳ２４で把握されたファンの回転数が、基準値Ｎｂ未満か否かが判断される。ステップＳ２４で把握されたファンの回転数が、基準値Ｎｂ未満の場合にはステップＳ２２２に進む。一方、ステップＳ２４で把握されたファンの回転数が、基準値Ｎｂ以上の場合にはステップＳ２３２に進む。
【０１６１】
ステップＳ２２２では、比較判定部５２ａｂは、第２小塵埃Ｌレベル信号割合ＲＳ２から、この時点でオフセット値記憶領域５１ｃに記憶されている、判定部５２ａが実行する判定処理の種類が第２判定処理で、判定部５２ａが空気の清浄度合いを行う対象とする塵埃が小塵埃である場合のオフセット値を差し引く。そして、比較判定部５２ａｂは、第２小塵埃Ｌレベル信号割合ＲＳ２からオフセット値を差し引いた値と、閾値記憶領域５１ｂに記憶された、小塵埃用、かつ、ファン４０の回転数が基準値Ｎｂ未満用の悪化判定用閾値１〜３（ＬＤ１１，１２，１３、図５（ｃ）参照）と、の大小を比較することで、空気の清浄度合いを判定する。比較判定部５２ａｂが実行する内容は、使用される値が異なる点を除いて前述のステップＳ１４と同様であるので、ここでは説明を省略する。ステップＳ２２２が終了するとステップＳ２２３に進む。
【０１６２】
ステップＳ２２３では、比較判定部５２ａｂが、ステップＳ２５で把握した空気の清浄度合いを用いて、ステップＳ２２２で判定された１の空気の清浄度合いが、現在、清浄度合い記憶領域５１ａに記憶されている空気の清浄度合いより悪化しているか否かを判断する。悪化していると判断された場合には、比較判定部５２ａｂは、ステップＳ２２２で判定された空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１６３】
比較判定部５２ａｂが、ステップＳ２２３で、ステップＳ２２２で判定された１の空気の清浄度合いが、現在、清浄度合い記憶領域５１ａに記憶されている空気の清浄度合いと同一、又は、清浄度合い記憶領域５１ａに記憶されている空気の清浄度合いよりも塵埃の濃度の低い空気の清浄度合いであると判断した場合には、ステップＳ２２４に進む。
【０１６４】
ステップＳ２２４では、改善判定禁止部５２ｃにより改善判定が禁止されているか否かが判断される。つまり、ステップＳ２２４では、清浄度合い記憶領域５１ａに記憶されている空気の清浄度合いが更新されてから、所定時間経過したか否かが判定される。改善判定が禁止されている場合には、ステップＳ２２７に進む。改善判定が禁止されていなければ、ステップＳ２２５に進む。
【０１６５】
ステップＳ２２５では、比較判定部５２ａｂは、第２小塵埃Ｌレベル信号割合ＲＳ２から、この時点でオフセット値記憶領域５１ｃに記憶されている、判定部５２ａが実行する判定処理の種類が第２判定処理で、判定部５２ａが空気の清浄度合いを行う対象とする塵埃が小塵埃である場合のオフセット値を差し引く。そして、比較判定部５２ａｂは、第２小塵埃Ｌレベル信号割合ＲＳ２からオフセット値を差し引いた値と、閾値記憶領域５１ｂに記憶された、小塵埃用、かつ、ファン４０の回転数が基準値Ｎｂ未満用の改善判定用閾値１〜３（ＬＢ１１，１２，１３、図５（ａ）参照）と、の大小を比較することで、空気の清浄度合いを判定する。比較判定部５２ａｂが実行する内容は、使用される値が異なる点を除いて前述のステップＳ１７と同様であるので、ここでは説明を省略する。ステップＳ２２５が終了するとステップＳ２２６に進む。
【０１６６】
ステップＳ２２６では、比較判定部５２ａｂが、ステップＳ２５で把握した空気の清浄度合いを用いて、ステップＳ２２５で判定された１の空気の清浄度合いが、現在、清浄度合い記憶領域５１ａに記憶されている空気の清浄度合いより改善しているか否かを判断する。改善していると判断された場合には、比較判定部５２ａｂは、ステップＳ２２５で判定された空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１６７】
比較判定部５２ａｂが、ステップＳ２２６で、ステップＳ２２５で判定された１の空気の清浄度合いが、現在、清浄度合い記憶領域５１ａに記憶されている空気の清浄度合いと同一、又は、清浄度合い記憶領域５１ａに記憶されている空気の清浄度合いよりも塵埃の濃度の高い空気の清浄度合いであると判断した場合には、ステップＳ２２７に進む。
【０１６８】
ステップＳ２２７では、比較判定部５２ａｂが、現在、清浄度合い記憶領域５１ａに記憶されている空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１６９】
ステップＳ２３２からステップＳ２３７の処理は、ステップＳ２２２からステップＳ２３７の処理と同様である。ただし、ステップＳ２３２では、ステップＳ２２２とは異なり、閾値として、閾値記憶領域５１ｂに記憶された、小塵埃用、かつ、ファン４０の回転数が基準値Ｎｂ以上用の悪化判定用閾値１〜３（ＬＤ２１，２２，２３、図５（ｄ）参照）が用いられる。また、ステップＳ２３５では、ステップＳ２２５と異なり、閾値として、閾値記憶領域５１ｂに記憶された、小塵埃用、かつ、ファン４０の回転数が基準値Ｎｂ以上用の改善判定用閾値１〜３（ＬＢ２１，２２，２３、図５（ｂ）参照）が用いられる。ステップＳ２３２からステップＳ２３７の処理の説明は省略する。
【０１７０】
（４）清浄度合い記憶領域に記憶されている空気の清浄度合いの更新処理
清浄度合い記憶領域５１ａに記憶されている空気の清浄度合いの、書込部５２ｂによる更新処理と、この更新処理に関連する改善判定禁止部５２ｃおよび第１判定処理禁止部５２ｄの処理について、図１０のフローチャートを用いて説明する。
【０１７１】
ステップＳ３１では、書込部５２ｂは、清浄度合い記憶領域５１ａに現在記憶されている空気の清浄度合いを把握する。
【０１７２】
ステップＳ３２では、書込部５２ｂは、大塵埃に関するホコリセンサ６０の検出値を用いた空気の清浄度合いの判定結果と、小塵埃に関するホコリセンサ６０の検出値を用いた空気の清浄度合いの判定結果とのうち、塵埃の濃度の高い方の空気の清浄度合いを、清浄度合い記憶領域５１ａに現在記憶されている空気の清浄度合いと比較するための空気の清浄度合いとして特定する。両判定結果とも、判定された空気の清浄度合いが同一である場合には、その空気の清浄度合いを、清浄度合い記憶領域５１ａに現在記憶されている空気の清浄度合いと比較するための空気の清浄度合いとして特定する。そして、書込部５２ｂは、特定した空気の清浄度合いと、清浄度合い記憶領域５１ａに現在記憶されている空気の清浄度合いと、を比較し、両者が同一であるかを判断する。同一であると判断された場合には、更新処理を終了し、再び空気の清浄度合いの判定（図８のステップＳ１１および図９ＡのステップＳ２１）へと戻る。同一でないと判断された場合には、ステップＳ３３へ進む。
【０１７３】
ステップＳ３３では、書込部５２ｂが、大塵埃に関するホコリセンサ６０の検出値を用いた空気の清浄度合いの判定結果と、小塵埃に関するホコリセンサ６０の検出値を用いた空気の清浄度合いの判定結果とのうち、塵埃の濃度の高い方の空気の清浄度合いを、清浄度合い記憶領域５１ａに、判定部５２ａの判定結果として更新して書き込む。その後ステップＳ３４へと進む。
【０１７４】
ステップＳ３４では、改善判定禁止部５２ｃが、改善判定を禁止する。つまり、改善判定禁止部５２ｃは、判定部５２ａが空気の清浄度合いが改善したか否かの判定することを禁止する。改善判定禁止部５２ｃは、所定期間、改善判定を禁止するためのタイマのカウントを開始する。その後ステップＳ３５へと進む。
【０１７５】
ステップＳ３５では、書込部５２ｂが、ステップＳ３３で清浄度合い記憶領域５１ａに書き込んだ空気の清浄度合いが、第１清浄度合いＰ１であるか否かが判定される。書込部５２ｂが清浄度合い記憶領域５１ａに書き込んだ空気の清浄度合いが第１清浄度合いＰ１である場合には、ステップＳ３６に進む。書込部５２ｂが清浄度合い記憶領域５１ａに書き込んだ空気の清浄度合いが第１清浄度合いＰ１以外である場合には、再び空気の清浄度合いの判定（図８のステップＳ１１および図９ＡのステップＳ２１）へと戻る。
【０１７６】
ステップＳ３６では、第１判定処理禁止部５２ｄが、判定部５２ａが、小塵埃に関する空気の清浄度合いの判定処理として、第１判定処理を実行することを禁止する。また、第１判定処理禁止部５２ｄは、所定期間、小塵埃に関する空気の清浄度合いの判定処理として、第１判定処理を実行することを禁止するためのタイマのカウントを開始する。その後再び空気の清浄度合いの判定（図８のステップＳ１１および図９ＡのステップＳ２１）へと戻る。
【０１７７】
（５）特徴
（５−１）
本実施形態に係る空気清浄機１０は、回転数可変のファン４０と、ホコリセンサ６０と、判定部５２ａと、記憶部５１と、ファン制御部５２ｅと、を備える。ファン４０は、空気清浄用フィルタの一例としてのＨＥＰＡフィルタ２２に空気が通るように空気流れを生成する。ホコリセンサ６０は、粒径が小さい小塵埃と、小塵埃よりも粒径が大きな大塵埃とを区別可能に空気中の塵埃を検出する。判定部５２ａは、ホコリセンサ６０の検出値（ホコリセンサ６０の出力信号）を用いて、空気の清浄度合いを判定する。記憶部５１の清浄度合い記憶領域５１ａには、判定部５２ａの判定結果が更新して書き込まれて記憶される。ファン制御部５２ｅは、清浄度合い記憶領域５１ａに記憶された判定結果に基づいて、ファン４０の回転数を制御する。判定部５２ａは、大塵埃に関するホコリセンサ６０の出力信号を用いて空気の清浄度合いを判定する場合には、判定時間を優先する第１判定処理を、空気の清浄度合いの判定として実行する。第１判定処理は、短時間判定処理の一例である。判定部５２ａは、小塵埃に関するホコリセンサ６０の出力信号を用いて空気の清浄度合いを判定する場合には、第１判定処理よりも判定時間が長い、判定精度を優先する第２判定処理を、空気の清浄度合いの判定として実行する。より具体的には、判定部５２ａは、小塵埃に関するホコリセンサ６０の出力信号を用いて空気の清浄度合いを判定する場合であって、清浄度合い記憶領域５１ａに第１清浄度合いＰ１以外が記憶されている場合に、第１判定処理よりも判定時間が長い、判定精度を優先する第２判定処理を、空気の清浄度合いの判定として実行する。第２判定処理は、長時間判定処理の一例である。
【０１７８】
ここでは、大塵埃に関する空気の清浄度合いの判定として、判定時間優先の（判定時間の短い）第１判定処理が実行される。そのため、浮遊時間の比較的短い大塵埃に関しては、空気の清浄度合いが速やかに判定され、空気の清浄度合いが悪化した場合には、直ちに大塵埃を除去するようにファン４０の風量が適切に制御される。一方、小塵埃に関しては判定精度優先の（判定時間は長い）第２判定処理が実行される。そのため、浮遊時間の比較的長い小塵埃に関しては、空気の清浄度合いが精度良く判定され、空気の清浄度合いに応じてファン４０の風量が適切される。その結果、塵埃の大きさに応じてファン４０の風量を適切に制御可能な、信頼性の高い空気清浄機１０が実現される。
【０１７９】
（５−２）
本実施形態に係る空気清浄機１０では、ホコリセンサ６０は、一定時間間隔（８０μｍ）で塵埃の検出を行う。判定部５２ａは、第１判定処理では、第１移動平均時間分（ここでは８秒分）のホコリセンサ６０の出力信号を用いる。判定部５２ａは、第２判定処理では、第２移動平均時間分（ここでは４０秒分）のホコリセンサ６０の出力信号を用いる。つまり、判定部５２ａは、第２判定処理において、第１判定処理より多くのホコリセンサ６０の出力信号を用いる。
【０１８０】
ここでは、第２判定処理において、第１判定処理よりも多くのホコリセンサ６０の出力信号（検出値）に基づいて空気の清浄度合いの判定が行われるため、出力信号のノイズや、空気中の塵埃の濃度の不均一さが判定精度に与える影響が低減される。そのため、第２判定処理では、第１判定処理よりも精度よく空気の清浄度合いを判定可能である。
【０１８１】
（５−３）
本実施形態に係る空気清浄機１０では、判定部５２ａは、ホコリセンサ６０の出力信号を用いて０．５秒毎に算出される、単位時間算出値（５００ｍ秒に対しホコリセンサ６０がＬレベル信号を発信した時間の割合）の移動平均値を用いて空気の清浄度合いを判定する。判定部５２ａは、第２判定処理における移動平均時間（第２移動平均時間）を、第１判定処理における移動平均時間（第１移動平均時間）よりも長くする。
【０１８２】
ここでは、第２判定処理において、第１判定処理の第１移動平均時間よりも長い第２移動平均時間の移動平均値に基づいて空気の清浄度合いの判定が行われる。このため、第２判定処理では、出力信号のノイズや、空気中の塵埃の濃度の不均一さが判定精度に与える影響を低減して、第１判定処理よりも精度よく空気の清浄度合いを判定可能である。
【０１８３】
（５−４）
本実施形態に係る空気清浄機１０では、判定部５２ａは、当該空気清浄機１０の起動時に第１判定処理を行う場合であって、第１判定処理における移動平均時間（第１移動平均時間）に相当する数量のホコリセンサ６０の出力信号が未だ取得されていない場合には、第１判定処理における移動平均時間よりも短い時間に相当する数量のホコリセンサ６０の出力信号を用いて、第１判定処理を行う。
【０１８４】
ここでは、空気清浄機１０の起動時であって、第１移動平均時間に相当する数量のホコリセンサの出力信号（検出値）が未だ取得されていない場合に、通常の第１判定処理で用いられるよりも少ない数量のホコリセンサ６０の出力信号を用いて空気の清浄度合いが判定される。そのため、塵埃の濃度が比較的高く、塵埃の速やかな除去を期待してユーザが空気清浄機１０を起動した場合に、直ちに空気の清浄度合いが判定されることとなり、空気の清浄度合いの改善が図られやすい。
【０１８５】
（５−５）
本実施形態に係る空気清浄機１０では、判定部５２ａは、記憶部５１の清浄度合い記憶領域５１ａに、判定部５２ａにより判定される空気の清浄度合いの中で最も塵埃の濃度が低い第１清浄度合いＰ１以外の、空気の清浄度合い（第２〜第４清浄度合いＰ２〜Ｐ４）が記憶されている時であって、小塵埃に関するホコリセンサ６０の検出値を用いて空気の清浄度合いを判定する場合に、第２判定処理を実行する。
【０１８６】
ここでは、清浄度合い記憶領域５１ａに比較的塵埃の濃度が高い空気の清浄度合い（第２〜第４清浄度合いＰ２〜Ｐ４）が記憶されている場合に、空気の清浄度合いの判定が精度よく実行される。そのため、実際には空気中の塵埃の濃度が高いにも関わらず、空気の清浄度合いの誤認識でファン４０の風量が減らされる等のファン４０の風量の不適切な制御を防止できる。
【０１８７】
また、本実施形態に係る空気清浄機１０では、判定部５２ａは、記憶部５１の清浄度合い記憶領域５１ａに第１清浄度合いＰ１が記憶されている場合、小塵埃に関するホコリセンサ６０の検出値を用いて空気の清浄度合いを判定する際に、原則、第１判定処理を実行する。
【０１８８】
そのため、空気の清浄度合いが比較的清浄な第１清浄度合いＰ１と判定されファン４０が比較的低回転数（回転数Ｎ１）で運転されている時に、空気中の塵埃の濃度が増加すると、第１判定処理により空気の清浄度合いの悪化が速やかに認識される。そして、空気の清浄度合いの悪化に応じて、ファン４０の回転数が大きくなるよう迅速に制御される。そのため、空気が比較的清浄と判定されている場合に、空気中の塵埃の濃度が急上昇することを抑制できる。
【０１８９】
（５−６）
本実施形態に係る空気清浄機１０では、判定部５２ａは、ホコリセンサ６０の検出値を用いて算出されるＬレベル信号割合からオフセット値を差し引いた値と、閾値との大小を比較することで空気の清浄度合いを判定する。特に、本実施形態に係る空気清浄機１０では、判定部５２ａは、小塵埃に関する空気の清浄度合いを判定する際に、ホコリセンサ６０の検出値を用いて算出される第２小塵埃Ｌレベル信号割合ＲＳ２からオフセット値を差し引いた値と、改善判定用閾値１〜３又は悪化判定用閾値１〜３との大小を比較することで空気の清浄度合いを判定する。小塵埃に関する空気の清浄度合いを判定する際に、第２判定処理に用いられる改善判定用閾値１〜３および悪化判定用閾値１〜３は、判定部５２ａによる判定時のファン４０の回転数に応じて変更される。
【０１９０】
ファン４０の回転数が変化すると、ホコリセンサ６０を通過する空気の量が変化し、塵埃の濃度は同一であるにも関わらず、ホコリセンサ６０の検出値を用いて算出される第２小塵埃Ｌレベル信号割合ＲＳ２の値が変化する。ここでは、これを考慮して閾値が変更されるため、空気の清浄度合いを正確に判定することが容易である。
【０１９１】
（５−７）
本実施形態に係る空気清浄機１０では、判定部５２ａは、ホコリセンサ６０の出力信号を用いて算出される大塵埃Ｌレベル信号割合ＲＬ、又は、小塵埃Ｌレベル信号割合ＲＳ１，ＲＳ２からオフセット値を差し引いた値を用いて空気の清浄度合いを判定する。オフセット値は、大塵埃に関するホコリセンサの検出値を用いて空気の清浄度合いを判定する場合（大塵埃Ｌレベル信号割合ＲＬを用いる場合）と、小塵埃に関するホコリセンサの検出値を用いて空気の清浄度合いを判定する場合（小塵埃Ｌレベル信号割合ＲＳ１，ＲＳ２を用いる場合）とで、それぞれ設定される。
【０１９２】
ここでは、大塵埃に関する空気の清浄度合いの判定処理と、小塵埃に関する空気の清浄度合いの判定処理と、に対し、オフセット値が個別に用意されるため、空気の清浄度合いを正確に判定することが容易である。
【０１９３】
（６）変形例
以下に、上記実施形態の変形例を示す。なお、各変形例の構成の一部又は全部は、互いに矛盾しない範囲で、他の変形例の構成の一部又は全部と組み合わされてもよい。
【０１９４】
（６−１）変形例Ａ
上記実施形態では、ホコリセンサ６０は、検出値として、塵埃を検出したことを示すＬレベル信号と、塵埃を検出していないことを示すＨレベル信号とを出力するものであるが、これに限定するものではない。
【０１９５】
例えば、ホコリセンサ６０は、上記実施形態の判定部５２ａの算出部５２ａａと同様の機能を有し、大塵埃Ｌレベル信号割合ＲＬ、第１小塵埃Ｌレベル信号割合ＲＳ１、および第２小塵埃Ｌレベル信号割合ＲＳ２、を算出し、検出値として、これらの値を制御ユニット５０に送信してもよい。
【０１９６】
（６−２）変形例Ｂ
上記実施形態では、算出部５２ａａは、判定時間に対するＬレベル信号割合（大塵埃Ｌレベル信号割合ＲＬ、第１小塵埃Ｌレベル信号割合ＲＳ１、および第２小塵埃Ｌレベル信号割合ＲＳ２）を算出し、比較判定部５２ａｂは、算出部５２ａａの算出した、判定時間に対するＬレベル信号割合からオフセット値を差し引いたものを、閾値と大小比較することで、空気の清浄度合いを判定するが、これに限定されるものではない。
【０１９７】
例えば、算出部５２ａａは、判定時間に対するＬレベル信号割合に代えて、ホコリセンサ６０の出力信号を用いて塵埃の濃度（単位体積の空気中に含まれる塵埃の重量や、単位体積の空気中に含まれる塵埃の個数等）を算出し、比較判定部５２ａｂは、算出した塵埃の濃度からオフセット値を差し引いたものを、閾値と大小比較することで、空気の清浄度合いを判定してもよい。また、算出部５２ａａは、判定時間に対するＬレベル信号割合に代えて、判定時間に対するＨレベル信号割合を算出し、比較判定部５２ａｂは、算出したＨレベル信号割合からオフセット値を差し引いたものを、閾値と大小比較することで、空気の清浄度合いを判定してもよい。
【０１９８】
（６−３）変形例Ｃ
上記実施形態では、判定部５２ａは空気の清浄度合いを、第１〜第４清浄度合いＰ１〜Ｐ４の４段階で判定するが、これに限定されるものではなく、判定部５２ａは、空気の清浄度合いを２段階以上に分けて判定するものであればよい。例えば、判定部５２ａは、第１清浄度合いＰ１と、第２清浄度合いＰ２の２段階で、空気の清浄度合いを判定するものであってもよい。また、判定部５２ａは、空気の清浄度合いを、５段階で判定するものであってもよい。
【０１９９】
（６−４）変形例Ｄ
上記実施形態では、ファン制御部５２ｅは、清浄度合い記憶領域５１ａに記憶された、第１〜第４清浄度合いＰ１〜Ｐ４という空気の清浄度合いに対し、ファン４０の回転数をそれぞれＭ１〜Ｍ４に制御するが、これに限定されるものではない。例えば、ファン制御部５２ｅは、清浄度合い記憶領域５１ａに第２清浄度合いＰ２又は第３清浄度合いＰ３が記憶されている場合には、第２および第３清浄度合いＰ２，Ｐ３のいずれであっても、ファン４０の回転数を、Ｍ１より大きなある１つの値に制御するように構成されてもよい。
【０２００】
（６−５）変形例Ｅ
上記実施形態では、判定部５２ａが、大塵埃に対して空気の清浄度合いを判定する際に行う第１判定処理（短時間判定処理）であっても、小塵埃に対して空気の清浄度合いを判定する際に行う第１判定処理（短時間判定処理）であっても、移動平均時間は１つの値（第１移動平均時間）としたが、これに限定されるものではない。例えば、大塵埃に関する空気の清浄度合いの短時間判定処理については、移動平均時間を、より短い時間（例えば４秒）としてもよい。
【０２０１】
（６−６）変形例Ｆ
上記実施形態では、算出部５２ａａは、判定時間に対するＬレベル信号割合（大塵埃Ｌレベル信号割合ＲＬ、第１小塵埃Ｌレベル信号割合ＲＳ１、および第２小塵埃Ｌレベル信号割合ＲＳ２）を、移動平均を用いて算出するが、これに限定されるものではない。算出部５２ａａは、移動平均としてではなく、単に判定時間分のホコリセンサ６０の出力信号を利用して、判定時間に占めるホコリセンサ６０のＬレベル信号出力時間の割合を算出してもよい。
【０２０２】
（６−７）変形例Ｇ
上記実施形態では、空気清浄機１０に電気が供給された時にホコリセンサ６０が塵埃の検出を開始するが、これに限定されるものではなく、空気清浄機１０の運転開始時にホコリセンサ６０が塵埃の検出を開始してもよい。このように構成することで、運転停止中の空気清浄機１０の電力消費を低減することが可能である。ただし、空気清浄機１０の運転開始直後から、空気の清浄度合いが正確に判定されやすくするためには、空気清浄機１０に電気が供給されている間、ホコリセンサ６０が塵埃の検出を実行することが望ましい。
【０２０３】
（６−８）変形例Ｈ
上記実施形態では、小塵埃に関する空気の清浄度合いの判定時に、清浄度合い記憶領域５１ａに、空気の清浄度合いとして第１清浄度合いＰ１が記憶されている場合に第１移動平均時間を用いた第１判定処理が実行され、第２〜第４清浄度合いＰ２〜Ｐ４が記憶されている場合には、第２移動平均時間を用いた第２判定処理が実行されるがこれに限定されるものではない。例えば、空気の清浄度合いが第２清浄度合いＰ２である場合にも、第１清浄度合いＰ１と同様に迅速に空気の清浄度合いを判定することが望ましい場合には、第１および第２清浄度合いＰ１，Ｐ２が記憶されている場合に第１移動平均時間を用いた第１判定処理が実行され、第３および第４清浄度合いＰ３，Ｐ４が記憶されている場合には、第２移動平均時間を用いた第２判定処理が実行されてもよい。
【０２０４】
また、例えば、判定部５２ａは、小塵埃に関する空気の清浄度合いの判定として、清浄度合い記憶領域５１ａに記憶されている空気の清浄度合いによらず、常に第２判定処理を実行してもよい。ただし、空気の清浄度合いが比較的清浄な第１清浄度合いＰ１と判定されファン４０が比較的低回転数（回転数Ｎ１）で運転されている時に、空気中の小塵埃の濃度の急上昇を抑制するためには、清浄度合い記憶領域５１ａに第１清浄度合いＰ１が記憶されている場合に、第１判定処理が実行されることが望ましい。
【０２０５】
（６−９）変形例Ｉ
上記実施形態では、算出部５２ａａは、小塵埃についてのＬレベル信号割合ＲＳ１，ＲＳ２を算出するために、粒径が１μｍ以上の塵埃に関する出力信号を用いて算出される判定時間に占めるＬレベル信号の出力時間の割合から、粒径が３μｍ以上の塵埃に関する信号を用いて出力信号を用いて算出される判定時間に占めるＬレベル信号の出力時間の割合を差し引くという計算を行うが、これに限定されるものではない。一般的に、粒径が３μｍ以上の塵埃は、粒径が１μｍ以上の塵埃に比べて数が少ないことから、算出部５２ａａは、粒径が１μｍ以上の塵埃に関する出力信号を用いて算出される判定時間に占めるＬレベル信号の出力時間の割合を、小塵埃（粒径が１μｍ以上３μｍ未満の塵埃）についてのＬレベル信号割合ＲＳ１，ＲＳ２として近似して用いてもよい。
【０２０６】
（６−１０）変形例Ｊ
上記実施形態では、第２小塵埃Ｌレベル信号割合ＲＳ２からオフセット値を差し引いた値と大小を比較される改善判定用閾値１〜３および悪化判定用閾値１〜３だけが、判定部５２ａによる判定時のファン４０の回転数に応じて変更されるが、これに限定されるものではない。大塵埃Ｌレベル信号割合ＲＬからオフセット値を差し引いた値と大小を比較される改善判定用閾値１〜３および悪化判定用閾値１〜３についても、判定部５２ａによる判定時のファン４０の回転数に応じて変更されてもよい。
【０２０７】
（６−１１）変形例Ｋ
上記実施形態では、判定部５２ａの実行する判定処理の種類別、かつ、判定部５２ａが空気の清浄度合いの判定の対象とする塵埃の大きさ別に、オフセット値が準備されるが、これに限定されるものではない。例えば、オフセット値は、さらに判定部５２ａが空気の清浄度合いの判定を行う際のファン４０の回転数別に準備されてもよい。これにより、空気の清浄度合いを正確に判定することが更に容易となる。
【０２０８】
（６−１２）変形例Ｌ
上記実施形態では、空気清浄機１０は床置き型の空気清浄機であるが、これに限定されるものではない。また、本発明に係る空気清浄機は、空気清浄機能を有する空調機等であってもよい。
【０２０９】
（６−１３）変形例Ｍ
上記実施形態では、上記実施形態の（４）に記載したように、書込部５２ｂは、清浄度合い記憶領域５１ａに１の空気の清浄度合いを更新して書き込み（ステップＳ３３）、ファン制御部５２ｅは、清浄度合い記憶領域５１ａに書き込まれた空気の清浄度合いが低いほど回転数が大きくなるようにファン４０を制御する。ただし、これに限定されるものではない。
【０２１０】
例えば、書込部５２ｂは、清浄度合い記憶領域５１ａに、上記実施形態の（４）のステップＳ３３のように１の空気の清浄度合いを書き込むと共に、大塵埃に関するホコリセンサ６０の検出値を用いた空気の清浄度合いの判定結果も書き込んでもよい。そして、ファン制御部５２ｅは、大塵埃に関するホコリセンサ６０の検出値を用いた空気の清浄度合いの判定結果が第１清浄度合いＰ１以外であった場合には、ステップＳ３３で書き込まれた内容によらず、ファン４０の回転数を最大回転数（例えば、上記実施形態における回転数Ｍ４）まで引き上げてもよい。これにより、大塵埃が検出された場合には、直ちにこれを除去することが容易である。
【０２１１】
また、例えば、書込部５２ｂは、清浄度合い記憶領域５１ａに、上記実施形態の（４）のステップＳ３３のように１の空気の清浄度合いを書き込む代わりに、大塵埃に関するホコリセンサ６０の検出値を用いた空気の清浄度合いの判定結果と、小塵埃に関するホコリセンサ６０の検出値を用いた空気の清浄度合いの判定結果と、を書き込んでもよい。そして、ファン制御部５２ｅは、大塵埃に関するホコリセンサ６０の検出値を用いた空気の清浄度合いの判定結果が第１清浄度合いＰ１以外であった場合には、ファン４０の回転数を最大回転数（例えば、上記実施形態における回転数Ｍ４）まで引き上げてもよい。また、ファン制御部５２ｅは、大塵埃に関するホコリセンサ６０の検出値を用いた空気の清浄度合いの判定結果が第１清浄度合いＰ１である場合には、小塵埃に関するホコリセンサ６０の検出値を用いた空気の清浄度合いの判定結果に応じて、空気の清浄度合いが低いほど回転数が大きくなるようにファン４０を制御してもよい。これにより、大塵埃が検出された場合には、直ちにこれを除去することが容易である。
【産業上の利用可能性】
【０２１２】
本発明に係る空気清浄機は、塵埃の大きさを区別して検知可能なホコリセンサの検出値を用いて把握される空気の清浄さに応じて、空気清浄用フィルタに空気を導くファンの風量制御を行う空気清浄機であって、塵埃の大きさに応じてファンの風量を適切に制御可能な、信頼性の高い空気清浄機として有用である。
【符号の説明】
【０２１３】
１０  空気清浄機
２２  ＨＥＰＡフィルタ（空気清浄用フィルタ）
４０  ファン
５１  記憶部
５２ａ  判定部
５２ｅ  ファン制御部
６０  ホコリセンサ
【先行技術文献】
【特許文献】
【０２１４】
【特許文献１】特開２００１−８７６１３号公報
【図１】
2015123387.tif 000003
【図２】
2015123387.tif 000004
【図３】
2015123387.tif 000005
【図４】
2015123387.tif 000006
【図５】
2015123387.tif 000007
【図６】
2015123387.tif 000008
【図７】
2015123387.tif 000009
【図８】
2015123387.tif 000010
【図９Ａ】
2015123387.tif 000011
【図９Ｂ】
2015123387.tif 000012
【図９Ｃ】
2015123387.tif 000013
【図１０】
2015123387.tif 000014
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
空気清浄用フィルタ（２２）に空気が通るように空気流れを生成する回転数可変のファン（４０）と、
粒径が小さい小塵埃と、前記小塵埃よりも粒径が大きな大塵埃とを区別可能に空気中の塵埃を検出するホコリセンサ（６０）と、
前記ホコリセンサの検出値を用いて空気の清浄度合いを判定する判定部（５２ａ）と、
前記判定部の判定結果が更新して書き込まれ、記憶される記憶部（５１）と、
前記記憶部に記憶された前記判定結果に基づいて、前記ファンの回転数を制御するファン制御部（５２ｅ）と、
を備え、
前記判定部は、
前記大塵埃に関する前記ホコリセンサの検出値を用いて空気の清浄度合いを判定する場合には、短時間判定処理を、
前記小塵埃に関する前記ホコリセンサの検出値を用いて空気の清浄度合いを判定する場合には、前記短時間判定処理よりも判定時間が長い、長時間判定処理を、
空気の清浄度合いの判定としてそれぞれ実行する、
空気清浄機（１０）。
【請求項２】
前記ホコリセンサは、一定時間間隔で塵埃の検出を行い、
前記判定部は、前記長時間判定処理において、前記短時間判定処理より多くの前記ホコリセンサの検出値を用いる、
請求項１に記載の空気清浄機。
【請求項３】
前記判定部は、前記ホコリセンサの検出値を用いて算出される算出値の移動平均値を用いて空気の清浄度合いを判定するものであって、前記長時間判定処理における移動平均時間を、前記短時間判定処理における移動平均時間よりも長くする、
請求項１に記載の空気清浄機。
【請求項４】
前記判定部は、当該空気清浄機の起動時に前記短時間判定処理を行う場合であって、前記短時間判定処理における移動平均時間に相当する数量の前記ホコリセンサの検出値が未だ取得されていない場合には、前記短時間判定処理における移動平均時間よりも短い時間に相当する数量の前記ホコリセンサの検出値を用いて、前記短時間判定処理を行う、
請求項３に記載の空気清浄機。
【請求項５】
前記判定部は、前記記憶部に、前記判定部により判定される空気の清浄度合いの中で最も塵埃の濃度が低い空気の清浄度合い以外の、空気の清浄度合いが記憶されている時であって、前記小塵埃に関する前記ホコリセンサの検出値を用いて空気の清浄度合いを判定する場合に、前記長時間判定処理を実行する、
請求項１から４のいずれか１項に記載の空気清浄機。
【請求項６】
前記判定部は、前記ホコリセンサの検出値を用いて算出される算出値に基づく値と閾値との大小を比較することで空気の清浄度合いを判定するものであって、
前記閾値は、前記判定部による判定時の前記ファンの回転数に応じて変更される、
請求項１に記載の空気清浄機。
【請求項７】
前記判定部は、前記ホコリセンサの検出値を用いて算出される算出値からオフセット値を差し引いた値を用いて空気の清浄度合いを判定するものであって、
前記オフセット値は、前記大塵埃に関する前記ホコリセンサの検出値を用いて空気の清浄度合いを判定する場合と、前記小塵埃に関する前記ホコリセンサの検出値を用いて空気の清浄度合いを判定する場合とで、それぞれ設定される、
請求項１に記載の空気清浄機。
【請求項８】
前記オフセット値は、更に前記判定部による判定時の前記ファンの回転数に応じて設定される、
請求項７に記載の空気清浄機。
【手続補正２】
【補正対象書類名】明細書
【補正対象項目名】全文
【補正方法】変更
【補正の内容】
【発明の詳細な説明】
【技術分野】
【０００１】
本発明は、ホコリセンサを備えた空気清浄機に関する。
【背景技術】
【０００２】
塵埃を検出するホコリセンサを備え、判定時間内のホコリセンサの検出値に基づいて空気の清浄さを判定し、空気の清浄さに基づいて空気清浄フィルタに空気を通すためのファンの風量制御を行う空気清浄機が知られている。
【０００３】
例えば、特許文献１（特開２００１−８７６１３号公報）には、ホコリセンサが塵埃のサイズ別にその存在を検出し、ホコリセンサが塵埃を検出したことを示す信号の単位時間あたりのパルス数に基づいて塵埃のサイズ別に空気の清浄さを把握し、把握された空気の清浄さが低いほど、風量が大きくなるようにファンを制御する空気清浄機が開示されている。
【０００４】
このような空気清浄機では、判定時間を長くとることで、言い換えれば判定に用いるホコリセンサの検出値の数を増やすことで、ノイズや、ホコリセンサの検出対象の空気中の塵埃の濃度の不均一さ等が、空気の清浄さの判定に与える影響を軽減できる。そのため、基本的には、判定時間を長くとることで、より正確に空気の清浄さを判定することができる。
【発明の概要】
【発明が解決しようとする課題】
【０００５】
しかし、粒径の大きな塵埃は空気中に浮遊している時間が短いことから、判定時間を長くした場合、空気の清浄さが低下していると判定された時には、大きな塵埃が既に地面等に落下してしまっている可能性がある。つまり、判定時間を長くとると、大きな塵埃に対してファンの風量制御が適切に実行されない可能性がある。
【０００６】
一方で、判定時間を短くした場合には、空気の清浄さの判定精度が低下することから、小さな塵埃に関して空気の清浄さが誤って判定され、実際には空気の清浄さが低いにも関わらずファンの風量を減らす制御が行われるなど、ファンの風量制御が適切に実行されない可能性がある。
【０００７】
本発明の課題は、塵埃の大きさを区別して検知可能なホコリセンサの検出値を用いて把握される空気の清浄さに応じて、空気清浄用フィルタに空気を導くファンの風量制御を行う空気清浄機であって、塵埃の大きさに応じてファンの風量を適切に制御可能な、信頼性の高い空気清浄機を提供することにある。
【課題を解決するための手段】
【０００８】
本発明の第１観点に係る空気清浄機は、回転数可変のファンと、ホコリセンサと、判定部と、記憶部と、ファン制御部と、を備える。ファンは、空気清浄用フィルタに空気が通るように空気流れを生成する。ホコリセンサは、粒径が小さい小塵埃と、小塵埃よりも粒径が大きな大塵埃とを区別可能に空気中の塵埃を検出する。判定部は、ホコリセンサの検出値を用いて空気の清浄度合いを判定する。記憶部には、判定部の判定結果が更新して書き込まれ、記憶される。ファン制御部は、記憶部に記憶された判定結果に基づいて、ファンの回転数を制御する。判定部は、大塵埃に関するホコリセンサの検出値を用いて空気の清浄度合いを判定する場合には、短時間判定処理を、空気の清浄度合いの判定として実行する。判定部は、小塵埃に関するホコリセンサの検出値を用いて空気の清浄度合いを判定する場合には、短時間判定処理よりも判定時間が長い、長時間判定処理を、空気の清浄度合いの判定として実行する。
【０００９】
ここでは、大塵埃に関する空気の清浄度合いの判定として、判定時間優先の（判定時間の短い）判定処理が実行される。そのため、浮遊時間の比較的短い大塵埃に関しては、空気の清浄度合いが速やかに判定され、空気の清浄度合いが悪化した場合には、直ちに大塵埃を除去するようにファンの風量が適切に制御される。一方、小塵埃に関する空気の清浄度合いの判定としては、判定精度優先の（判定時間は長い）判定処理が実行される。そのため、浮遊時間の比較的長い小塵埃に関しては、空気の清浄度合いが精度良く判定され、空気の清浄度合いに応じてファンの風量が適切に制御される。その結果、塵埃の大きさに応じてファンの風量を適切に制御可能な、信頼性の高い空気清浄機が実現される。
【００１０】
本発明の第２観点に係る空気清浄機は、第１観点に係る空気清浄機であって、ホコリセンサは、一定時間間隔で塵埃の検出を行う。判定部は、長時間判定処理において、短時間判定処理より多くのホコリセンサの検出値を用いる。
【００１１】
ここでは、長時間判定処理において、短時間判定処理よりも多くのホコリセンサの検出値に基づいて空気の清浄度合いの判定が行われる。そのため、長時間判定処理では、短時間判定処理よりも精度よく空気の清浄度合いを判定可能である。
【００１２】
本発明の第３観点に係る空気清浄機は、第１観点に係る空気清浄機であって、判定部は、ホコリセンサの検出値を用いて算出される算出値の移動平均値を用いて空気の清浄度合いを判定する。判定部は、長時間判定処理における移動平均時間を、短時間判定処理における移動平均時間よりも長くする。
【００１３】
ここでは、長時間判定処理において、短時間判定処理よりも長い移動平均時間の移動平均値に基づいて空気の清浄度合いの判定が行われる。そのため、長時間判定処理では、短時間判定処理よりも精度よく空気の清浄度合いを判定可能である。
【００１４】
本発明の第４観点に係る空気清浄機は、第３観点に係る空気清浄機であって、判定部は、当該空気清浄機の起動時に短時間判定処理を行う場合であって、短時間判定処理における移動平均時間に相当する数量のホコリセンサの検出値が未だ取得されていない場合には、短時間判定処理における移動平均時間よりも短い時間に相当する数量のホコリセンサの検出値を用いて、短時間判定処理を行う。
【００１５】
ここでは、空気清浄機の起動時であって、短時間判定処理における移動平均時間に相当する数量のホコリセンサの検出値が未だ取得されていない場合に、通常の短時間判定処理で用いられるよりも少ない数量のホコリセンサの検出値を用いて空気の清浄度合いが判定される。そのため、塵埃の濃度が比較的高く、塵埃の速やかな除去を期待してユーザが空気清浄機を起動した場合に、直ちに空気の清浄度合いが判定されることとなり、空気の清浄度合いの改善が図られやすい。
【００１６】
本発明の第５観点に係る空気清浄機は、第１観点から第４観点のいずれかに係る空気清浄機であって、判定部は、記憶部に、判定部により判定される空気の清浄度合いの中で最も塵埃の濃度が低い空気の清浄度合い以外の、空気の清浄度合いが記憶されている時であって、小塵埃に関するホコリセンサの検出値を用いて空気の清浄度合いを判定する場合に、長時間判定処理を実行する。
【００１７】
ここでは、記憶部に比較的塵埃の濃度が高い空気の清浄度合いが記憶されており、小塵埃に関するホコリセンサの検出値を用いて空気の清浄度合いの判定が実行される場合に、精度よく判定が行われる。そのため、実際には空気中の塵埃の濃度が高いにも関わらず、空気の清浄度合いの誤認識でファンの風量が減らされる等のファンの風量の不適切な制御を防止できる。
【００１８】
本発明の第６観点に係る空気清浄機は、第１観点に係る空気清浄機であって、判定部は、ホコリセンサの検出値を用いて算出される算出値に基づく値と閾値との大小を比較することで空気の清浄度合いを判定する。閾値は、判定部による判定時のファンの回転数に応じて変更される。
【００１９】
ファンの回転数が変化すると、ホコリセンサを通過する空気の量が変化し、塵埃の濃度は同一であるにも関わらず、ホコリセンサの検出値を用いて算出される算出値の値が変化する場合がある。ここでは、これを考慮して閾値が変更されるため、空気の清浄度合いを正確に判定することが容易である。
【００２０】
本発明の第７観点に係る空気清浄機は、第１観点に係る空気清浄機であって、判定部は、ホコリセンサの検出値を用いて算出される算出値からオフセット値を差し引いた値を用いて空気の清浄度合いを判定する。オフセット値は、大塵埃に関するホコリセンサの検出値を用いて空気の清浄度合いを判定する場合と、小塵埃に関するホコリセンサの検出値を用いて空気の清浄度合いを判定する場合とで、それぞれ設定される。
【００２１】
ここでは、大塵埃に関する空気の清浄度合いの判定処理と、小塵埃に関する空気の清浄度合いの判定処理と、に対し、オフセット値がそれぞれ用意されるため、空気の清浄度合いを正確に判定することが容易である。
【００２２】
なお、オフセット値は、簡単に言えば、空気が清浄な状態（空気中に塵埃がほとんど存在しない状態）において、判定部が、大塵埃又は小塵埃に関するホコリセンサの検出値を用いて、空気の清浄度合いの判定処理のための算出値を算出した時に得られる値である。空気が清浄な状態では、ホコリセンサは塵埃をほとんど検出しないはずである。しかし、空気が清浄な状態であっても、ホコリセンサの使用状態等によって、ホコリセンサは塵埃を検出したと認識する場合がある。これを補正するために用いられるのがオフセット値である。言い換えれば、オフセット値は、空気の清浄度合いを判定する上で、基準となる値である。
【００２３】
本発明の第８観点に係る空気清浄機は、第７観点に係る空気清浄機であって、オフセット値は、更に判定部による判定時のファンの回転数に応じて設定される。
【００２４】
ここでは、ファンの回転数に応じてオフセット値が個別に用意されるため、空気の清浄度合いを正確に判定することが容易である。
【発明の効果】
【００２５】
本発明の第１観点に係る空気清浄機では、大塵埃に関する空気の清浄度合いの判定として、判定時間優先の（判定時間の短い）判定処理が実行される。そのため、浮遊時間の比較的短い大塵埃に関しては、空気の清浄度合いが速やかに判定され、空気の清浄度合いが悪化した場合には、直ちに大塵埃を除去するようにファンの風量が適切に制御される。一方、小塵埃に関する空気の清浄度合いの判定としては、判定精度優先の（判定時間は長い）判定処理が実行される。そのため、浮遊時間の比較的長い小塵埃に関しては、空気の清浄度合いが精度良く判定され、空気の清浄度合いに応じてファンの風量が適切に制御される。その結果、塵埃の大きさに応じてファンの風量を適切に制御可能な、信頼性の高い空気清浄機が実現される。
【００２６】
本発明の第２観点および第３観点に係る空気清浄機では、長時間判定処理において、短時間判定処理よりも精度よく空気の清浄度合いを判定可能である。
【００２７】
本発明の第４観点に係る空気清浄機では、塵埃の濃度が比較的高く、塵埃の速やかな除去を期待してユーザが空気清浄機を起動した場合に、直ちに空気の清浄度合いが判定されることとなり、空気の清浄度合いの改善が図られやすい。
【００２８】
本発明の第５観点に係る空気清浄機では、実際には空気中の塵埃の濃度が高いにも関わらず、空気の清浄度合いの誤認識でファンの風量が減らされる等のファンの風量の不適切な制御を防止できる。
【００２９】
本発明の第６観点から第８観点に係る空気清浄機では、空気の清浄度合いを正確に判定することが容易である。
【図面の簡単な説明】
【００３０】
【図１】本発明の一実施形態に係る空気清浄機の外観斜視図である。
【図２】図１の空気清浄機の、空気清浄機能および加湿機能に関連する主な構成を示した図である。
【図３】図１の空気清浄機の概略ブロック図である。
【図４】図１の空気清浄機の制御ユニットの記憶部の閾値記憶領域に記憶されている、制御ユニットの制御部の判定部が第１判定処理により空気の清浄度合いの判定を行う場合の閾値である。
【図５】図１の空気清浄機の制御ユニットの記憶部の閾値記憶領域に記憶されている、制御ユニットの制御部の判定部が第２判定処理により空気の清浄度合いの判定を行う場合の閾値である。
【図６】図１の空気清浄機のホコリセンサの検出値を用いて算出されるＬレベル信号割合の、塵埃の濃度［μｇ／ｍ3］に対する変化を示したグラフである。ファンの回転数が回転数Ｎ１（基準値Ｎｂ未満）である場合と、ファンの回転数が回転数Ｎ２（基準値Ｎｂ以上）である場合とについて、描画されている。
【図７】図１の空気清浄機のオフセット更新部による、判定部の判定処理に用いられるオフセット値の更新処理について説明するためのグラフである。特に、ここでは、判定部が実行する判定処理の種類が第２判定処理で、判定部が空気の清浄度合いを行う対象とする塵埃が小塵埃であるという条件についてのオフセット値の更新処理について説明するためのグラフである。横軸が時間を、縦軸がＬレベル信号割合の値を示している。図中の太線が、オフセット値の時間変化を示している。
【図８】図１の空気清浄機の判定部の、大塵埃に関する空気の清浄度合いの判定について説明するためのフローチャートである。
【図９Ａ】図１の空気清浄機の判定部の、小塵埃に関する空気の清浄度合いの判定について説明するためのフローチャート（その１）である。
【図９Ｂ】図１の空気清浄機の判定部の、小塵埃に関する空気の清浄度合いの判定について説明するためのフローチャート（その２）である。
【図９Ｃ】図１の空気清浄機の判定部の、小塵埃に関する空気の清浄度合いの判定について説明するためのフローチャート（その３）である。
【図１０】図１の空気清浄機の書込部による、清浄度合い記憶領域に記憶されている空気の清浄度合いの更新処理について説明するためのフローチャートである。また、この更新処理に関連する、図１の空気清浄機の改善判定禁止部および第１判定処理禁止部の処理について説明するためのフローチャートである。
【発明を実施するための形態】
【００３１】
図面を参照しながら、本発明の一実施形態に係る空気清浄機１０について説明する。なお、空気清浄機１０は、本発明に係る空気清浄機の一例にすぎず、本発明の要旨を逸脱しない範囲で適宜変更可能である。
【００３２】
（１）全体構成
図１は、本発明の一実施形態に係る空気清浄機１０の概略の外観斜視図である。図２は、空気清浄機１０の内部に収容される、空気清浄機１０の空気清浄機能および加湿機能に関連する主な構成を示した図である。図３は、空気清浄機１０の概略ブロック図である。
【００３３】
空気清浄機１０の概要について以下に説明する。なお、以下の説明において、「上」、「下」、「左」、「右」、「正面（前）」、「背面（後）」といった方向を示す語句を用いる場合があるが、これらの表現は、特に断りのない限り、図１に示した方向に基づく。
【００３４】
空気清浄機１０は、図１のような床置型の装置である。空気清浄機１０は、空気清浄の対象空間に設置される。空気清浄機１０は、装置内部に取り込んだ空気から、空気中の塵埃を除去する空気清浄機能を有する。また、空気清浄機１０は、塵埃を除去後の空気を加湿する加湿機能を有する。
【００３５】
空気清浄機１０は、図１から図３に示すように、主に、筐体１１、空気清浄用ユニット２０、加湿ユニット３０、ファン４０、制御ユニット５０、およびホコリセンサ６０を備える。
【００３６】
（２）詳細構成
（２−１）筐体
筐体１１は、空気清浄用ユニット２０、加湿ユニット３０、ファン４０、制御ユニット５０、およびホコリセンサ６０等の構成を内部に収容する。
【００３７】
筐体１１には、吸込口１２と、吹出口１３とが形成されている（図１参照）。空気清浄の対象空間の空気は、吸込口１２から取り込まれ、空気清浄用ユニット２０に供給される。塵埃が除去された後の（加湿運転中には、さらに加湿された後の）空気は、吹出口１３から空気清浄の対象空間に吹き出す。
【００３８】
（２−２）空気清浄用ユニット
空気清浄用ユニット２０は、空気中の塵埃を除去すると共に、空気中のニオイ成分等を吸着して分解するためのユニットである。
【００３９】
空気清浄用ユニット２０は、図２に示すように、主として、プレフィルタ２１と、ＨＥＰＡフィルタ２２と、脱臭エレメント２３とを有する。プレフィルタ２１、ＨＥＰＡフィルタ２２、および脱臭エレメント２３は、筐体１１内に、正面側から背面側に向かって、この順番で配置されている。筐体１１の吸込口１２から取り込まれた空気は、初めに空気清浄用ユニット２０に送られ、空気清浄用ユニット２０を、プレフィルタ２１、ＨＥＰＡフィルタ２２、脱臭エレメント２３の順に通過する。
【００４０】
プレフィルタ２１は、空気中の比較的大きな塵埃を捕捉するためのフィルタである。ＨＥＰＡ（High Efficiency Particulate Air）フィルタ２２は、空気清浄用フィルタの一例である。ＨＥＰＡフィルタ２２は、プレフィルタ２１を通過した空気中の微細な塵埃を捕捉する。空気中の塵埃は、主に、プレフィルタ２１およびＨＥＰＡフィルタ２２により除去される。
【００４１】
脱臭エレメント２３は、活性炭等を含み、プレフィルタ２１およびＨＥＰＡフィルタ２２を通過した空気中のニオイや有害ガスを吸着して分解する。
【００４２】
（２−３）加湿ユニット
加湿ユニット３０は、加湿ユニット３０を通過する空気に水を供給し、加湿するためのユニットである。
【００４３】
加湿ユニット３０は、筐体１１内の、空気清浄用ユニット２０よりも背面側に配置されている。加湿ユニット３０は、ファン４０を運転することで生じる筐体１１内の空気の流れ方向における、空気清浄用ユニット２０の下流側に配置されている。
【００４４】
加湿ユニット３０は、主として、水トレー３１と、加湿ロータ３２とを有する（図２参照）。水トレー３１は、空気清浄用ユニット２０を通過した空気に供給するための水（加湿のための水）を貯留する貯留容器である。なお、筐体１１内には、水トレー３１に水を供給する水タンク（図示せず）が設けられている。加湿ロータ３２は、モータ３２ａ（図３参照）により回転可能に構成されている。加湿ロータ３２は、主として、水トレー３１内の水を汲み上げる水汲み上げ部（図示せず）と、水汲み上げ部によって汲み上げられた水を吸着する加湿フィルタ（図示せず）と、を有する。
【００４５】
加湿ロータ３２の機能について簡単に説明する。モータ３２ａ（図３参照）が回転させられると、加湿ロータ３２の水汲み上げ部が回転し、水トレー３１内の水を汲み上げる。水汲み上げ部によって汲み上げられた水は、同じく回転している加湿ロータ３２の加湿フィルタに供給される。汲み上げ部により水が供給された加湿フィルタは、水分を吸着した状態になる。空気清浄用ユニット２０を通過した空気の一部は、回転している加湿フィルタを通過する。水分を吸着した加湿フィルタを通過する空気は、加湿フィルタから水が供給されて加湿される。以上のようにして、加湿ロータ３２は、空気清浄用ユニット２０を通過した空気を加湿する。
【００４６】
（２−４）ファン
ファン４０は、筐体１１の背面側に取り付けられる。ファン４０は、ファン４０を運転することで生じる筐体１１内の空気の流れ方向における、加湿ユニット３０の下流側に配置される。
【００４７】
ファン４０は、空気清浄の対象空間の空気を、吸込口１２を介して筐体１１内に取り込み、空気清浄用ユニット２０および加湿ユニット３０を通過させる機能を有する。つまり、ファン４０は、空気清浄用フィルタとしてのＨＥＰＡフィルタ２２を含む空気清浄用ユニット２０と、加湿ユニット３０と、に空気が通るように空気流れを生成する。また、ファン４０は、空気清浄用ユニット２０および加湿ユニット３０を通過後の空気を、吹出口１３を介して筐体１１の外部に排出する機能を有する。
【００４８】
ファン４０は、シロッコファンである。ファン４０の羽根車４１（図２参照）が、ファンモータ４０ａ（図３参照）により回転させられると、空気清浄用ユニット２０および加湿ユニット３０を通過した空気は、ファン４０に前方側から吸い込まれ、上方向きに進行方向を変えて（図２参照）、筐体１１の上部に設けられた吹出口１３から上方へと吹き出す。
【００４９】
ファン４０は、回転数可変である。言い換えれば、ファンモータ４０ａは回転数可変である。ファンモータ４０ａは、後述する制御ユニット５０のファン制御部５２ｅ（図３参照）により制御される。
【００５０】
（２−５）ホコリセンサ
ホコリセンサ６０は、空気中の塵埃を検出するセンサである。ホコリセンサ６０は、具体的には、ホコリセンサ６０の検出の対象空間、言い換えれば空気清浄機１０の空気清浄の対象空間から、ホコリセンサ６０の内部空間に空気を取り込み、内部空間を空気と共に通過する塵埃を検出するセンサである。
【００５１】
ホコリセンサ６０は、筐体１１の側面側（ここでは右側面側）に設けられている。ホコリセンサ６０は、筐体１１の右側面に形成された空気取り込み孔７１ａ（図１参照）を介して、ホコリセンサ６０の内部に空気を取り込み、内部を空気と共に通過する塵埃を検出する。
【００５２】
ホコリセンサ６０は、以下のような方法で内部空間を通過する塵埃を検出し、塵埃の検出／非検出を示す信号を制御ユニット５０に送信する。
【００５３】
ホコリセンサ６０は、図示しない発光素子と、受光素子とを有する。発光素子は、検出対象の空気が通過する内部空間に投光する。受光素子は、発光素子から発せられる光を直接受光することのない位置に配置されている。ただし、受光素子は、内部空間を通過する空気に塵埃が含まれていた場合に塵埃に当たって散乱する光を受光可能な位置に配置されている。ホコリセンサ６０は、受光素子が光を受光していない時にＨレベル（ハイレベル）信号を、受光素子が光を受光している時にＬレベル（ローレベル）信号を、それぞれ出力する。ホコリセンサ６０は、検出値として、８０μ秒毎に、Ｈレベル信号又はＬレベル信号を制御ユニット５０に送信する。制御ユニット５０は、ホコリセンサ６０の検出値（ホコリセンサ６０の出力信号）を用いて、空気の清浄度合いを判定する。制御ユニット５０の空気の清浄度合いの判定については、後述する。
【００５４】
ホコリセンサ６０は、特許文献１（特開２００１−８７６１３号公報）と同様に、受光素子が受光した散乱光の強度に基づいて、空気中の塵埃を、粒径が小さい小塵埃と、小塵埃よりも粒径が大きな大塵埃とを区別可能に検出する。ただし、ホコリセンサ６０が、粒径が小さい小塵埃と、大塵埃とを区別可能に検出する方式はこれに限定されるものではなく、他の方式が用いられてもよい。なお、ここでは、小塵埃は、粒径が１μｍ以上３μｍ未満の塵埃を意味し、大塵埃は粒径が３μｍ以上の塵埃を意味する。
【００５５】
ホコリセンサ６０は、粒径が１μｍ以上の塵埃についてＨレベル信号又はＬレベル信号を出力し、さらに、粒径が３μｍ以上の塵埃についてＨレベル信号又はＬレベル信号を出力する。そして、ホコリセンサ６０から信号を受信した制御ユニット５０が、粒径が１μｍ以上の塵埃についての出力信号と、粒径が３μｍ以上の塵埃についての出力信号と、を用いて、小塵埃（粒径が１μｍ以上３μｍ未満の塵埃）と、大塵埃（粒径が３μｍ以上の塵埃）とに関して、それぞれ空気の清浄度合いの判定を行う。つまり、ホコリセンサ６０が、小塵埃と大塵埃とを区別可能に空気中の塵埃を検出するとは、ホコリセンサ６０自身が小塵埃（粒径が１μｍ以上３μｍ未満の塵埃）と大塵埃（粒径が３μｍ以上の塵埃）とを区別する場合に限られず、ホコリセンサ６０から出力信号を受信した制御ユニット５０が、小塵埃の検出と大塵埃の検出とを区別可能であればよい。ただし、これに限定されるものではなく、ホコリセンサ６０自身が、粒径が１μｍ以上３μｍ未満の塵埃に関する信号と、粒径が３μｍ以上の塵埃に関する信号とを出力するよう構成されてもよい。
【００５６】
なお、ホコリセンサ６０は、空気清浄機１０に電気が供給されている状態（空気清浄機１０が電源に接続されている状態）であれば、空気清浄機１０が運転されていなくても（空気清浄機１０のファン４０が運転されていなくても）、空気中の塵埃の検出を行う。
【００５７】
（２−６）制御ユニット
制御ユニット５０は、空気清浄機１０の動きを制御するためのユニットである。
【００５８】
制御ユニット５０は、ＣＰＵ（Central Processing Unit）や、ＲＡＭ（Random Access Memory）やＲＯＭ（Read Only Memory）等のメモリを有するマイクロコンピュータである。制御ユニット５０は、各種情報を記憶する記憶部５１と、各種制御を実行する制御部５２とを有する。
【００５９】
制御ユニット５０は、図３のように、主に、ホコリセンサ６０、ファンモータ４０ａ、モータ３２ａおよび操作部５５と電気的に接続されている。操作部５５は、ユーザからの各種指令（例えば、空気清浄機１０の運転／停止指令、加湿運転の実行／停止指令等）を受け付ける入力部として機能する。また、操作部５５は、空気清浄機１０の運転状態をＬＥＤ(Light Emitting Diode)等により表示する表示部として機能する。
【００６０】
以下に、記憶部５１および制御部５２について、詳細に説明する。
【００６１】
（２−６−１）記憶部
記憶部５１は、制御部５２が実行するためのプログラムや、各種情報が記憶される。例えば、記憶部５１は、情報を記憶するための領域として、清浄度合い記憶領域５１ａ、閾値記憶領域５１ｂ、およびオフセット値記憶領域５１ｃを有する。以下に、清浄度合い記憶領域５１ａ、閾値記憶領域５１ｂ、およびオフセット値記憶領域５１ｃについて詳細を説明する。
【００６２】
（２−６−１−１）清浄度合い記憶領域
清浄度合い記憶領域５１ａには、後述する制御部５２の判定部５２ａの判定結果、つまり判定部５２ａにより判定される空気の清浄度合い、が更新して書き込まれ記憶される。清浄度合い記憶領域５１ａに記憶される内容は、後述する書込部５２ｂにより、判定部５２ａの判定結果が書き込まれることで、更新される。
【００６３】
なお、空気清浄機１０が運転され、判定部５２ａが空気の清浄度合いの判定を実行するまでは、清浄度合い記憶領域５１ａには、空気の清浄度合いの初期設定として、第１清浄度合いＰ１が記憶されている。つまり、空気清浄機１０の起動時には、清浄度合い記憶領域５１ａには第１清浄度合いＰ１が記憶されている。空気清浄機１０の運転が停止されると、清浄度合い記憶領域５１ａに記憶された内容はリセットされ、初期設定としての第１清浄度合いＰ１が再び書き込まれる。
【００６４】
（２−６−１−２）閾値記憶領域
閾値記憶領域５１ｂには、後述する判定部５２ａが空気の清浄度合いを判定する際に用いる閾値が記憶される。閾値が、空気の清浄度合いが判定される際にどのように用いられるかについては後述する。
【００６５】
閾値記憶領域５１ｂには、判定部５２ａが後述する第１判定処理を実行する時に用いる閾値（図４参照）と、判定部５２ａが後述する第２判定処理を実行する時に用いる閾値（図５参照）とが、それぞれ記憶されている。
【００６６】
閾値記憶領域５１ｂに記憶される、判定部５２ａが第１判定処理を実行する時に用いる閾値には、判定部５２ａが大塵埃に関して空気の清浄度合いが改善したか否かを判定する際に用いる改善判定用閾値１〜３（ＳＡ１１，１２，１３）がある（図４（ａ）参照）。閾値記憶領域５１ｂに記憶される、判定部５２ａが第１判定処理を実行する時に用いる閾値には、判定部５２ａが大塵埃に関して空気の清浄度合いが悪化したか否かを判定する際に用いる悪化判定用閾値１〜３（ＳＣ１１，１２，１３）がある（図４（ｂ）参照）。閾値記憶領域５１ｂに記憶される、判定部５２ａが第１判定処理を実行する時に用いる閾値には、判定部５２ａが小塵埃に関して空気の清浄度合いが悪化したか否かを判定する際に用いる悪化判定用閾値１〜３（ＳＤ１１，１２，１３）がある（図４（ｂ）参照）。
【００６７】
閾値記憶領域５１ｂに記憶される、判定部５２ａが小塵埃に関して第２判定処理を実行する時に用いる閾値には、判定部５２ａが空気の清浄度合いが改善したか否かを判定する際に用いる改善判定用閾値１〜３（ＬＢ１１，１２，１３，２１，２２，２３）がある（図５（ａ），（ｂ）参照）。閾値記憶領域５１ｂに記憶される、判定部５２ａが小塵埃に関して第２判定処理を実行する時に用いる閾値には、判定部５２ａが空気の清浄度合いが悪化したか否かを判定する際に用いる悪化判定用閾値１〜３（ＬＤ１１，１２，１３，２１，２２，２３）がある（図５（ｃ），（ｄ）参照）。なお、ＬＢ１１，１２，１３（図５（ａ）参照）およびＬＤ１１，１２，１３（図５（ｃ）参照）は、判定部５２ａが空気の清浄度合いの判定を実行する際のファン４０の回転数が基準値Ｎｂ（例えば８００ｒｐｍ）未満である場合の、第２判定処理用の改善判定用閾値１〜３および悪化判定用閾値１〜３である。ＬＢ２１，２２，２３（図５（ｂ）参照）およびＬＤ２１，２２，２３（図５（ｄ）参照）は、判定部５２ａが空気の清浄度合いの判定を実行する際のファン４０の回転数が基準値Ｎｂ以上である場合の、第２判定処理用の改善判定用閾値１〜３および悪化判定用閾値１〜３である。
【００６８】
上記の改善判定用閾値１、改善判定用閾値２、および改善判定用閾値３は、空気の清浄度合いが、それぞれ後述する第１清浄度合いＰ１、第２清浄度合いＰ２、および第３清浄度合いＰ３に改善したか否かを判定するために用いられる閾値である。悪化判定用閾値１、悪化判定用閾値２、および悪化判定用閾値３は、空気の清浄度合いが、それぞれ後述する第２清浄度合いＰ２、第３清浄度合いＰ３、第４清浄度合いＰ４に悪化したか否かを判定するために用いられる閾値である。なお、第１〜第４清浄度合いＰ１〜Ｐ４の中では、第１清浄度合いＰ１が最も塵埃の濃度が低い空気の清浄度合いである。数字が大きくなるほど塵埃の濃度が高い空気の清浄度合いであることを意味し、第４清浄度合いＰ４が、第１〜第４清浄度合いＰ１〜Ｐ４の中で最も塵埃の濃度が高い空気の清浄度合いである。
【００６９】
閾値記憶領域５１ｂに記憶されている各閾値に関して、さらに説明する。
【００７０】
図４（ａ）のＳＡ１１，１２，１３には、ＳＡ１１＜ＳＡ１２＜ＳＡ１３という関係がある。図４（ｂ）のＳＣ１１，１２，１３およびＳＤ１１，１２，１３には、ＳＣ１１＜ＳＣ１２＜ＳＣ１３、ＳＤ１１＜ＳＤ１２＜ＳＤ１３、ＳＣ１１＜ＳＤ１１、ＳＣ１２＜ＳＤ１２、およびＳＣ１３＜ＳＤ１３という関係がある。また、ＳＡ１１，１２，１３およびＳＣ１１，１２，１３には、ＳＡ１１＜ＳＣ１１、ＳＡ１２＜ＳＣ１２、およびＳＡ１３＜ＳＣ１３という関係がある。
【００７１】
図５（ａ）のＬＢ１１，１２，１３には、ＬＢ１１＜ＬＢ１２＜ＬＢ１３という関係がある。図５（ｂ）のＬＢ２１，２２，２３には、ＬＢ２１＜ＬＢ２２＜ＬＢ２３という関係がある。図５（ｃ）のＬＤ１１，１２，１３には、ＬＤ１１＜ＬＤ１２＜ＬＤ１３という関係がある。図５（ｄ）のＬＤ２１，２２，２３には、ＬＤ２１＜ＬＤ２２＜ＬＤ２３という関係がある。また、ＬＢ１１，１２，１３，２１，２２，２３およびＬＤ１１，１２，１３，２１，２２，２３には、ＬＢ１１＜ＬＤ１１、ＬＢ１２＜ＬＤ１２、ＬＢ１３＜ＬＤ１３、ＬＢ２１＜ＬＤ２１、ＬＢ２２＜ＬＤ２２、およびＬＢ２３＜ＬＤ２３という関係がある。
【００７２】
さらに、ＬＢ１１，１２，１３，２１，２２，２３には、ＬＢ１１＞ＬＢ２１、ＬＢ１２＞ＬＢ２２、およびＬＢ１３＞ＬＢ２３という関係がある。ＬＤ１１，１２，１３，２１，２２，２３には、ＬＤ１１＞ＬＤ２１、ＬＤ１２＞ＬＤ２２、およびＬＤ１３＞ＬＤ２３という関係がある。上記の関係となるのは、図６のように、ファン４０の回転数が回転数Ｎ１（基準値Ｎｂ未満）の場合と、回転数Ｎ２（基準値Ｎｂ以上）の場合とで、塵埃の濃度と、後述する判定部５２ａの算出部５２ａａが算出するＬレベル信号割合（所定の判定時間に占める、ホコリセンサ６０がＬレベルの信号を出力していた時間の割合）と、の関係が異なるためである。
【００７３】
（２−６−１−３）オフセット値記憶領域
オフセット値記憶領域５１ｃには、後述する判定部５２ａが空気の清浄度合いを判定する際に用いられるオフセット値が記憶される記憶領域である。オフセット値は、空気の清浄度合いを判定する上で基準となる値である。判定部５２ａが空気の清浄度合いを判定する際に、オフセット値をどのように用いるかについては後述する。
【００７４】
なお、オフセット値記憶領域５１ｃには、以下の３種類の条件別に、オフセット値が記憶される。
【００７５】
１）判定部５２ａが実行する判定処理の種類が第１判定処理で、判定部５２ａが空気の清浄度合いを行う対象とする塵埃が大塵埃である場合。
【００７６】
２）判定部５２ａが実行する判定処理の種類が第１判定処理で、判定部５２ａが空気の清浄度合いを行う対象とする塵埃が小塵埃である場合。
【００７７】
３）判定部５２ａが実行する判定処理の種類が第２判定処理で、判定部５２ａが空気の清浄度合いを行う対象とする塵埃が小塵埃である場合。
【００７８】
なお、オフセット値記憶領域５１ｃに記憶されるオフセット値は、後述する制御部５２のオフセット値更新部５２ｆにより適宜算出され、更新される。オフセット値更新部５２ｆによるオフセット値の算出および更新の方法については後述する。
【００７９】
（２−６−２）制御部
制御部５２は、記憶部５１に記憶されているプログラムを実行して、空気清浄機１０を制御する。具体的には、制御部５２は、操作部５５に入力された各種指令や、ホコリセンサ６０の検出結果等に基づいて、ファンモータ４０ａや、モータ３２ａ等の、空気清浄機１０の各部の動きを制御する。
【００８０】
例えば、制御部５２の、後述するファン制御部５２ｅは、操作部５５が空気清浄機１０の運転指令を受け付けると、ファンモータ４０ａを駆動させる。また、例えば、制御部５２は、操作部５５が加湿運転の実行指令を受け付けると、モータ３２ａを駆動させる。
【００８１】
制御部５２は、機能部として、判定部５２ａ、書込部５２ｂ、改善判定禁止部５２ｃ、第１判定処理禁止部５２ｄ、ファン制御部５２ｅ、およびオフセット値更新部５２ｆを有する。以下に、判定部５２ａ、書込部５２ｂ、改善判定禁止部５２ｃ、第１判定処理禁止部５２ｄ、ファン制御部５２ｅ、およびオフセット値更新部５２ｆについて詳細を説明する。
【００８２】
（２−６−２−１）判定部
判定部５２ａは、ホコリセンサ６０の検出値を用いて空気の清浄度合いを判定する。判定部５２ａは、ホコリセンサ６０の検出値（ホコリセンサ６０の出力信号）を用いて算出される算出値に基づく値と、閾値記憶領域５１ｂに記憶された閾値との大小を比較することで、空気の清浄度合いを判定する。
【００８３】
より具体的には、判定部５２ａは、所定の判定時間に占める、ホコリセンサ６０がＬレベル信号を出力していた時間の割合として求められる算出値から、オフセット値記憶領域５１ｃに記憶されたオフセット値を差し引いて算出される値と、閾値記憶領域５１ｂに記憶された閾値との大小を比較することで、空気の清浄度合いを判定する。
【００８４】
なお、空気の清浄度合いは、第１〜第４清浄度合いＰ１〜Ｐ４の４段階に区別して判定される。４段階の清浄度合いの中では、第１清浄度合いＰ１が最も塵埃の濃度が低い空気の清浄度合いである。数字が大きくなるほど塵埃の濃度が高い空気の清浄度合いであることを意味し、第４清浄度合いＰ４が、第１〜第４清浄度合いＰ１〜Ｐ４の中で最も塵埃の濃度が高い空気の清浄度合いである。
【００８５】
判定部５２ａは、サブ機能部として、算出部５２ａａおよび比較判定部５２ａｂを有する。以下に、算出部５２ａａおよび比較判定部５２ａｂについて説明する。
【００８６】
（２−６−２−１−１）算出部
算出部５２ａａは、所定の判定時間に占める、ホコリセンサ６０がＬレベル信号を出力していた時間の割合（Ｌレベル信号割合と呼ぶ）を算出する。算出部５２ａａによるＬレベル信号割合の算出は、空気清浄機１０に電源が供給されていれば（ホコリセンサ６０が塵埃の検出を行っていれば）、空気清浄機１０が運転中でなくても実行される。
【００８７】
算出部５２ａａは、大塵埃に関するホコリセンサ６０の検出値を用いてＬレベル信号割合を算出する場合と、小塵埃に関するホコリセンサ６０の検出値を用いてＬレベル信号割合を算出する場合と、で異なる処理を行う。それぞれの場合について、算出部５２ａａの実行する具体的な処理を説明する。
【００８８】
（ａ）大塵埃に関するホコリセンサの検出値を用いたＬレベル信号割合の算出
算出部５２ａａは、大塵埃に関するホコリセンサ６０の検出値（ホコリセンサ６０の、粒径が３μｍ以上の塵埃に関する信号）を用いて、所定の判定時間（第１移動平均時間）に占める、ホコリセンサ６０のＬレベル信号の出力時間の割合（Ｌレベル信号割合）を算出する。ここで、大塵埃に関するホコリセンサ６０の検出値を用いて算出されるＬレベル信号割合を、大塵埃Ｌレベル信号割合ＲＬと呼ぶ。以下に、算出部５２ａａによる大塵埃Ｌレベル信号割合ＲＬの算出処理について、具体的に説明する。
【００８９】
制御ユニット５０は、ホコリセンサ６０から、８０μ秒毎に、粒径が３μｍ以上の塵埃に関してＨレベル信号又はＬレベル信号を受信する。
【００９０】
そして、算出部５２ａａは、１ｍ秒（１０００μ秒）毎に、制御ユニット５０が、直前の１ｍ秒に、粒径が３μｍ以上の塵埃に関してＨレベル信号を受信した回数とＬレベル信号を受信した回数とを比較する。そして、算出部５２ａａは、その１ｍ秒については、回数が多かった方のレベルの信号をホコリセンサ６０が発信したと判断する。例えば、算出部５２ａａが、直前の１ｍ秒に、Ｈレベル信号を３回、Ｌレベル信号を９回受信したとすれば、この１ｍ秒については、ホコリセンサ６０はＬレベル信号を発信したと判断する。この、算出部５２ａａにより１ｍ秒毎に実行される処理を、サンプリングと呼ぶ。
【００９１】
さらに、算出部５２ａａは、１ｍ秒毎のサンプリングの結果を用いて、５００ｍ秒（０．５秒）毎に、直前の５００ｍ秒に、ホコリセンサ６０がＬレベル信号を発信したと判断された時間の割合（以後、単位時間算出値と呼ぶ）を算出する。また、算出部５２ａａは、５００ｍ秒毎に、大塵埃Ｌレベル信号割合ＲＬとして、第１移動平均時間分の単位時間算出値を用いて移動平均値を算出する。なお、ここでは、第１移動平均時間は８秒である。具体的に説明すれば、算出部５２ａａは、８秒分の、１６個の、５００ｍ秒を単位時間とする単位時間算出値（ｅ１，ｅ２，・・・，ｅ１６）を用いて、大塵埃Ｌレベル信号割合ＲＬとして、移動平均値（ｅ１＋ｅ２＋・・・＋ｅ１６）／１６を算出する。
【００９２】
なお、算出部５２ａａは、大塵埃Ｌレベル信号割合ＲＬの算出を行う際に、第１移動平均時間に相当する数量のホコリセンサ６０の検出値が未だ取得されていない場合には、第１時間移動平均時間よりも短い時間に相当する数量のホコリセンサの検出値を用いて大塵埃Ｌレベル信号割合ＲＬを算出する。なお、第１移動平均時間に相当する数量のホコリセンサ６０の検出値が未だ取得されていない場合とは、例えば、空気清浄機１０が電源に接続された直後である場合である。例えば、第１移動平均時間に相当する数量のホコリセンサ６０の検出値が未だ取得されておらず、算出部５２ａａが、４秒分の、５００ｍ秒を単位時間とする単位時間算出値（ｅ１，ｅ２，・・・，ｅ８）しか未だ算出できていない場合には、算出部５２ａａは、残りの単位時間算出値を全て０と仮定して、移動平均値（ｅ１＋ｅ２＋・・・＋ｅ８）／１６を、大塵埃Ｌレベル信号割合ＲＬとして算出する。
【００９３】
（ｂ）小塵埃に関するホコリセンサの検出値を用いたＬレベル信号割合の算出
算出部５２ａａは、小塵埃に関するホコリセンサ６０の検出値（ホコリセンサ６０の、粒径が１μｍ以上の塵埃に関する信号、および、粒径が３μｍ以上の塵埃に関する信号）を用いて、所定の判定時間（第１移動平均時間および第２移動平均時間）に占めるホコリセンサ６０のＬレベル信号の出力時間の割合（Ｌレベル信号割合）を算出する。第１移動平均時間は、前述のように８秒であり、第２移動平均時間は、第１移動平均時間よりも長い４０秒である。ここで、小塵埃に関するホコリセンサ６０の検出値を用いて算出される、第１移動平均時間に占めるホコリセンサ６０のＬレベル信号の出力時間の割合を、第１小塵埃Ｌレベル信号割合ＲＳ１と呼ぶ。また、小塵埃に関するホコリセンサ６０の検出値を用いて算出される、第２移動平均時間に占めるホコリセンサ６０のＬレベル信号の出力時間の割合を、第２小塵埃Ｌレベル信号割合ＲＳ２と呼ぶ。
【００９４】
小塵埃は、前述のように粒径が１μｍ以上３μｍ未満の塵埃である。これに対し、ホコリセンサ６０は、粒径が１μｍ以上の塵埃に関する信号と、粒径が３μｍ以上の塵埃に関する信号とを出力する。そこで、算出部５２ａａは、以下のようにして、小塵埃に関するホコリセンサの検出値を用いたＬレベル信号割合を算出する。
【００９５】
まず、算出部５２ａａは、粒径が１μｍ以上の塵埃に関する信号を用いて、第１移動平均時間に占めるホコリセンサ６０のＬレベル信号の出力時間の割合（ｒ１１と呼ぶ）と、第２移動平均時間に占めるホコリセンサ６０のＬレベル信号の出力時間の割合（ｒ１２と呼ぶ）とを算出する。また、同時に、算出部５２ａａは、粒径が３μｍ以上の塵埃に関する信号を用いて、第１移動平均時間に占めるホコリセンサ６０のＬレベル信号の出力時間の割合（ｒ３１と呼ぶ）と、第２移動平均時間に占めるホコリセンサ６０のＬレベル信号の出力時間の割合（ｒ３２と呼ぶ）とを算出する。算出部５２ａａによる、ｒ１１の算出は、使用される信号が異なる点を除いて、上記（ａ）の大塵埃Ｌレベル信号割合ＲＬの算出処理と同様である。また、算出部５２ａａによる、ｒ１２の算出は、使用される信号および移動平均時間が異なる点を除いて、上記（ａ）の大塵埃Ｌレベル信号割合ＲＬの算出処理と同様である。算出部５２ａａによる、ｒ３２の算出は、移動平均時間が異なる点を除いて、上記（ａ）の大塵埃Ｌレベル信号割合ＲＬの算出処理と同様である。算出部５２ａａによる、ｒ３１の算出は、上記（ａ）の大塵埃Ｌレベル信号割合ＲＬの算出処理と同じである。
【００９６】
次に、算出部５２ａａは、ｒ１１からｒ３１を差し引くことで、粒径が１μｍ以上３μ未満の塵埃について、第１移動平均時間に占めるホコリセンサ６０のＬレベル信号の出力時間の割合を算出する。つまり、算出部５２ａａは、ｒ１１からｒ３１を差し引くことで、第１小塵埃Ｌレベル信号割合ＲＳ１を算出する。また、算出部５２ａａは、ｒ１２からｒ３２を差し引くことで、粒径が１μｍ以上３μ未満の塵埃について、第２移動平均時間に占めるホコリセンサ６０のＬレベル信号の出力時間の割合を算出する。つまり、算出部５２ａａは、ｒ１２からｒ３２を差し引くことで、第２小塵埃Ｌレベル信号割合ＲＳ２を算出する。
【００９７】
（２−６−２−１−２）比較判定部
比較判定部５２ａｂは、算出部５２ａａが算出したＬレベル信号割合から、オフセット値記憶領域５１ｃに記憶されたオフセット値を差し引いて算出される値と、閾値記憶領域５１ｂに記憶された閾値との大小を比較する。さらに、比較判定部５２ａｂは、比較結果に基づいて、空気の清浄度合いを判定する。比較判定部５２ａｂによる空気の清浄度合いの判定は、空気清浄機１０の運転中（ファン４０の運転中）に、５００ｍ秒間隔で実行される。
【００９８】
なお、比較判定部５２ａｂは、大塵埃に関して（大塵埃に関するホコリセンサ６０の検出値を用いて）空気の清浄度合いを判定する場合と、小塵埃に関して（小塵埃に関するホコリセンサ６０の検出値を用いて）空気の清浄度合いを判定する場合、とで異なる処理を行う。それぞれの場合について、比較判定部５２ａｂの実行する判定について説明する。
【００９９】
（ａ）大塵埃に関する空気の清浄度合いの判定
比較判定部５２ａｂは、大塵埃に関するホコリセンサ６０の検出値を用いて空気の清浄度合いを判定する場合には、判定時間を優先する第１判定処理を行う。第１判定処理は、判定時間を優先する短時間判定処理の一例である。
【０１００】
比較判定部５２ａｂは、具体的には、以下のようにして大塵埃に関する空気の清浄度合いの判定を行う。
【０１０１】
まず、比較判定部５２ａｂは、直近に算出された大塵埃Ｌレベル信号割合ＲＬから、オフセット値記憶領域５１ｃに記憶されているオフセット値を差し引く。ここで使用されるオフセット値は、オフセット値記憶領域５１ｃに記憶されている、判定部５２ａが実行する判定処理の種類が第１判定処理で、判定部５２ａが空気の清浄度合いを行う対象とする塵埃が大塵埃である場合のオフセット値である。
【０１０２】
次に、比較判定部５２ａｂは、直近に算出された大塵埃Ｌレベル信号割合ＲＬからオフセット値を差し引いた値を、閾値記憶領域５１ｂに記憶された閾値と比較する。ここで使用される閾値は、閾値記憶領域５１ｂに記憶されている大塵埃用の閾値である（図４参照）。また、ここで使用される閾値は、空気の清浄度合いが改善したことを判定する場合には改善判定用閾値１〜３（ＳＡ１１，１２，１３）であり、空気の清浄度合いが悪化したことを判定する場合には悪化判定用閾値１〜３（ＳＣ１１，１２，１３）である。
【０１０３】
なお、比較判定部５２ａｂは、後述する改善判定禁止部５２ｃが、空気の清浄度合いが改善したか否かを判定することを禁じている場合には、直近に算出された大塵埃Ｌレベル信号割合ＲＬからオフセット値を差し引いた値を、改善判定用閾値と比較する処理を行わない。
【０１０４】
比較判定部５２ａｂによる、直近に算出された大塵埃Ｌレベル信号割合ＲＬからオフセット値を差し引いた値と閾値との比較の具体的な処理、および、比較結果を用いた空気の清浄度合いの判定処理については、後述する。
【０１０５】
（ｂ）小塵埃に関する空気の清浄度合いの判定
比較判定部５２ａｂは、小塵埃に関するホコリセンサ６０の検出値を用いて空気の清浄度合いを判定する場合には、清浄度合い記憶領域５１ａに記憶されている空気の清浄度合いに応じて異なる判定処理を行う。
【０１０６】
比較判定部５２ａｂは、清浄度合い記憶領域５１ａに第１清浄度合いＰ１が記憶されている場合には、原則として判定精度よりも判定時間を優先する第１判定処理を行う。ただし、清浄度合い記憶領域５１ａに第１清浄度合いＰ１が記憶されていても、後述する第１判定処理禁止部５２ｄにより、小塵埃に関する空気の清浄度合いの判定処理として第１判定処理を実行することが禁止されている間は、比較判定部５２ａｂは、第２判定処理を空気の清浄度合いの判定として実行する。
【０１０７】
一方、比較判定部５２ａｂは、清浄度合い記憶領域５１ａに第１清浄度合いＰ１以外の清浄度合い（第２〜第４清浄度合いＰ２〜Ｐ４）が記憶されている場合には、第１判定処理よりも判定時間が長く、第１判定処理よりも判定精度に優れた第２判定処理を行う。第２判定処理は、長時間判定処理の一例である。
【０１０８】
なお、第１判定処理と第２判定処理とは、判定に使用するＬレベル信号割合が、移動平均時間が第１移動平均時間である第１小塵埃Ｌレベル信号割合ＲＳ１であるか、又は、移動平均時間が第２移動平均時間である第２小塵埃Ｌレベル信号割合ＲＳ２であるか、という点において異なる。言い換えれば、第２判定処理では、第１判定処理より多くのホコリセンサ６０の検出値が用いられる。また、第１判定処理と第２判定処理とでは、判定に使用される閾値が異なる。
【０１０９】
比較判定部５２ａｂは、具体的には、以下のようにして小塵埃に関する空気の清浄度合いの判定を行う。
【０１１０】
比較判定部５２ａｂは、第１判定処理を行う場合には、直近に算出された第１小塵埃Ｌレベル信号割合ＲＳ１から、オフセット値記憶領域５１ｃに記憶されたオフセット値を差し引く。ここで使用されるオフセット値は、オフセット値記憶領域５１ｃに記憶されている、判定部５２ａが実行する判定処理の種類が第１判定処理で、判定部５２ａが空気の清浄度合いを行う対象とする塵埃が小塵埃である場合のオフセット値である。
【０１１１】
次に、比較判定部５２ａｂは、直近に算出された第１小塵埃Ｌレベル信号割合ＲＳ１からからオフセット値を差し引いた値を、閾値記憶領域５１ｂに記憶された、小塵埃用かつ第１判定処理用の閾値と比較する。なお、比較判定部５２ａｂが、小塵埃に関する空気の清浄度合いとして第１判定処理を実行するのは、上記のように、清浄度合い記憶領域５１ａに第１清浄度合いＰ１が記憶されている時である。そのため、比較判定部５２ａｂが、空気の清浄度合いが改善したと判定することがない。そこで、比較判定部５２ａｂは、直近に算出された第１小塵埃Ｌレベル信号割合ＲＳ１からからオフセット値を差し引いた値を、悪化判定用閾値１〜３（ＳＤ１１，１２，１３）と比較する（図４（ｂ）参照）。
【０１１２】
比較判定部５２ａｂによる、直近に算出された第１小塵埃Ｌレベル信号割合ＲＳ１からからオフセット値を差し引いた値と閾値との比較の具体的な処理、および、比較結果を用いた空気の清浄度合いの判定処理については、後述する。
【０１１３】
比較判定部５２ａｂが第２判定処理を行う場合には、比較判定部５２ａｂは、直近に算出された第２小塵埃Ｌレベル信号割合ＲＳ２から、オフセット値記憶領域５１ｃに記憶されたオフセット値を差し引く。ここで使用されるオフセット値は、オフセット値記憶領域５１ｃに記憶されている、判定部５２ａが実行する判定処理の種類が第２判定処理で、判定部５２ａが空気の清浄度合いを行う対象とする塵埃が小塵埃である場合のオフセット値である。
【０１１４】
次に、比較判定部５２ａｂは、直近に算出された第２小塵埃Ｌレベル信号割合ＲＳ２からからオフセット値を差し引いた値を、閾値記憶領域５１ｂに記憶された、小塵埃用かつ第２判定処理用の閾値と比較する。ここで使用される閾値は、比較判定部５２ａｂが閾値を呼び出すときのファン４０の回転数Ｎが基準値Ｎｂ未満か、基準値Ｎｂ以上かによって異なる（図５参照）。また、ここで使用される閾値は、空気の清浄度合いが改善したことを判定する場合には改善判定用閾値１〜３（ＬＢ１１，１２，１３，２１，２２，２３）であり、空気の清浄度合いが悪化したことを判定する場合には悪化判定用閾値１〜３（ＬＤ１１，１２，１３，２１，２２，２３）である。
【０１１５】
なお、比較判定部５２ａｂは、後述する改善判定禁止部５２ｃが、空気の清浄度合いが改善したか否かを判定することを禁じている場合には、直近に算出された第２小塵埃Ｌレベル信号割合ＲＳ２からオフセット値を差し引いた値を、改善判定用閾値と比較する処理を行わない。
【０１１６】
比較判定部５２ａｂによる、直近に算出された第２小塵埃Ｌレベル信号割合ＲＳ２からからオフセット値を差し引いた値と閾値との比較の具体的な処理、および、比較結果を用いた空気の清浄度合いの判定処理については、後述する。
【０１１７】
（２−６−２−２）書込部
書込部５２ｂは、判定部５２ａの判定結果を、記憶部５１の清浄度合い記憶領域５１ａに更新して書き込む。小塵埃に関する空気の清浄度合い、および、大塵埃に関する空気の清浄度合い、が判定部５２ａにより判定された時に、書込部５２ｂが、どのように、判定部５２ａの判定結果を清浄度合い記憶領域５１ａに更新して書き込むかについては後述する。
【０１１８】
（２−６−２−３）改善判定禁止部
改善判定禁止部５２ｃは、記憶部５１の清浄度合い記憶領域５１ａへの書き込みを禁止する書込禁止部の一例である。
【０１１９】
改善判定禁止部５２ｃは、清浄度合い記憶領域５１ａに記憶された空気の清浄度合いが書き換えられた場合、所定期間（例えば、清浄度合い記憶領域５１ａに記憶された空気の清浄度合いが書き換えられた時点から６０秒間）、判定部５２ａが、空気の清浄度合いが改善したか否かを判定することを禁止する。そのため、清浄度合い記憶領域５１ａに、判定部５２ａの判定結果として第２〜第４清浄度合いＰ２〜Ｐ４が書き込まれた場合、所定期間、判定部５２ａは空気の清浄度合いが第１清浄度合いＰ１であると判定することがない。その結果、清浄度合い記憶領域５１ａに、判定部５２ａの判定結果として第２〜第４清浄度合いＰ２〜Ｐ４が書き込まれた場合に、書込部５２ｂにより、判定部５２ａの判定結果として、第１清浄度合いＰ１が清浄度合い記憶領域５１ａに書き込まれることが、所定期間、禁止される。
【０１２０】
（２−６−２−４）第１判定処理禁止部
第１判定処理禁止部５２ｄは、判定部５２ａが小塵埃に関する空気の清浄度合いの判定処理として、第１判定処理を実行することを禁止する。第１判定処理禁止部５２ｄは、清浄度合い記憶領域５１ａに、判定部５２ａの判定結果として第１清浄度合いＰ１が更新して書き込まれた場合（リセット時に初期設定として第１清浄度合いＰ１が書き込まれる場合を除く）に、所定期間（例えば、清浄度合い記憶領域５１ａに記憶された空気の清浄度合いが書き換えられた時点から２０分間）、判定部５２ａが、小塵埃に関する空気の清浄度合いの判定処理として第１判定処理を実行することを禁止する。第１判定処理禁止部５２ｄが、判定部５２ａが小塵埃に関する空気の清浄度合いの判定処理として第１判定処理を実行することを禁止している場合には、判定部５２ａは、清浄度合い記憶領域５１ａに第１清浄度合いＰ１が記憶されていても、小塵埃に関する空気の清浄度合いの判定処理として第２判定処理を実行する。
【０１２１】
（２−６−２−５）ファン制御部
ファン制御部５２ｅは、記憶部５１の清浄度合い記憶領域５１ａに記憶された判定部５２ａの判定結果に基づいて、ファン４０の回転数を制御する。具体的には、ファン制御部５２ｅは、記憶されている空気の清浄度合いが低いほど回転数が大きくなるようにファン４０を制御する。例えば、ファン制御部５２ｅは、清浄度合い記憶領域５１ａに判定部５２ａの判定結果として、第２〜第４清浄度合いＰ２〜Ｐ４が記憶されている場合の回転数が、清浄度合い記憶領域５１ａに判定部５２ａの判定結果として、第１清浄度合いＰ１が記憶されている場合の回転数よりも大きくなるように、ファン４０を制御する。より詳細にいえば、ファン制御部５２ｅは、清浄度合い記憶領域５１ａに、第１〜第４清浄度合いＰ１〜Ｐ４が記憶されている場合に、ファン４０の回転数を、それぞれＭ１〜Ｍ４に制御する。Ｍ１〜Ｍ４には、Ｍ１＜Ｍ２＜Ｍ３＜Ｍ４という関係がある。つまり、ファン制御部５２ｅは、塵埃の濃度が高い空気の清浄度合いほど（空気の清浄度合いが低いほど）、ファン４０の回転数が大きくなるように、ファン４０を制御する。
【０１２２】
（２−６−２−６）オフセット値更新部
オフセット値更新部５２ｆは、記憶部５１のオフセット値記憶領域５１ｃに記憶されるオフセット値を算出して更新する。
【０１２３】
オフセット値更新部５２ｆは、以下の３種類の条件別に、オフセット値を算出し、オフセット値記憶領域５１ｃに記憶されるオフセット値を更新する。１つ目の条件は、判定部５２ａが実行する判定処理の種類が第１判定処理で、判定部５２ａが空気の清浄度合いを行う対象とする塵埃が大塵埃である場合である。２つ目の条件は、判定部５２ａが実行す判定処理の種類が第１判定処理で、判定部５２ａが空気の清浄度合いを行う対象とする塵埃が小塵埃である場合である。３つ目の条件は、判定部５２ａが実行する判定処理の種類が第２判定処理で、判定部５２ａが空気の清浄度合いを行う対象とする塵埃が小塵埃である場合である。
【０１２４】
判定部５２ａが実行する判定処理の種類が第２判定処理で、判定部５２ａが空気の清浄度合いを行う対象とする塵埃が小塵埃であるという条件についてオフセット値更新部５２ｆが実行する、オフセット値の算出および更新処理について、図７を用いて説明する。なお、他の条件についてのオフセット値の更新処理は、ここで説明する更新処理と同様であるので、説明は省略する。
【０１２５】
図７は、第２小塵埃Ｌレベル信号割合ＲＳ２の時間変化を示したグラフである。図７では、横軸は時間を、縦軸はＬレベル信号割合の値を示している。さらに、図７に太線で示した線は、オフセット値更新部５２ｆが算出した、判定部５２ａが実行する判定処理の種類が第２判定処理で、判定部５２ａが空気の清浄度合いを行う対象とする塵埃が小塵埃であるという条件についてのオフセット値の時間変化を表す。
【０１２６】
図７では、時間が０の時点は、空気清浄機１０が電源に接続された時点を示している。オフセット値は、空気清浄機１０が電源から外され、電気が供給されなくなると０にリセットされる。そのため、図７の時間が０の時点では、オフセット値は０である。オフセット値更新部５２ｆは、空気清浄機１０が電源に接続されてから所定のデータ更新基本時間Ｔｒ（例えば６０分間）、オフセット値の更新処理を行わない。
【０１２７】
オフセット値更新部５２ｆは、空気清浄機１０が電源に接続されてからデータ更新基本時間Ｔｒが経過すると、次のようにしてオフセット値を算出し、オフセット値記憶領域５１ｃに記憶されるオフセット値を更新する。
【０１２８】
オフセット値更新部５２ｆは、空気清浄機１０が電源に接続されてからデータ更新基本時間Ｔｒが経過するまでの間に、０．５秒間隔で算出された第２小塵埃Ｌレベル信号割合ＲＳ２の中で、最小の値をオフセット値として算出する。そして、オフセット値更新部５ｆは、オフセット値記憶領域５１ｃに記憶されている、判定部５２ａが実行する判定処理の種類が第２判定処理で、判定部５２ａが空気の清浄度合いを行う対象とする塵埃が小塵埃であるという条件についてのオフセット値を、算出したオフセット値に更新する。
【０１２９】
この後は、オフセット値更新部５２ｆは、以下の２つのルールに従って、オフセット値記憶領域５１ｃに記憶されている、判定部５２ａが実行する判定処理の種類が第２判定処理で、判定部５２ａが空気の清浄度合いを行う対象とする塵埃が小塵埃であるという条件についてのオフセット値の更新を行う。
【０１３０】
１）０．５秒間隔で算出される第２小塵埃Ｌレベル信号割合ＲＳ２が、オフセット値記憶領域５１ｃに記憶されているオフセット値を下回った場合には、オフセット値更新部５２ｆは、オフセット値記憶領域５１ｃに記憶されているオフセット値を、直ちに、その第２小塵埃Ｌレベル信号割合ＲＳ２に更新する。
【０１３１】
２）オフセット値を最後に更新してからデータ更新基本時間Ｔｒが経過した場合、オフセット値更新部５２ｆは、以下のようにしてオフセット値の更新を行う。なお、オフセット値を最後に更新してからデータ更新基本時間Ｔｒが経過した場合とは、オフセット値を最後に更新してからデータ更新基本時間Ｔｒが経過するまでの間に、０．５秒間隔で算出される第２小塵埃Ｌレベル信号割合ＲＳ２が、オフセット値記憶領域５１ｃに記憶されているオフセット値を下回ることがなかった場合である。オフセット値更新部５２ｆは、オフセット値を最後に更新してからからデータ更新基本時間Ｔｒが経過するまでの間に、０．５秒間隔で算出された第２小塵埃Ｌレベル信号割合ＲＳ２の中で、最小の値をオフセット値として算出する。そして、オフセット値更新部５２ｆは、オフセット値記憶領域５１ｃに記憶されているオフセット値を、算出されたオフセット値に更新する。
【０１３２】
（３）判定部による空気の清浄度合いの判定
以下に、判定部５２ａによる、空気の清浄度合いの判定について、図８および図９Ａ〜Ｃのフローチャートを用いて説明する。
【０１３３】
判定部５２ａは、大塵埃に関するホコリセンサ６０の検出値を用いて空気の清浄度合いを判定する場合と、小塵埃に関するホコリセンサ６０の検出値を用いて空気の清浄度合いを判定する場合と、で、空気の清浄度合いの判定の方法が異なる。大塵埃に関するホコリセンサ６０の検出値を用いて空気の清浄度合いを判定する場合について、図８のフローチャートを用いて、小塵埃に関するホコリセンサ６０の検出値を用いて空気の清浄度合いを判定する場合について、図９Ａ〜Ｃのフローチャートを用いて説明する。なお、判定部５２ａは、大塵埃に関する判定と、小塵埃に関する判定とを並行して実行する。
【０１３４】
（３−１）大塵埃に関するホコリセンサの検出値を用いた空気の清浄度合いの判定
ホコリセンサ６０は、空気清浄機１０が電源に接続されると、空気清浄機１０が運転を開始していなくても（ファン４０が運転されていなくても）塵埃の検出を行い、８０μ秒毎にＨレベル信号又はＬレベル信号を制御ユニット５０に対して出力する。
【０１３５】
判定部５２ａの算出部５２ａａは、上記のように、１ｍ秒（１０００μ秒）毎に、サンプリングを行う（ステップＳ１１）。つまり、算出部５２ａａは、１ｍ秒毎に、制御ユニット５０が、直前の１ｍ秒に、粒径が３μｍ以上の塵埃に関してＨレベル信号を受信した回数とＬレベル信号を受信した回数とを比較する。そして、算出部５２ａａは、その１ｍ秒については、回数が多かった方のレベルの信号をホコリセンサ６０が発信したと判断する。
【０１３６】
次に、ステップＳ１２では、算出部５２ａａは、上記のようにして、１ｍ秒毎のサンプリング結果を用いて、５００ｍ秒（０．５秒）毎に、大塵埃Ｌレベル信号割合ＲＬを算出する。その後ステップＳ１３に進む。
【０１３７】
ステップＳ１３では、現在、空気清浄機１０が運転中であるか否かが判定される。なお、空気清浄機１０が運転中とは、ユーザによる空気清浄機１０の運転指令が操作部５５に入力され、ファン４０が回転している状態である。空気清浄機１０が運転中でなければ、空気の清浄度合いの判定は行われないため、ステップＳ１１に戻る。一方、空気清浄機１０が運転中であれば、ステップＳ１４に進む。
【０１３８】
ステップＳ１４では、比較判定部５２ａｂは、大塵埃Ｌレベル信号割合ＲＬから、この時点でオフセット値記憶領域５１ｃに記憶されている、判定部５２ａが実行する判定処理の種類が第１判定処理で、判定部５２ａが空気の清浄度合いを行う対象とする塵埃が大塵埃である場合のオフセット値を差し引く。そして、比較判定部５２ａｂは、大塵埃Ｌレベル信号割合ＲＬからオフセット値を差し引いた値と、閾値記憶領域５１ｂに記憶された、大塵埃用の悪化判定用閾値１〜３（ＳＣ１１，１２，１３、図４（ｂ）参照）と、の大小を比較することで、空気の清浄度合いを判定する。
【０１３９】
具体的には、比較判定部５２ａｂは、大塵埃Ｌレベル信号割合ＲＬからオフセット値を差し引いた値と、悪化判定用閾値１〜３とを比較し、大塵埃Ｌレベル信号割合ＲＬからオフセット値を差し引いた値が、ａ）悪化判定用閾値１未満、ｂ）悪化判定用閾値１以上悪化判定用閾値２未満、ｃ）悪化判定用閾値２以上悪化判定用閾値３未満、ｄ）悪化判定用閾値３以上のいずれに分類されるかを判断する。そして、比較判定部５２ａｂは、判断結果に対応する１の空気の清浄度合いを決定する。なお、上記のａ）〜ｄ）の条件は、それぞれ、空気の清浄度合いＰ１〜Ｐ４と対応している。その後、ステップＳ１５に進む。
【０１４０】
ステップＳ１５では、比較判定部５２ａｂが、清浄度合い記憶領域５１ａを参照して、ステップＳ１４で判定された１の空気の清浄度合いが、現在、清浄度合い記憶領域５１ａに記憶されている空気の清浄度合いより悪化しているか否かを判断する。悪化していると判断された場合には、比較判定部５２ａｂは、ステップＳ１４で判定された空気の清浄度合いを、大塵埃に関するホコリセンサ６０の検出値を用いた空気の清浄度合いの判定結果として決定する。その後、清浄度合い記憶領域５１ａに記憶されている空気の清浄度合いの更新処理（図１０参照）に進む。
【０１４１】
比較判定部５２ａｂが、ステップＳ１５で、ステップＳ１４で判定された１の空気の清浄度合いが、現在、清浄度合い記憶領域５１ａに記憶されている空気の清浄度合いと同一、又は、清浄度合い記憶領域５１ａに記憶されている空気の清浄度合いよりも塵埃の濃度の低い空気の清浄度合いであると判断した場合には、ステップＳ１６に進む。
【０１４２】
ステップＳ１６では、改善判定禁止部５２ｃにより改善判定が禁止されているか否かが判断される。つまり、ステップＳ１６では、清浄度合い記憶領域５１ａに記憶されている空気の清浄度合いが更新されてから、所定時間経過したか否かが判断される。改善判定が禁止されている場合には、ステップＳ１９に進む。改善判定が禁止されていなければ、ステップＳ１７に進む。
【０１４３】
ステップＳ１７では、比較判定部５２ａｂは、大塵埃Ｌレベル信号割合ＲＬから、この時点でオフセット値記憶領域５１ｃに記憶されている、判定部５２ａが実行する判定処理の種類が第１判定処理で、判定部５２ａが空気の清浄度合いを行う対象とする塵埃が大塵埃である場合のオフセット値を差し引く。そして、比較判定部５２ａｂは、大塵埃Ｌレベル信号割合ＲＬからオフセット値を差し引いた値と、閾値記憶領域５１ｂに記憶された、大塵埃用の改善判定用閾値１〜３（ＳＡ１１，１２，１３、図４（ａ）参照）と、の大小を比較することで、空気の清浄度合いを判定する。
【０１４４】
具体的には、比較判定部５２ａｂは、大塵埃Ｌレベル信号割合ＲＬからオフセット値を差し引いた値と、改善判定用閾値１〜３とを比較し、大塵埃Ｌレベル信号割合ＲＬからオフセット値を差し引いた値が、ａ）改善判定用閾値１未満、ｂ）改善判定用閾値１以上改善判定用閾値２未満、ｃ）改善判定用閾値２以上改善判定用閾値３未満、ｄ）改善判定用閾値３以上のいずれに分類されるかを判断する。そして、比較判定部５２ａｂは、判断結果に対応する１の空気の清浄度合いを決定する。なお、上記のａ）〜ｄ）の条件は、それぞれ、空気の清浄度合いＰ１〜Ｐ４と対応している。その後、ステップＳ１８に進む。
【０１４５】
ステップＳ１８では、比較判定部５２ａｂが、清浄度合い記憶領域５１ａを参照して、ステップＳ１７で判定された１の空気の清浄度合いが、現在、清浄度合い記憶領域５１ａに記憶されている空気の清浄度合いより改善しているか否かを判断する。改善していると判断された場合には、比較判定部５２ａｂは、ステップＳ１７で判定された空気の清浄度合いを、大塵埃に関するホコリセンサ６０の検出値を用いた空気の清浄度合いの判定結果として決定する。その後、清浄度合い記憶領域５１ａに記憶されている空気の清浄度合いの更新処理（図１０参照）に進む。
【０１４６】
比較判定部５２ａｂが、ステップＳ１８で、ステップＳ１７で判定された１の空気の清浄度合いが、現在、清浄度合い記憶領域５１ａに記憶されている空気の清浄度合いと同一、又は、清浄度合い記憶領域５１ａに記憶されている空気の清浄度合いよりも塵埃の濃度の高い空気の清浄度合いであると判断した場合には、ステップＳ１９に進む。
【０１４７】
ステップＳ１９では、比較判定部５２ａｂは、現在、清浄度合い記憶領域５１ａに記憶されている空気の清浄度合いを、大塵埃に関するホコリセンサ６０の検出値を用いた空気の清浄度合いの判定結果として決定する。その後、清浄度合い記憶領域５１ａに記憶されている空気の清浄度合いの更新処理（図１０参照）に進む。
【０１４８】
（３−２）小塵埃に関するホコリセンサの検出値を用いた空気の清浄度合いの判定
ホコリセンサ６０は、空気清浄機１０が電源に接続されると、空気清浄機１０が運転を開始していなくても塵埃の検出を行い、８０μ秒毎にＨレベル信号又はＬレベル信号を制御ユニット５０に対して出力する。
【０１４９】
算出部５２ａａは、上記のように、１ｍ秒（１０００μ秒）毎にサンプリングを行う（テップＳ２１）。具体的には、算出部５２ａａは、１ｍ秒毎に、制御ユニット５０が、直前の１ｍ秒に、粒径が３μｍ以上の塵埃に関してＨレベル信号を受信した回数とＬレベル信号を受信した回数とを比較する。そして、算出部５２ａａは、その１ｍ秒については、回数が多かった方のレベルの信号を、粒径が３μｍ以上の塵埃に関してホコリセンサ６０が発信したと判断する。また、算出部５２ａａは、１ｍ秒毎に、制御ユニット５０が、直前の１ｍ秒に、粒径が１μｍ以上の塵埃に関してＨレベル信号を受信した回数とＬレベル信号を受信した回数とを比較する。そして、算出部５２ａａは、その１ｍ秒については、回数が多かった方のレベルの信号を、粒径が１μｍ以上の塵埃に関してホコリセンサ６０が発信したと判断する。
【０１５０】
次に、ステップＳ２２では、算出部５２ａａは、上記のようにして、１ｍ秒毎のサンプリング結果を用いて、５００ｍ秒（０．５秒）毎に、第１小塵埃Ｌレベル信号割合ＲＳ１（第１移動平均時間に占めるホコリセンサ６０のＬレベル信号の出力時間の割合）と、第２小塵埃Ｌレベル信号割合ＲＳ２（第２移動平均時間に占めるホコリセンサ６０のＬレベル信号の出力時間の割合）と、を算出する。その後ステップＳ２３に進む。
【０１５１】
ステップＳ２３では、現在、空気清浄機１０が運転中であるか否かが判定される。空気清浄機１０が運転中でなければ、空気の清浄度合いの判定は行われないため、ステップＳ２１に戻る。一方、空気清浄機１０が運転中であれば、ステップＳ２４に進む。
【０１５２】
ステップＳ２４では、比較判定部５２ａｂが、ファン制御部５２ｅにより制御されているファン４０の回転数を把握する。その後ステップＳ２５に進む。
【０１５３】
ステップＳ２５では、比較判定部５２ａｂが、清浄度合い記憶領域５１ａに記憶されている、現在の空気の清浄度合いを把握する。その後ステップＳ２６に進む。
【０１５４】
ステップＳ２６では、比較判定部５２ａｂが、清浄度合い記憶領域５１ａに記憶されている現在の空気の清浄度合いが、第１清浄度合いＰ１であるか否かを判定する。清浄度合いが第１清浄度合いＰ１であると判定された場合にはステップＳ２１１に、清浄度合いが第１清浄度合いＰ１以外であると判定された場合にはステップＳ２２１に進む。
【０１５５】
ステップＳ２１１では、第１判定処理禁止部５２ｄにより、小塵埃に関する空気の清浄度合いの判定処理として、第１判定処理が禁止されているか否かが判定される。言い換えれば、ステップＳ２１１では、清浄度合い記憶領域５１ａに空気の清浄度合いとして第１清浄度合いＰ１が更新して書き込まれてから、所定期間が経過したか否かが判定される。小塵埃に関する空気の清浄度合いの判定処理として、第１判定処理が禁止されている場合には、ステップＳ２２１に進む。第１判定処理が禁止していなければ、ステップＳ２１２に進む。
【０１５６】
ステップＳ２１２では、比較判定部５２ａｂは、第１小塵埃Ｌレベル信号割合ＲＳ１から、この時点でオフセット値記憶領域５１ｃに記憶されている、判定部５２ａが実行する判定処理の種類が第１判定処理で、判定部５２ａが空気の清浄度合いを行う対象とする塵埃が小塵埃である場合のオフセット値を差し引く。そして、比較判定部５２ａｂは、第１小塵埃Ｌレベル信号割合ＲＳ１からオフセット値を差し引いた値と、閾値記憶領域５１ｂに記憶された、小塵埃用の悪化判定用閾値１〜３（ＳＤ１１，１２，１３、図４（ｂ）参照）と、の大小を比較することで、空気の清浄度合いを判定する。比較判定部５２ａｂが実行する内容は、使用される値が異なる点を除いて前述のステップＳ１４と同様であるので、ここでは説明を省略する。ステップＳ２１２が終了するとステップＳ２１３に進む。
【０１５７】
ステップＳ２１３では、比較判定部５２ａｂが、ステップＳ２１２で判定された１の空気の清浄度合いが、ステップＳ２５で把握された、清浄度合い記憶領域５１ａに記憶されている現在の空気の清浄度合い（すなわち、第１清浄度合いＰ１）より悪化しているか否かを判断する。悪化していると判断された場合には、比較判定部５２ａｂは、ステップＳ２１２で判定された空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１５８】
比較判定部５２ａｂが、ステップＳ２１３で、ステップＳ２１２で判定された１の空気の清浄度合いが、現在、清浄度合い記憶領域５１ａに記憶されている空気の清浄度合いと同一である（第１清浄度合いＰ１である）と判断した場合には、ステップＳ２１４に進む。
【０１５９】
ステップＳ２１４では、比較判定部５２ａｂが、現在、清浄度合い記憶領域５１ａに記憶されている空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１６０】
ステップＳ２２１では、ステップＳ２４で把握されたファンの回転数が、基準値Ｎｂ未満か否かが判断される。ステップＳ２４で把握されたファンの回転数が、基準値Ｎｂ未満の場合にはステップＳ２２２に進む。一方、ステップＳ２４で把握されたファンの回転数が、基準値Ｎｂ以上の場合にはステップＳ２３２に進む。
【０１６１】
ステップＳ２２２では、比較判定部５２ａｂは、第２小塵埃Ｌレベル信号割合ＲＳ２から、この時点でオフセット値記憶領域５１ｃに記憶されている、判定部５２ａが実行する判定処理の種類が第２判定処理で、判定部５２ａが空気の清浄度合いを行う対象とする塵埃が小塵埃である場合のオフセット値を差し引く。そして、比較判定部５２ａｂは、第２小塵埃Ｌレベル信号割合ＲＳ２からオフセット値を差し引いた値と、閾値記憶領域５１ｂに記憶された、小塵埃用、かつ、ファン４０の回転数が基準値Ｎｂ未満用の悪化判定用閾値１〜３（ＬＤ１１，１２，１３、図５（ｃ）参照）と、の大小を比較することで、空気の清浄度合いを判定する。比較判定部５２ａｂが実行する内容は、使用される値が異なる点を除いて前述のステップＳ１４と同様であるので、ここでは説明を省略する。ステップＳ２２２が終了するとステップＳ２２３に進む。
【０１６２】
ステップＳ２２３では、比較判定部５２ａｂが、ステップＳ２５で把握した空気の清浄度合いを用いて、ステップＳ２２２で判定された１の空気の清浄度合いが、現在、清浄度合い記憶領域５１ａに記憶されている空気の清浄度合いより悪化しているか否かを判断する。悪化していると判断された場合には、比較判定部５２ａｂは、ステップＳ２２２で判定された空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１６３】
比較判定部５２ａｂが、ステップＳ２２３で、ステップＳ２２２で判定された１の空気の清浄度合いが、現在、清浄度合い記憶領域５１ａに記憶されている空気の清浄度合いと同一、又は、清浄度合い記憶領域５１ａに記憶されている空気の清浄度合いよりも塵埃の濃度の低い空気の清浄度合いであると判断した場合には、ステップＳ２２４に進む。
【０１６４】
ステップＳ２２４では、改善判定禁止部５２ｃにより改善判定が禁止されているか否かが判断される。つまり、ステップＳ２２４では、清浄度合い記憶領域５１ａに記憶されている空気の清浄度合いが更新されてから、所定時間経過したか否かが判定される。改善判定が禁止されている場合には、ステップＳ２２７に進む。改善判定が禁止されていなければ、ステップＳ２２５に進む。
【０１６５】
ステップＳ２２５では、比較判定部５２ａｂは、第２小塵埃Ｌレベル信号割合ＲＳ２から、この時点でオフセット値記憶領域５１ｃに記憶されている、判定部５２ａが実行する判定処理の種類が第２判定処理で、判定部５２ａが空気の清浄度合いを行う対象とする塵埃が小塵埃である場合のオフセット値を差し引く。そして、比較判定部５２ａｂは、第２小塵埃Ｌレベル信号割合ＲＳ２からオフセット値を差し引いた値と、閾値記憶領域５１ｂに記憶された、小塵埃用、かつ、ファン４０の回転数が基準値Ｎｂ未満用の改善判定用閾値１〜３（ＬＢ１１，１２，１３、図５（ａ）参照）と、の大小を比較することで、空気の清浄度合いを判定する。比較判定部５２ａｂが実行する内容は、使用される値が異なる点を除いて前述のステップＳ１７と同様であるので、ここでは説明を省略する。ステップＳ２２５が終了するとステップＳ２２６に進む。
【０１６６】
ステップＳ２２６では、比較判定部５２ａｂが、ステップＳ２５で把握した空気の清浄度合いを用いて、ステップＳ２２５で判定された１の空気の清浄度合いが、現在、清浄度合い記憶領域５１ａに記憶されている空気の清浄度合いより改善しているか否かを判断する。改善していると判断された場合には、比較判定部５２ａｂは、ステップＳ２２５で判定された空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１６７】
比較判定部５２ａｂが、ステップＳ２２６で、ステップＳ２２５で判定された１の空気の清浄度合いが、現在、清浄度合い記憶領域５１ａに記憶されている空気の清浄度合いと同一、又は、清浄度合い記憶領域５１ａに記憶されている空気の清浄度合いよりも塵埃の濃度の高い空気の清浄度合いであると判断した場合には、ステップＳ２２７に進む。
【０１６８】
ステップＳ２２７では、比較判定部５２ａｂが、現在、清浄度合い記憶領域５１ａに記憶されている空気の清浄度合いを、小塵埃に関するホコリセンサ６０の検出値を用いた空気の清浄度合いの判定結果として決定する。そして、清浄度合い記憶領域５１ａに記憶されている空気の清浄度合いの更新処理（図１０参照）に進む。
【０１６９】
ステップＳ２３２からステップＳ２３７の処理は、ステップＳ２２２からステップＳ２７の処理と同様である。ただし、ステップＳ２３２では、ステップＳ２２２とは異なり、閾値として、閾値記憶領域５１ｂに記憶された、小塵埃用、かつ、ファン４０の回転数が基準値Ｎｂ以上用の悪化判定用閾値１〜３（ＬＤ２１，２２，２３、図５（ｄ）参照）が用いられる。また、ステップＳ２３５では、ステップＳ２２５と異なり、閾値として、閾値記憶領域５１ｂに記憶された、小塵埃用、かつ、ファン４０の回転数が基準値Ｎｂ以上用の改善判定用閾値１〜３（ＬＢ２１，２２，２３、図５（ｂ）参照）が用いられる。ステップＳ２３２からステップＳ２３７の処理の説明は省略する。
【０１７０】
（４）清浄度合い記憶領域に記憶されている空気の清浄度合いの更新処理
清浄度合い記憶領域５１ａに記憶されている空気の清浄度合いの、書込部５２ｂによる更新処理と、この更新処理に関連する改善判定禁止部５２ｃおよび第１判定処理禁止部５２ｄの処理について、図１０のフローチャートを用いて説明する。
【０１７１】
ステップＳ３１では、書込部５２ｂは、清浄度合い記憶領域５１ａに現在記憶されている空気の清浄度合いを把握する。
【０１７２】
ステップＳ３２では、書込部５２ｂは、大塵埃に関するホコリセンサ６０の検出値を用いた空気の清浄度合いの判定結果と、小塵埃に関するホコリセンサ６０の検出値を用いた空気の清浄度合いの判定結果とのうち、塵埃の濃度の高い方の空気の清浄度合いを、清浄度合い記憶領域５１ａに現在記憶されている空気の清浄度合いと比較するための空気の清浄度合いとして特定する。両判定結果とも、判定された空気の清浄度合いが同一である場合には、その空気の清浄度合いを、清浄度合い記憶領域５１ａに現在記憶されている空気の清浄度合いと比較するための空気の清浄度合いとして特定する。そして、書込部５２ｂは、特定した空気の清浄度合いと、清浄度合い記憶領域５１ａに現在記憶されている空気の清浄度合いと、を比較し、両者が同一であるかを判断する。同一であると判断された場合には、更新処理を終了し、再び空気の清浄度合いの判定（図８のステップＳ１１および図９ＡのステップＳ２１）へと戻る。同一でないと判断された場合には、ステップＳ３３へ進む。
【０１７３】
ステップＳ３３では、書込部５２ｂが、大塵埃に関するホコリセンサ６０の検出値を用いた空気の清浄度合いの判定結果と、小塵埃に関するホコリセンサ６０の検出値を用いた空気の清浄度合いの判定結果とのうち、塵埃の濃度の高い方の空気の清浄度合いを、清浄度合い記憶領域５１ａに、判定部５２ａの判定結果として更新して書き込む。その後ステップＳ３４へと進む。
【０１７４】
ステップＳ３４では、改善判定禁止部５２ｃが、改善判定を禁止する。つまり、改善判定禁止部５２ｃは、判定部５２ａが空気の清浄度合いが改善したか否かの判定することを禁止する。改善判定禁止部５２ｃは、所定期間、改善判定を禁止するためのタイマのカウントを開始する。その後ステップＳ３５へと進む。
【０１７５】
ステップＳ３５では、書込部５２ｂが、ステップＳ３３で清浄度合い記憶領域５１ａに書き込んだ空気の清浄度合いが、第１清浄度合いＰ１であるか否かが判定される。書込部５２ｂが清浄度合い記憶領域５１ａに書き込んだ空気の清浄度合いが第１清浄度合いＰ１である場合には、ステップＳ３６に進む。書込部５２ｂが清浄度合い記憶領域５１ａに書き込んだ空気の清浄度合いが第１清浄度合いＰ１以外である場合には、再び空気の清浄度合いの判定（図８のステップＳ１１および図９ＡのステップＳ２１）へと戻る。
【０１７６】
ステップＳ３６では、第１判定処理禁止部５２ｄが、判定部５２ａが、小塵埃に関する空気の清浄度合いの判定処理として、第１判定処理を実行することを禁止する。また、第１判定処理禁止部５２ｄは、所定期間、小塵埃に関する空気の清浄度合いの判定処理として、第１判定処理を実行することを禁止するためのタイマのカウントを開始する。その後再び空気の清浄度合いの判定（図８のステップＳ１１および図９ＡのステップＳ２１）へと戻る。
【０１７７】
（５）特徴
（５−１）
本実施形態に係る空気清浄機１０は、回転数可変のファン４０と、ホコリセンサ６０と、判定部５２ａと、記憶部５１と、ファン制御部５２ｅと、を備える。ファン４０は、空気清浄用フィルタの一例としてのＨＥＰＡフィルタ２２に空気が通るように空気流れを生成する。ホコリセンサ６０は、粒径が小さい小塵埃と、小塵埃よりも粒径が大きな大塵埃とを区別可能に空気中の塵埃を検出する。判定部５２ａは、ホコリセンサ６０の検出値（ホコリセンサ６０の出力信号）を用いて、空気の清浄度合いを判定する。記憶部５１の清浄度合い記憶領域５１ａには、判定部５２ａの判定結果が更新して書き込まれて記憶される。ファン制御部５２ｅは、清浄度合い記憶領域５１ａに記憶された判定結果に基づいて、ファン４０の回転数を制御する。判定部５２ａは、大塵埃に関するホコリセンサ６０の出力信号を用いて空気の清浄度合いを判定する場合には、判定時間を優先する第１判定処理を、空気の清浄度合いの判定として実行する。第１判定処理は、短時間判定処理の一例である。判定部５２ａは、小塵埃に関するホコリセンサ６０の出力信号を用いて空気の清浄度合いを判定する場合には、第１判定処理よりも判定時間が長い、判定精度を優先する第２判定処理を、空気の清浄度合いの判定として実行する。より具体的には、判定部５２ａは、小塵埃に関するホコリセンサ６０の出力信号を用いて空気の清浄度合いを判定する場合であって、清浄度合い記憶領域５１ａに第１清浄度合いＰ１以外が記憶されている場合に、第１判定処理よりも判定時間が長い、判定精度を優先する第２判定処理を、空気の清浄度合いの判定として実行する。第２判定処理は、長時間判定処理の一例である。
【０１７８】
ここでは、大塵埃に関する空気の清浄度合いの判定として、判定時間優先の（判定時間の短い）第１判定処理が実行される。そのため、浮遊時間の比較的短い大塵埃に関しては、空気の清浄度合いが速やかに判定され、空気の清浄度合いが悪化した場合には、直ちに大塵埃を除去するようにファン４０の風量が適切に制御される。一方、小塵埃に関しては判定精度優先の（判定時間は長い）第２判定処理が実行される。そのため、浮遊時間の比較的長い小塵埃に関しては、空気の清浄度合いが精度良く判定され、空気の清浄度合いに応じてファン４０の風量が適切される。その結果、塵埃の大きさに応じてファン４０の風量を適切に制御可能な、信頼性の高い空気清浄機１０が実現される。
【０１７９】
（５−２）
本実施形態に係る空気清浄機１０では、ホコリセンサ６０は、一定時間間隔（８０μｍ）で塵埃の検出を行う。判定部５２ａは、第１判定処理では、第１移動平均時間分（ここでは８秒分）のホコリセンサ６０の出力信号を用いる。判定部５２ａは、第２判定処理では、第２移動平均時間分（ここでは４０秒分）のホコリセンサ６０の出力信号を用いる。つまり、判定部５２ａは、第２判定処理において、第１判定処理より多くのホコリセンサ６０の出力信号を用いる。
【０１８０】
ここでは、第２判定処理において、第１判定処理よりも多くのホコリセンサ６０の出力信号（検出値）に基づいて空気の清浄度合いの判定が行われるため、出力信号のノイズや、空気中の塵埃の濃度の不均一さが判定精度に与える影響が低減される。そのため、第２判定処理では、第１判定処理よりも精度よく空気の清浄度合いを判定可能である。
【０１８１】
（５−３）
本実施形態に係る空気清浄機１０では、判定部５２ａは、ホコリセンサ６０の出力信号を用いて０．５秒毎に算出される、単位時間算出値（５００ｍ秒に対しホコリセンサ６０がＬレベル信号を発信した時間の割合）の移動平均値を用いて空気の清浄度合いを判定する。判定部５２ａは、第２判定処理における移動平均時間（第２移動平均時間）を、第１判定処理における移動平均時間（第１移動平均時間）よりも長くする。
【０１８２】
ここでは、第２判定処理において、第１判定処理の第１移動平均時間よりも長い第２移動平均時間の移動平均値に基づいて空気の清浄度合いの判定が行われる。このため、第２判定処理では、出力信号のノイズや、空気中の塵埃の濃度の不均一さが判定精度に与える影響を低減して、第１判定処理よりも精度よく空気の清浄度合いを判定可能である。
【０１８３】
（５−４）
本実施形態に係る空気清浄機１０では、判定部５２ａは、当該空気清浄機１０の起動時に第１判定処理を行う場合であって、第１判定処理における移動平均時間（第１移動平均時間）に相当する数量のホコリセンサ６０の出力信号が未だ取得されていない場合には、第１判定処理における移動平均時間よりも短い時間に相当する数量のホコリセンサ６０の出力信号を用いて、第１判定処理を行う。
【０１８４】
ここでは、空気清浄機１０の起動時であって、第１移動平均時間に相当する数量のホコリセンサの出力信号（検出値）が未だ取得されていない場合に、通常の第１判定処理で用いられるよりも少ない数量のホコリセンサ６０の出力信号を用いて空気の清浄度合いが判定される。そのため、塵埃の濃度が比較的高く、塵埃の速やかな除去を期待してユーザが空気清浄機１０を起動した場合に、直ちに空気の清浄度合いが判定されることとなり、空気の清浄度合いの改善が図られやすい。
【０１８５】
（５−５）
本実施形態に係る空気清浄機１０では、判定部５２ａは、記憶部５１の清浄度合い記憶領域５１ａに、判定部５２ａにより判定される空気の清浄度合いの中で最も塵埃の濃度が低い第１清浄度合いＰ１以外の、空気の清浄度合い（第２〜第４清浄度合いＰ２〜Ｐ４）が記憶されている時であって、小塵埃に関するホコリセンサ６０の検出値を用いて空気の清浄度合いを判定する場合に、第２判定処理を実行する。
【０１８６】
ここでは、清浄度合い記憶領域５１ａに比較的塵埃の濃度が高い空気の清浄度合い（第２〜第４清浄度合いＰ２〜Ｐ４）が記憶されている場合に、空気の清浄度合いの判定が精度よく実行される。そのため、実際には空気中の塵埃の濃度が高いにも関わらず、空気の清浄度合いの誤認識でファン４０の風量が減らされる等のファン４０の風量の不適切な制御を防止できる。
【０１８７】
また、本実施形態に係る空気清浄機１０では、判定部５２ａは、記憶部５１の清浄度合い記憶領域５１ａに第１清浄度合いＰ１が記憶されている場合、小塵埃に関するホコリセンサ６０の検出値を用いて空気の清浄度合いを判定する際に、原則、第１判定処理を実行する。
【０１８８】
そのため、空気の清浄度合いが比較的清浄な第１清浄度合いＰ１と判定されファン４０が比較的低回転数（回転数Ｎ１）で運転されている時に、空気中の塵埃の濃度が増加すると、第１判定処理により空気の清浄度合いの悪化が速やかに認識される。そして、空気の清浄度合いの悪化に応じて、ファン４０の回転数が大きくなるよう迅速に制御される。そのため、空気が比較的清浄と判定されている場合に、空気中の塵埃の濃度が急上昇することを抑制できる。
【０１８９】
（５−６）
本実施形態に係る空気清浄機１０では、判定部５２ａは、ホコリセンサ６０の検出値を用いて算出されるＬレベル信号割合からオフセット値を差し引いた値と、閾値との大小を比較することで空気の清浄度合いを判定する。特に、本実施形態に係る空気清浄機１０では、判定部５２ａは、小塵埃に関する空気の清浄度合いを判定する際に、ホコリセンサ６０の検出値を用いて算出される第２小塵埃Ｌレベル信号割合ＲＳ２からオフセット値を差し引いた値と、改善判定用閾値１〜３又は悪化判定用閾値１〜３との大小を比較することで空気の清浄度合いを判定する。小塵埃に関する空気の清浄度合いを判定する際に、第２判定処理に用いられる改善判定用閾値１〜３および悪化判定用閾値１〜３は、判定部５２ａによる判定時のファン４０の回転数に応じて変更される。
【０１９０】
ファン４０の回転数が変化すると、ホコリセンサ６０を通過する空気の量が変化し、塵埃の濃度は同一であるにも関わらず、ホコリセンサ６０の検出値を用いて算出される第２小塵埃Ｌレベル信号割合ＲＳ２の値が変化する。ここでは、これを考慮して閾値が変更されるため、空気の清浄度合いを正確に判定することが容易である。
【０１９１】
（５−７）
本実施形態に係る空気清浄機１０では、判定部５２ａは、ホコリセンサ６０の出力信号を用いて算出される大塵埃Ｌレベル信号割合ＲＬ、又は、小塵埃Ｌレベル信号割合ＲＳ１，ＲＳ２からオフセット値を差し引いた値を用いて空気の清浄度合いを判定する。オフセット値は、大塵埃に関するホコリセンサの検出値を用いて空気の清浄度合いを判定する場合（大塵埃Ｌレベル信号割合ＲＬを用いる場合）と、小塵埃に関するホコリセンサの検出値を用いて空気の清浄度合いを判定する場合（小塵埃Ｌレベル信号割合ＲＳ１，ＲＳ２を用いる場合）とで、それぞれ設定される。
【０１９２】
ここでは、大塵埃に関する空気の清浄度合いの判定処理と、小塵埃に関する空気の清浄度合いの判定処理と、に対し、オフセット値が個別に用意されるため、空気の清浄度合いを正確に判定することが容易である。
【０１９３】
（６）変形例
以下に、上記実施形態の変形例を示す。なお、各変形例の構成の一部又は全部は、互いに矛盾しない範囲で、他の変形例の構成の一部又は全部と組み合わされてもよい。
【０１９４】
（６−１）変形例Ａ
上記実施形態では、ホコリセンサ６０は、検出値として、塵埃を検出したことを示すＬレベル信号と、塵埃を検出していないことを示すＨレベル信号とを出力するものであるが、これに限定するものではない。
【０１９５】
例えば、ホコリセンサ６０は、上記実施形態の判定部５２ａの算出部５２ａａと同様の機能を有し、大塵埃Ｌレベル信号割合ＲＬ、第１小塵埃Ｌレベル信号割合ＲＳ１、および第２小塵埃Ｌレベル信号割合ＲＳ２、を算出し、検出値として、これらの値を制御ユニット５０に送信してもよい。
【０１９６】
（６−２）変形例Ｂ
上記実施形態では、算出部５２ａａは、判定時間に対するＬレベル信号割合（大塵埃Ｌレベル信号割合ＲＬ、第１小塵埃Ｌレベル信号割合ＲＳ１、および第２小塵埃Ｌレベル信号割合ＲＳ２）を算出し、比較判定部５２ａｂは、算出部５２ａａの算出した、判定時間に対するＬレベル信号割合からオフセット値を差し引いたものを、閾値と大小比較することで、空気の清浄度合いを判定するが、これに限定されるものではない。
【０１９７】
例えば、算出部５２ａａは、判定時間に対するＬレベル信号割合に代えて、ホコリセンサ６０の出力信号を用いて塵埃の濃度（単位体積の空気中に含まれる塵埃の重量や、単位体積の空気中に含まれる塵埃の個数等）を算出し、比較判定部５２ａｂは、算出した塵埃の濃度からオフセット値を差し引いたものを、閾値と大小比較することで、空気の清浄度合いを判定してもよい。また、算出部５２ａａは、判定時間に対するＬレベル信号割合に代えて、判定時間に対するＨレベル信号割合を算出し、比較判定部５２ａｂは、算出したＨレベル信号割合からオフセット値を差し引いたものを、閾値と大小比較することで、空気の清浄度合いを判定してもよい。
【０１９８】
（６−３）変形例Ｃ
上記実施形態では、判定部５２ａは空気の清浄度合いを、第１〜第４清浄度合いＰ１〜Ｐ４の４段階で判定するが、これに限定されるものではなく、判定部５２ａは、空気の清浄度合いを２段階以上に分けて判定するものであればよい。例えば、判定部５２ａは、第１清浄度合いＰ１と、第２清浄度合いＰ２の２段階で、空気の清浄度合いを判定するものであってもよい。また、判定部５２ａは、空気の清浄度合いを、５段階で判定するものであってもよい。
【０１９９】
（６−４）変形例Ｄ
上記実施形態では、ファン制御部５２ｅは、清浄度合い記憶領域５１ａに記憶された、第１〜第４清浄度合いＰ１〜Ｐ４という空気の清浄度合いに対し、ファン４０の回転数をそれぞれＭ１〜Ｍ４に制御するが、これに限定されるものではない。例えば、ファン制御部５２ｅは、清浄度合い記憶領域５１ａに第２清浄度合いＰ２又は第３清浄度合いＰ３が記憶されている場合には、第２および第３清浄度合いＰ２，Ｐ３のいずれであっても、ファン４０の回転数を、Ｍ１より大きなある１つの値に制御するように構成されてもよい。
【０２００】
（６−５）変形例Ｅ
上記実施形態では、判定部５２ａが、大塵埃に対して空気の清浄度合いを判定する際に行う第１判定処理（短時間判定処理）であっても、小塵埃に対して空気の清浄度合いを判定する際に行う第１判定処理（短時間判定処理）であっても、移動平均時間は１つの値（第１移動平均時間）としたが、これに限定されるものではない。例えば、大塵埃に関する空気の清浄度合いの短時間判定処理については、移動平均時間を、より短い時間（例えば４秒）としてもよい。
【０２０１】
（６−６）変形例Ｆ
上記実施形態では、算出部５２ａａは、判定時間に対するＬレベル信号割合（大塵埃Ｌレベル信号割合ＲＬ、第１小塵埃Ｌレベル信号割合ＲＳ１、および第２小塵埃Ｌレベル信号割合ＲＳ２）を、移動平均を用いて算出するが、これに限定されるものではない。算出部５２ａａは、移動平均としてではなく、単に判定時間分のホコリセンサ６０の出力信号を利用して、判定時間に占めるホコリセンサ６０のＬレベル信号出力時間の割合を算出してもよい。
【０２０２】
（６−７）変形例Ｇ
上記実施形態では、空気清浄機１０に電気が供給された時にホコリセンサ６０が塵埃の検出を開始するが、これに限定されるものではなく、空気清浄機１０の運転開始時にホコリセンサ６０が塵埃の検出を開始してもよい。このように構成することで、運転停止中の空気清浄機１０の電力消費を低減することが可能である。ただし、空気清浄機１０の運転開始直後から、空気の清浄度合いが正確に判定されやすくするためには、空気清浄機１０に電気が供給されている間、ホコリセンサ６０が塵埃の検出を実行することが望ましい。
【０２０３】
（６−８）変形例Ｈ
上記実施形態では、小塵埃に関する空気の清浄度合いの判定時に、清浄度合い記憶領域５１ａに、空気の清浄度合いとして第１清浄度合いＰ１が記憶されている場合に第１移動平均時間を用いた第１判定処理が実行され、第２〜第４清浄度合いＰ２〜Ｐ４が記憶されている場合には、第２移動平均時間を用いた第２判定処理が実行されるがこれに限定されるものではない。例えば、空気の清浄度合いが第２清浄度合いＰ２である場合にも、第１清浄度合いＰ１と同様に迅速に空気の清浄度合いを判定することが望ましい場合には、第１および第２清浄度合いＰ１，Ｐ２が記憶されている場合に第１移動平均時間を用いた第１判定処理が実行され、第３および第４清浄度合いＰ３，Ｐ４が記憶されている場合には、第２移動平均時間を用いた第２判定処理が実行されてもよい。
【０２０４】
また、例えば、判定部５２ａは、小塵埃に関する空気の清浄度合いの判定として、清浄度合い記憶領域５１ａに記憶されている空気の清浄度合いによらず、常に第２判定処理を実行してもよい。ただし、空気の清浄度合いが比較的清浄な第１清浄度合いＰ１と判定されファン４０が比較的低回転数（回転数Ｎ１）で運転されている時に、空気中の小塵埃の濃度の急上昇を抑制するためには、清浄度合い記憶領域５１ａに第１清浄度合いＰ１が記憶されている場合に、第１判定処理が実行されることが望ましい。
【０２０５】
（６−９）変形例Ｉ
上記実施形態では、算出部５２ａａは、小塵埃についてのＬレベル信号割合ＲＳ１，ＲＳ２を算出するために、粒径が１μｍ以上の塵埃に関する出力信号を用いて算出される判定時間に占めるＬレベル信号の出力時間の割合から、粒径が３μｍ以上の塵埃に関する信号を用いて出力信号を用いて算出される判定時間に占めるＬレベル信号の出力時間の割合を差し引くという計算を行うが、これに限定されるものではない。一般的に、粒径が３μｍ以上の塵埃は、粒径が１μｍ以上の塵埃に比べて数が少ないことから、算出部５２ａａは、粒径が１μｍ以上の塵埃に関する出力信号を用いて算出される判定時間に占めるＬレベル信号の出力時間の割合を、小塵埃（粒径が１μｍ以上３μｍ未満の塵埃）についてのＬレベル信号割合ＲＳ１，ＲＳ２として近似して用いてもよい。
【０２０６】
（６−１０）変形例Ｊ
上記実施形態では、第２小塵埃Ｌレベル信号割合ＲＳ２からオフセット値を差し引いた値と大小を比較される改善判定用閾値１〜３および悪化判定用閾値１〜３だけが、判定部５２ａによる判定時のファン４０の回転数に応じて変更されるが、これに限定されるものではない。大塵埃Ｌレベル信号割合ＲＬからオフセット値を差し引いた値と大小を比較される改善判定用閾値１〜３および悪化判定用閾値１〜３についても、判定部５２ａによる判定時のファン４０の回転数に応じて変更されてもよい。
【０２０７】
（６−１１）変形例Ｋ
上記実施形態では、判定部５２ａの実行する判定処理の種類別、かつ、判定部５２ａが空気の清浄度合いの判定の対象とする塵埃の大きさ別に、オフセット値が準備されるが、これに限定されるものではない。例えば、オフセット値は、さらに判定部５２ａが空気の清浄度合いの判定を行う際のファン４０の回転数別に準備されてもよい。これにより、空気の清浄度合いを正確に判定することが更に容易となる。
【０２０８】
（６−１２）変形例Ｌ
上記実施形態では、空気清浄機１０は床置き型の空気清浄機であるが、これに限定されるものではない。また、本発明に係る空気清浄機は、空気清浄機能を有する空調機等であってもよい。
【０２０９】
（６−１３）変形例Ｍ
上記実施形態では、上記実施形態の（４）に記載したように、書込部５２ｂは、清浄度合い記憶領域５１ａに１の空気の清浄度合いを更新して書き込み（ステップＳ３３）、ファン制御部５２ｅは、清浄度合い記憶領域５１ａに書き込まれた空気の清浄度合いが低いほど回転数が大きくなるようにファン４０を制御する。ただし、これに限定されるものではない。
【０２１０】
例えば、書込部５２ｂは、清浄度合い記憶領域５１ａに、上記実施形態の（４）のステップＳ３３のように１の空気の清浄度合いを書き込むと共に、大塵埃に関するホコリセンサ６０の検出値を用いた空気の清浄度合いの判定結果も書き込んでもよい。そして、ファン制御部５２ｅは、大塵埃に関するホコリセンサ６０の検出値を用いた空気の清浄度合いの判定結果が第１清浄度合いＰ１以外であった場合には、ステップＳ３３で書き込まれた内容によらず、ファン４０の回転数を最大回転数（例えば、上記実施形態における回転数Ｍ４）まで引き上げてもよい。これにより、大塵埃が検出された場合には、直ちにこれを除去することが容易である。
【０２１１】
また、例えば、書込部５２ｂは、清浄度合い記憶領域５１ａに、上記実施形態の（４）のステップＳ３３のように１の空気の清浄度合いを書き込む代わりに、大塵埃に関するホコリセンサ６０の検出値を用いた空気の清浄度合いの判定結果と、小塵埃に関するホコリセンサ６０の検出値を用いた空気の清浄度合いの判定結果と、を書き込んでもよい。そして、ファン制御部５２ｅは、大塵埃に関するホコリセンサ６０の検出値を用いた空気の清浄度合いの判定結果が第１清浄度合いＰ１以外であった場合には、ファン４０の回転数を最大回転数（例えば、上記実施形態における回転数Ｍ４）まで引き上げてもよい。また、ファン制御部５２ｅは、大塵埃に関するホコリセンサ６０の検出値を用いた空気の清浄度合いの判定結果が第１清浄度合いＰ１である場合には、小塵埃に関するホコリセンサ６０の検出値を用いた空気の清浄度合いの判定結果に応じて、空気の清浄度合いが低いほど回転数が大きくなるようにファン４０を制御してもよい。これにより、大塵埃が検出された場合には、直ちにこれを除去することが容易である。
【産業上の利用可能性】
【０２１２】
本発明に係る空気清浄機は、塵埃の大きさを区別して検知可能なホコリセンサの検出値を用いて把握される空気の清浄さに応じて、空気清浄用フィルタに空気を導くファンの風量制御を行う空気清浄機であって、塵埃の大きさに応じてファンの風量を適切に制御可能な、信頼性の高い空気清浄機として有用である。
【符号の説明】
【０２１３】
１０  空気清浄機
２２  ＨＥＰＡフィルタ（空気清浄用フィルタ）
４０  ファン
５１  記憶部
５２ａ  判定部
５２ｅ  ファン制御部
６０  ホコリセンサ
【先行技術文献】
【特許文献】
【０２１４】
【特許文献１】特開２００１−８７６１３号公報